(57)【要約】  進行波核分裂反応炉における爆燃波によって放出された揮発性の核分裂生成物及び熱を除去する処理を制御するように構成された核分裂反応炉用燃料アセンブリ並びにシステム、並びにその方法。上記燃料アセンブリは、揮発性の核分裂生成物を有する多孔性核燃料体を格納するように構成された格納部を備えている。流体制御サブアセンブリは、上記格納部に接続されており、多孔性核燃料体から揮発性の核分裂生成物の少なくとも一部を除去する処理を制御するように構成されている。さらに、上記流体制御サブアセンブリは、核燃料体による発熱を除去するために、上記多孔性核燃料体を介して熱除去用の流体を循環することを許容する。
2012524264.tif 000002
【特許請求の範囲】
【請求項１】
進行波核分裂反応炉における爆燃波によって放出される、揮発性の核分裂生成物を除去する処理を制御するように構成された核分裂反応炉用燃料アセンブリを組み立てる方法であって、
多孔性核燃料体を格納するための格納部を準備する工程と、
流体制御サブアセンブリを上記格納部に接続し、爆燃波に対応する複数の位置に近接する、進行波核分裂反応炉の複数の領域における流体の流れを制御することによって、進行波核分裂反応炉の爆燃波に対応する複数の位置で、上記多孔性核燃料体から揮発性の核分裂生成物の少なくとも一部を除去する処理を制御する工程と、を含む方法。
【請求項２】
さらに、上記流体制御サブアセンブリに制御ユニットを接続し、上記流体制御サブアセンブリの作動を制御する工程を含む、請求項１に記載の方法。
【請求項３】
上記流体制御サブアセンブリに制御ユニットを接続する工程では、進行波核分裂反応炉の電力レベルに応答して、上記揮発性の核分裂生成物の放出が制御されるように、上記制御ユニットを接続する、請求項２に記載の方法。
【請求項４】
上記流体制御サブアセンブリに制御ユニットを接続する工程では、進行波核分裂反応炉の中性子数レベルに応答して、上記揮発性の核分裂生成物の放出が制御されるように、上記制御ユニットを接続する、請求項２に記載の方法。
【請求項５】
上記流体制御サブアセンブリに制御ユニットを接続する工程では、進行波核分裂反応炉の揮発性の核分裂生成物の圧力レベルに応答して、上記揮発性の核分裂生成物の放出が制御されるように、上記制御ユニットを接続する、請求項２に記載の方法。
【請求項６】
上記流体制御サブアセンブリに制御ユニットを接続する工程では、進行波核分裂反応炉に関する工程表に応答して、上記揮発性の核分裂生成物の放出が制御されるように、上記制御ユニットを接続する、請求項２に記載の方法。
【請求項７】
上記流体制御サブアセンブリに制御ユニットを接続する工程では、進行波核分裂反応炉が作動する時間に応答して、上記揮発性の核分裂生成物の放出が制御されるように、上記制御ユニットを接続する、請求項２に記載の方法。
【請求項８】
さらに、上記流体制御サブアセンブリに貯蔵部を接続し、上記揮発性の核分裂生成物を受入れる工程を含む、請求項１に記載の方法。
【請求項９】
上記流体制御サブアセンブリを接続する工程では、進行波核分裂反応炉における爆燃波の位置に応答して、上記揮発性の核分裂生成物の放出が制御されるように上記流体制御サブアセンブリを接続する、請求項１に記載の方法。
【請求項１０】
上記流体制御サブアセンブリを接続する工程では、上記流体制御サブアセンブリが上記多孔性核燃料体を介して核分裂生成物除去用の流体を循環するように構成され、かつ上記多孔性核燃料体を介して、上記流体制御サブアセンブリが核分裂生成物除去用の流体を循環する間、上記揮発性の核分裂生成物の少なくとも一部が上記多孔性核燃料体を介して除去されるように、上記流体制御サブアセンブリを接続する、請求項１に記載の方法。
【請求項１１】
上記流体制御サブアセンブリを接続する工程では、ポンプを接続する、請求項１に記載の方法。
【請求項１２】
さらに、上記流体制御サブアセンブリにポンプを一体的に連結し、上記流体制御サブアセンブリと上記多孔性核燃料体との間に流体を循環させる工程を含む、請求項１に記載の方法。
【請求項１３】
上記流体制御サブアセンブリを接続する工程では、バルブを接続する、請求項１に記載の方法。
【請求項１４】
さらに、上記格納部と上記流体制御サブアセンブリとの間にバルブを介在させ、上記格納部と上記流体制御サブアセンブリとの間の流体の流れを制御する工程を含む、請求項１に記載の方法。
【請求項１５】
上記流体制御サブアセンブリを接続する工程では、制御可能な脆性障壁を接続する、請求項１に記載の方法。
【請求項１６】
さらに、上記格納部と上記流体制御サブアセンブリとの間に、制御可能な脆性障壁を介在させる、請求項１に記載の方法。
【発明の詳細な説明】
【発明の詳細な説明】
【０００１】
〔関連出願の相互参照〕
本願は、以下に挙げられている出願（“関連出願”）に基づく最先の有効出願日の利益に関連しており、その利益を主張する。例えば、本願は、仮特許出願以外の最先の有効な優先日を主張するか、または仮特許出願、関連出願の任意のすべての親出願、その親出願、さらにその親出願などに対して、３５ＵＳＣ§１１９（ｅ）に基づく利益を主張する。関連出願、および関連出願の任意のすべての親出願、その親出願、さらにその親出願などのすべての内容は、本明細書と矛盾しないそのような内容まで、参照によって本明細書に援用される。
【０００２】
〔関連出願〕
ＵＳＰＴＯの特別な法的要件のために本願は、「Ａ  ＮＵＣＬＥＡＲ  ＦＩＳＳＩＯＮ  ＲＥＡＣＴＯＲ  ＦＵＥＬ  ＡＳＳＥＭＢＬＹ  ＡＮＤ  ＳＹＳＴＥＭ  ＣＯＮＦＩＧＵＲＥＤ  ＦＯＲ  ＣＯＮＴＲＯＬＬＥＤ  ＲＥＭＯＶＡＬ  ＯＦ  Ａ  ＶＯＬＡＴＩＬＥ  ＦＩＳＳＩＯＮ  ＰＲＯＤＵＣＴ  ＡＮＤ  ＨＥＡＴ  ＲＥＬＥＡＳＥＤ  ＢＹ  Ａ  ＢＵＲＮ  ＷＡＶＥ  ＩＮ  Ａ  ＴＲＡＶＥＬＩＮＧ  ＷＡＶＥ  ＮＵＣＬＥＡＲ  ＦＩＳＳＩＯＮ  ＲＥＡＣＴＯＲ  ＡＮＤ  ＭＥＴＨＯＤ  ＦＯＲ  ＳＡＭＥ（進行波核分裂反応炉における爆燃波によって放出された揮発性の核分裂生成物及び熱の除去を制御するように構成された核分裂反応炉用燃料アセンブリ並びにシステム、並びにその方法）」と題された米国特許出願番号１２／３８６，５２４の一部継続出願（発明者：Ｃｈａｒｌｅｓ  Ｅ．Ａｈｌｆｅｌｄ；Ｊｏｈｎ  Ｒｏｇｅｒｓ  Ｇｉｌｌｅｌａｎｄ；Ｒｏｄｅｒｉｃｋ  Ａ．Ｈｙｄｅ；Ｍｕｒｉｅｌ  Ｙ．Ｉｓｈｉｋａｗａ，Ｄａｖｉｄ  Ｇ．ＭｃＡｌｅｅｓ，Ｎａｔｈａｎ  Ｐ．Ｍｙｈｒｖｏｌｄ，Ｃｌａｒｅｎｃｅ  Ｔ．Ｔｅｇｒｅｅｎｅ，Ｔｈｏｍａｓ  Ａ．Ｗｅａｖｅｒ，Ｃｈａｒｌｅｓ  Ｗｈｉｔｍｅｒ，Ｖｉｃｔｏｒｉａ  Ｙ．Ｈ．Ｗｏｏｄ，Ｌｏｗｅｌｌ  Ｌ．Ｗｏｏｄ，Ｊｒ．，及びＧｅｏｒｇｅ  Ｂ．Ｚｉｍｍｅｒｍａｎ、２００９年  ４月１６日出願、現在同時係属）を構成しているか、または、現在同時係属している出願にこの出願日の利益が付与される出願である。
【０００３】
米国特許商標庁（ＵＳＰＴＯ）は、ＵＳＰＴＯのコンピュータプログラムにおいて特許出願人が整理番号を参照し、出願が継続中であるかまたは一部継続中であるかを示すことを必要とすることに関する通知を発表した。これは「先願の利益」と題されたＳｔｅｐｈｅｎ  Ｇ．Ｋｕｎｉｎによる通知（２００３年３月１８日付ＵＳＰＴＯ官報）であり、ｈｔｔｐ：／／ｗｗｗ．ｕｓｐｔｏ．ｇｏｖ／ｗｅｂ／ｏｆｆｉｃｅｓ／ｃｏｍ／ｓｏｌ／ｏｇ／２００３／ｗｅｅｋ１１／ｐａｔｂｅｎｅ．ｈｔｍ．で閲覧可能である。本願の出願団体（以下、「出願人」）は、法令に則って優先権が主張されている出願に対する特定の参照を上で示している。出願人は、法令の示す具体的な参照についての文言は一義的であり、米国特許出願の優先権を主張するために整理番号または「継続中」もしくは「一部継続中」等のいかなる特徴も必要としないと理解している。しかしながら、出願人は、ＵＳＰＴＯのコンピュータプログラムが一定のデータ入力要件を有すると理解しているので、上記のように本願がその親出願の一部継続出願として表示するが、このような表示は、本願がその親出願に含まれる事項に加えて何らかの新規事項を含んでいるかどうかについて、何らかの注釈および／または自認をするものというように解釈されるべきではない。
【０００４】
〔背景〕
この出願は、一般的に核反応炉用燃料アセンブリに関し、具体的には、進行波核分裂反応炉における爆燃波によって放出された揮発性の核分裂生成物及び熱を除去する処理を制御するように構成された核分裂反応炉用燃料アセンブリ並びにシステム、並びにその方法に関する。
【０００５】
作動中の核分裂反応炉において、ある既知のエネルギーを有する中性子が、大きな原子量を有する核種によって捕捉されることが知られている。その結果生じる化合物の核は、分裂し、原子量が該化合物より小さな２つの核分裂片や、崩壊生成物などの核分裂生成物を生成する。すべての種々なエネルギーの中性子による、このような分裂を生じることが知られている核種としては、核原料核種である、ウラン２３３、ウラン２３５、及びプルトニウム２３９などがあげられる。例えば、０．０２５３ｅｖ（電子ボルト）の運動エネルギーを有する熱中性子は、Ｕ２３５の核を分裂させるために使用され得る。燃料効率の高い核燃料核種であるトリウム２３２及びウラン２３８の核分裂は、少なくとも１ＭｅＶ（百万電子ボルト）の運動エネルギーを有する高速中性子を除き、誘導核分裂が起こらないだろう。一回の分裂において放出される全運動エネルギーは、約２００ＭｅＶである。この運動エネルギーは、最終的には熱に変換される。
【０００６】
また、分裂プロセスは、初期の中性子供給源から始まり、中性子をさらに放出するとともに、運動エネルギーを熱に変換する。この結果、自立的な分裂の連鎖反応が起こり、この反応に続いて継続的な熱の放出が起こる。核原料核が枯渇するまでは、中性子が１つ吸収されるごとに、２つ以上の中性子が放出される。この現象が商業用核反応炉において使用されて熱を連続的に発生させ、次いで、この熱が発電に使用される。
【０００７】
反応炉作動中の核分裂生成物の蓄積に対処するための試みがなされている。ＵＳ特許４，２８５，８９１号（発行日：１９８１年  ８月２５日、発明者：Ｌａｎｅ  Ａ．  Ｂｒａｙら、発明の名称：「Ｍｅｔｈｏｄ  ｏｆ  Ｒｅｍｏｖｉｎｇ  Ｆｉｓｓｉｏｎ  Ｇａｓｅｓ  ｆｒｏｍ  Ｉｒｒａｄｉａｔｅｄ  Ｆｕｅｌ」）は、少なくとも１０００℃の高温度まで加熱した燃料に水素含有不活性ガスを通し、次いで単独の不活性ガスを上記高温度になっている燃料に通すことによって、放射線照射された燃料から揮発性の核分裂生成物を除去する方法を開示している。
【０００８】
ＵＳ特許５，２６８，９４７号（発行日：１９９３年１２月  ７日、発明者：Ｂｅｒｎａｒｄ  Ｂａｓｔｉｄｅら、発明の名称：「Ｎｕｃｌｅａｒ  Ｆｕｅｌ  Ｅｌｅｍｅｎｔｓ  Ｃｏｍｐｒｉｓｉｎｇ  ａ  Ｔｒａｐ  ｆｏｒ  Ｆｉｓｓｉｏn  Ｐｒｏｄｕｃｔｓ  Ｂａｓｅｄ  ｏｎ  Ｏｘｉｄｅ」）には別の手法が開示されている。この特許には、焼結したペレットを有し、このペレットが金属性の鞘部（sheath）によって囲まれ、核分裂生成物の捕捉を許容し、上記ペレットが含有される、若しくは被覆されている、または、鞘部が核分裂生成物を捕捉する試薬と共に内部被覆されていることを特徴とする核燃料要素が開示されている。上記核分裂生成物は、上記捕捉試薬と高温で安定する酸化化合物を形成することによって、補足される。
【０００９】
〔概要〕
本開示の一態様によれば、進行波核分裂反応炉における爆燃波によって放出される、揮発性の核分裂生成物を除去する処理を制御するように構成されており、多孔性核燃料体を格納するために構成された格納部と、上記格納部に接続され、上記多孔性核燃料体から揮発性の核分裂生成物の少なくとも一部を除去する処理を制御するように構成された流体制御サブアセンブリと、を備えた核分裂反応炉用燃料アセンブリが提供される。
【００１０】
本開示の一態様によれば、核分裂反応炉用燃料アセンブリにおける揮発性の核分裂生成物を除去する処理を制御するように構成されており、発熱核燃料体を格納するために構成され、上記核燃料体は、内部に揮発性の核分裂生成物を有する複数の孔を規定する格納部と、上記格納部に接続され、上記多孔性核燃料体から揮発性の核分裂生成物の少なくとも一部を除去する処理を制御し、上記核燃料体によって発生した熱の少なくとも一部を制御可能に除去する流体制御サブアセンブリと、を備えた核分裂反応炉用燃料アセンブリが提供される。
【００１１】
本開示の一態様によれば、核分裂反応炉用燃料アセンブリにおける爆燃波の存在によって放出される揮発性の核分裂生成物の除去を制御し、揮発性の核分裂生成物を有する複数の孔を規定する多孔性核燃料体を格納するために構成された格納部と、上記格納部に接続され、上記多孔性核燃料体から揮発性の核分裂生成物の少なくとも一部を除去する処理を制御するように構成された流体制御サブアセンブリと、を備えたシステムが提供される。
【００１２】
本開示の一態様によれば、核分裂反応炉用燃料アセンブリにおける爆燃波の存在によって放出される揮発性の核分裂生成物の除去を制御し、発熱核燃料体を格納するために構成され、上記核燃料体は、内部に揮発性の核分裂生成物を有する複数の相互連結した開放セル孔を規定する格納部と、上記格納部に接続され、上記多孔性核燃料体から揮発性の核分裂生成物の少なくとも一部を除去する処理を制御し、上記核燃料体によって発生した熱の少なくとも一部を制御可能に除去する流体制御サブアセンブリと、を備えたシステムが提供される。
【００１３】
本開示の一態様によれば、進行波核分裂反応炉における爆燃波によって放出される、揮発性の核分裂生成物を除去する処理を制御するように構成された核分裂反応炉用燃料アセンブリを組み立てる方法であって、多孔性核燃料体を格納する格納部を準備する工程と、流体制御サブアセンブリを上記格納部へ接続し、爆燃波に対応する複数の位置に近接する、進行波核分裂反応炉の複数の領域における流体の流れを制御することによって、進行波核分裂反応炉の爆燃波に対応する複数の位置で、上記多孔性核燃料体から揮発性の核分裂生成物の少なくとも一部を除去する処理を制御する工程と、を含む方法が提供される。
【００１４】
本開示の一態様によれば、進行波核分裂反応炉における爆燃波によって放出される、揮発性の核分裂生成物を除去する処理を制御するように構成された核分裂反応炉用燃料アセンブリを組み立てる方法であって、発熱核燃料体を格納し、上記核燃料体は、複数の相互連結した開放セル孔を規定する格納部を準備する工程と、流体制御サブアセンブリを上記格納部へ接続し、爆燃波に対応する位置に近接する、進行波核分裂反応炉の領域において流体の流れを制御することによって、進行波核分裂反応炉の爆燃波に対応する位置にて、上記多孔性核燃料体から揮発性の核分裂生成物の少なくとも一部を除去する処理を制御し、核燃料体によって生成された熱の少なくとも一部を除去する処理を制御する工程と、を含む方法が提供される。
【００１５】
本開示の一態様によれば、爆燃波に対応する複数の位置に近接する、進行波核分裂反応炉の複数の領域において流体の流れを制御することによって、進行波核分裂反応炉の爆燃波に対応する複数の位置で揮発性の核分裂生成物を除去する処理を制御する工程を含む方法が提供される。
【００１６】
本開示の一態様によれば、進行波核分裂反応炉における爆燃波によって放出される、揮発性の核分裂生成物を除去する処理を制御するように構成された流体制御サブアセンブリを操作する方法であって、揮発性の核分裂生成物を有する多孔性核燃料体を格納する格納部を使用する工程と、上記格納部に接続した流体制御サブアセンブリを使用して、爆燃波に対応する複数の位置に近接する、進行波核分裂反応炉の複数の領域において流体の流れを制御することによって、進行波核分裂反応炉の爆燃波に対応する複数の位置で上記多孔性核燃料体から揮発性の核分裂生成物の少なくとも一部を除去する処理を制御する工程と、含む方法が提供される。
【００１７】
本開示の一態様によれば、進行波核分裂反応炉における爆燃波によって放出される、揮発性の核分裂生成物を除去する処理を制御するように構成された流体制御サブアセンブリを操作する方法であって、複数の相互連結した開放セル孔を規定する、発熱核燃料体を格納する格納部を使用する工程と、上記格納部に接続した流体制御サブアセンブリを使用して、爆燃波に対応する複数の位置に近接する、進行波核分裂反応炉の複数の領域において流体の流れを制御することによって、上記核燃料体の孔から揮発性の核分裂生成物の少なくとも一部を除去する処理を制御し、かつ進行波核分裂反応炉の爆燃波に対応する複数の位置における核燃料体によって生成された熱の少なくとも一部を除去する処理を制御する工程と、を含む方法が提供される。
【００１８】
本開示の特徴の１つは、揮発性の核分裂生成物を有する多孔性核燃料体を格納するように構成された格納部の、進行波核分裂反応炉における使用について提示するものである。
【００１９】
本開示の他の特徴は、上記格納部に接続され、揮発性の核分裂生成物の少なくとも一部を除去する処理を制御するように構成された流体制御サブアセンブリの、進行波核分裂反応炉における使用について提示するものである。
【００２０】
本開示のさらに他の特徴は、上記格納部に接続され、核燃料体によって生成された熱の少なくとも一部を制御可能に除去するための流体制御サブアセンブリの、進行波核分裂反応炉における使用について提示するものである。
【００２１】
本開示のさらに他の特徴は、上記格納部に接続され、核燃料体から揮発性の核分裂生成物及び熱を選択的に除去する二重目的周回路の、進行波核分裂反応炉における使用について提示するものである。
【００２２】
上記の記載に加えて、その他の各種方法及び／またはデバイスを、本開示の教唆、例えば文章（例えば、請求項及び／または詳細な説明）及び／または図面などにおいて説明及び記載する。
【００２３】
上記の記載は要約であり、それゆえ、記載は簡潔かつ一般化された部分もあり、詳細については記載されている点もあれば、省略されている点もある。その結果、当業者であれば、この要約は例証を提供するだけのものであって、いかなる限定を加える意図がないことが理解されよう。上記の例証を提供する態様、実施形態、及び特徴に加えて、さらに別の態様、実施形態、及び特徴は、図面及び以下の詳細な説明を参照することによって自ずと理解できるはずである。
【００２４】
〔図面の簡単な説明〕
明細書は、本開示の主題を具体的に指摘し明確に請求する請求項を提示して完結するものである。その一方で、添付の図面とともに以下に記載する詳細な説明を参照することによって本開示がより良く理解されると思慮される。また、同一の符号を異なる図面において使用している場合、これは通常同様のまたは同一の構成要素を指し示すものである。
【００２５】
図１は、第１の実施形態の核分裂反応炉用燃料アセンブリ及びシステムの部分縦断面図である。この図は、相互連結した複数の開放セル孔に存在する揮発性の核分裂生成物も示している。開放セル孔は、核分裂反応炉用燃料アセンブリに配置した多孔性核燃料体により規定される。
【００２６】
図２は、相互連結した複数の開放セル孔を規定する多孔性核燃料体の部分拡大図である。なお、複数の開放セル孔は理解しやすいように誇張してある。この図は、開放セル孔に存在する揮発性の核分裂生成物も示している。
【００２７】
図２Ａは、複数の粒子を有し、該粒子間で複数のチャンネルを規定する核燃料体の部分拡大図である。なお、粒子及びチャンネルは、理解しやすいように誇張してある。この図は、チャンネルに存在する揮発性の核分裂生成物も示している。
【００２８】
図３は、第２の実施形態の核分裂反応炉用燃料アセンブリ及びシステムの部分縦断面図である。
【００２９】
図４は、第３の実施形態の核分裂反応炉用燃料アセンブリ及びシステムの部分縦断面図である。
【００３０】
図５は、第４の実施形態の核分裂反応炉用燃料アセンブリ及びシステムの部分縦断面図である。
【００３１】
図６は、封止容器（sealable vessel）に複数配された、第５の実施形態の核分裂反応炉用燃料アセンブリ及びシステムの部分縦断面図である。
【００３２】
図６Ａは、第１の実施形態としての、脆性障壁(breakable barrier)を有するダイヤフラムバルブの部分縦断面図である。
【００３３】
図６Ｂは、第２の実施形態としての、ピストン構成により脆性になった障壁を有するダイヤフラムバルブの部分縦断面図である。
【００３４】
図７は、封止容器外部に配された部分がある、複数の、第６の実施形態の核分裂反応炉用燃料アセンブリ及びシステムの部分縦断面図である。
【００３５】
図７Ａは、Ｙ字パイプ接合部によって作動可能に接続される、第１供給要素、第２供給要素、及び流体制御サブアセンブリの部分縦断面図である。
【００３６】
図７Ｂは、流体制御サブアセンブリに接続される、注入口サブアセンブリ及び排出口サブアセンブリの部分縦断面図である。
【００３７】
図７Ｃは、多孔性核燃料体に接続される注入口サブアセンブリ、及び流体制御サブアセンブリに接続される排出口サブアセンブリの部分縦断面図である。
【００３８】
図７Ｄは、多孔性核燃料体に接続される複数の注入口サブアセンブリ、注入口サブアセンブリそれぞれに接続された複数のポンプの部分縦断面図であり、流体制御サブアセンブリに接続される排出口サブアセンブリも示す。
【００３９】
図７Ｅは、第７の実施形態の核分裂反応炉用燃料アセンブリ及びシステムの部分縦断面図である。この図は、相互連結した複数の開放セル孔に存在する揮発性の核分裂生成物も示している。開放セル孔は、複数の核分裂反応炉用燃料アセンブリに配置した多孔性核燃料体により規定される。
【００４０】
図８は、第８の実施形態の核分裂反応炉用燃料アセンブリ及びシステムの部分縦断面図である。
【００４１】
図９は、第９の実施形態の核分裂反応炉用燃料アセンブリ及びシステムの平面図である。
【００４２】
図１０は、図９の１０−１０線断面図である。
【００４３】
図１１は、第１０の実施形態の核分裂反応炉用燃料アセンブリ及びシステムの部分縦断面図である。
【００４４】
図１２は、第１１の実施形態の核分裂反応炉用燃料アセンブリ及びシステムの部分縦断面図である。
【００４５】
図１３は、第１２の実施形態の核分裂反応炉用燃料アセンブリ及びシステムの平面図である。
【００４６】
図１４は、図１３の１４−１４線断面図である。
【００４７】
図１５は、第１３の実施形態の核分裂反応炉用燃料アセンブリ及びシステムの部分正面図である。
【００４８】
図１６は、図１５の１６−１６線断面図である。
【００４９】
図１７は、第１４の実施形態の核分裂反応炉用燃料アセンブリ及びシステムの平面図である。
【００５０】
図１８は、図１７の１８−１８線断面図である。
【００５１】
図１９は、第１５の実施形態の核分裂反応炉用燃料アセンブリ及びシステムの部分縦断面図である。
【００５２】
図２０は、第１６の実施形態の核分裂反応炉用燃料アセンブリ及びシステムの部分縦断面図である。
【００５３】
図２１Ａ〜２１ＣＱは、揮発性の核分裂生成物の除去、並びに進行波核分裂反応炉及びその方法における爆燃波による放熱を制御するように構成された核分裂反応炉用燃料アセンブリの組立て方法を示すフローチャートである。
【００５４】
図２２Ａは、爆燃波に対応する複数の位置で揮発性の核分裂生成物を除去する方法を示すフローチャートである。
【００５５】
図２３Ａ〜２３ＣＫは、揮発性の核分裂生成物の除去、並びに進行波核分裂反応炉及びその方法における爆燃波による放熱を制御するように構成された核分裂反応炉用燃料アセンブリを作動する方法を示すフローチャートである。
【００５６】
〔詳細な説明〕
以下の詳細な記述にて、本明細書の一部を成す添付の図面が参照されている。図面では、文脈上、他の意味に解すべき場合を除き、同様の符号が典型的に同様の構成要素を示している。詳細な記述、図面、及び請求項にて記述された例示的な実施形態は、限定的な内容を意図しているものではない。本明細書にて示されている主題の精神または範疇を逸脱せずに、他の実施形態が利用されてもよく、他の変更が成されてもよい。
【００５７】
また、本明細書では、明確な説明のために、形式上の見出しを使用している。しかしながら、その見出しは説明のためのものであることは当然であり、異なるタイプの主題が本明細書を通して記述されてもよい（例えば、デバイス／構造に関する内容が、プロセス／動作の見出しの下において記述されてもよく、及び／または、プロセス／動作に関する内容が、構造／プロセスの見出しの下において記述されてもよく、及び／または、１つの論題に関する記述が、２つ以上の論題の見出しに亘っていてもよい）。それ故、形式上の見出しの使用は、何れにせよ、限定的な内容を意図しているものではない。
【００５８】
更に、本明細書にて記述された主題は、異なる構成要素が他の異なる構成要素に含まれている、または、接続されていることを表すことがある。そのように記載された構造は単に例示的なものであることは当然であり、実際に、同様の機能を実現する多くの他の構造が実現されてもよい。概念的な意味において、同様の機能を実現させるための構成要素の構成が、所望の機能が実現されるように効果的に「関連」している。それ故、特定の機能を実現するために接続されている、本明細書における２つの構成要素は、構造や中間の構成要素に関わらず、所望の機能が実現されるように、互いに「関連している」と見なされ得る。同様に、そのように付随している何れの２つの構成要素はまた、所望の機能を実現するために、互いに「動作可能に接続」または「動作可能に接続」されていると見なされ得る。そして、そのように関連させることができる２つの構成要素はまた、所望の機能を実現するために、互いに「動作可能に接続可能」であると見なされ得る。動作可能に接続可能なものの具体的な例は、物理的に組み合わせ可能な構成要素及び／または物理的に相互作用している構成要素、及び／または、ワイヤレスに相互作用可能な構成要素及び／またはワイヤレスに相互作用している構成要素、及び／または、論理的に相互作用している構成要素及び／または論理的に相互作用可能な構成要素を含んでいるが、これらに限定されるものではない。
【００５９】
本明細書において、１つ以上の構成要素が、「…に構成されている」、「…に構成可能である」、「…に動作可能である／動作的である」、「適合されている／適合可能である」、「…することができる」、「…に構成可能である／構成されている」、等と記載される実施例がある。文脈上、他の意味に解すべき場合を除き、当業者であれば、「…に構成されている」が一般に活性状態の構成要素及び／または不活性状態の構成要素及び／または待機状態の構成要素を含み得ることを理解するであろう。
【００６０】
反応炉運転中の熱のビルドアップは、燃料アセンブリが、反応炉心構成要素のずれに至る膨張を被る要因となり得る上、核燃料被覆管のクリープにより、反応炉運転中の核燃料被覆管の破裂及び核燃料の膨張の危険性が高まり得る。これにより、核燃料に亀裂が入るか、さもなければ核燃料が分解する危険性が高まり得る。核燃料の亀裂は、核燃料被覆管の力学的相互作用のような核燃料被覆管故障機構を進行させ、核分裂ガス放出に至り得る。この核分裂ガス放出は、結果的に通常の放射レベルよりも高レベルになってしまう。
【００６１】
核分裂生成物が、核分裂プロセス中に生成され、核燃料に蓄積され得る。核分裂性ガスを含んでいる核分裂生成物は、所望ではない量の燃料アセンブリの膨張に至り得る。このような燃料アセンブリの膨張により、同様に、核燃料の分裂及び核燃料生成物の付随物の周辺環境への放出の危険性が高まり得る。安全域を反応炉デザインに組み込むこと、及び、製造時に厳密にクオリティを制御することにより、これらの危険性を最低レベルに減少させるが、幾つかの場合においては、これらの危険性を更に減少させることが適切であり得る。
【００６２】
そこで、図１を参照すると、この図には、概して１０として参照される第１の実施形態に係る核反応炉用燃料アセンブリ及びシステムが示されている。この核反応炉用燃料アセンブリ及びシステムは、ウラン２３５、ウラン２３３、若しくはプルトニウム２３９といった核分裂性核種の核分裂、または、トリウム２３２若しくはウラン２３８といった核種の高速核分裂によって熱を生成させるためのものである。燃料アセンブリ１０が核分裂プロセス中に生成された揮発性の核分裂生成物１５の除去制御が可能であることも、以下の記述から理解されるであろう。揮発性の核分裂生成物１５は、比較的小さくて除去可能である核分裂点火器１７により開始される、進行爆燃波１６によって生成される。この実施形態において、例えば、核分裂点火器１７は、限定されないが、２３３Ｕ、２３５Ｕ、２３９Ｐｕのような核分裂性物質の適度な同位体濃縮を含んでおり、燃料アセンブリ１０中の所定の位置にて適切に配置されている。中性子は、点火器１７によって放出される。点火器１７によって放出されるこの中性子は、核分裂連鎖反応を開始するために、核分裂性燃料アセンブリ１０内部の核分裂性物質及び／または核原料物質によって捕獲される。所望であれば、点火器１７は、一旦連鎖反応が自律してから、除去されてもよい。核反応炉用燃料アセンブリ１０中の爆燃波１６の制御された位置付けに対応して揮発性の核分裂生成物１５が制御されて放出され得る。本明細書に記載の燃料アセンブリに係る如何なる実施形態が、進行波核反応炉の構成要素として用いられてもよい。Ｒｏｄｅｒｉｃｋ  Ａ．Ｈｙｄｅらにより“Ａｕｔｏｍａｔｅｄ  Ｎｕｃｌｅａｒ  Ｐｏｗｅｒ  Ｒｅａｃｔｏｒ  Ｆｏｒ  Ｌｏｎｇ−Ｔｅｒｍ  Ｏｐｅｒａｔｉｏｎ”という名称にて２００６年１１月２８に出願された米国特許公開公報第１１／６０５，９４３号明細書において、このような進行波核反応炉が詳細に開示されている。この公開公報は本公開公報の本願の出願人に譲渡されており、参照することによって、この公開公報の全開示は本公開公報に組み込まれる。
【００６３】
引き続き、図１を参照すると、燃料アセンブリ１０は、その内部に多孔性核燃料体４０を密閉格納するための格納壁３０を有する格納部２０を備えている。核燃料体４０は、例えばウラン２３５、ウラン２３３、またはプルトニウム２３９のような上述の核分裂性核種を含んでいる。また、核燃料体４０は、上述の１つ以上の核分裂性核種へ核分裂プロセス中に変性する、例えばトリウム２３２及び／またはウラン２３８のような上述の核分裂性同位体に転換可能な核種を含んでいてもよい。更に、核燃料体４０は、核分裂性核種及び核分裂性同位体に転換可能な核種から成る所定の混合物を備えていてもよい。以下において更に詳細に記述されているように、核燃料体４０は、ヨウ素、臭素、セシウム、カリウム、ルビジウム、ストロンチウム、キセノン、クリプトン、バリウムの各同位体、及び、これらの組み合わせ、または、他のガス状または揮発性材料であってもよい揮発性の核分裂生成物１５を生成することができる。
【００６４】
再度、図１を参照すると、上述のように、多孔性核燃料体４０は、主に、例えばウラン、トリウム、プルトニウムのような金属、または、それらの合金を含んでいればよい。より具多的には、核燃料体４０は、一酸化ウラン（ＵＯ）、二酸化ウラン（ＵＯ２）、（酸化トリウムとも示される）二酸化トリウム（ＴｈＯ２）、三酸化ウラン（ＵＯ３）、酸化ウラン−酸化プルトニウム（ＵＯ−ＰｕＯ）、八酸化三ウラン（Ｕ３Ｏ８）、及び、これらの混合物により基本的に構成されているグループから選択された酸化物から成る多孔性材料であってもよい。また、核燃料体４０は、主に、ウラン炭化物（ＵＣｘ）またはトリウム炭化物（ＴｈＣｘ）を含んでいてもよい。例えば、核燃料体４０は、一炭化ウラン（ＵＣ）、二炭化ウラン（ＵＣ２）、三炭化二ウラン（Ｕ２Ｃ３）、二炭化トリウム（ＴｈＣ２）、炭化トリウム（ＴｈＣ）、及び、これらの混合物により基本的に構成されているグループから選択された炭化物から成る発泡材料であってもよい。炭化ウランまたは炭化トリウムは、核燃料体４０を形成するように、炭化ニオブ（ＮｂＣ）及び炭化ジルコニウム（ＺｒＣ）の母材にスパッタされてもよい。炭化ニオブ及び炭化ジルコニウムを用いることの潜在的な利点は、それらが炭化ウランまたは炭化トリウムにとっての屈折構造基板を形成する点である。他の例として、核燃料体４０は、窒化ウラン（Ｕ３Ｎ２）、窒化ウラン−窒化ジルコニウム（Ｕ３Ｎ２−Ｚｒ３Ｎ４）、ウラン−プルトニウム混合窒化物（（Ｕ−Ｐｕ）Ｎ）、窒化トリウム（ＴｈＮ）、ウラン−ジルコニウム合金（ＵＺｒ）、及び、これらの混合物により基本的に構成されているグループから選択された窒化物から成る多孔性材料であってもよい。図２及び図２Ａにて最良に見られるように、多孔性核燃料体４０は、核燃料体４０内部に空間的に分布されている複数の相互接続されている開放セル孔５０を規定してもよく、「開放セル孔」という用語は、各孔５０が１つ以上の隣接している孔５０に相互接続されていることを意味しており、それ故、例えばガスまたは液体のような流体が、孔５０の間を直接移動できる。すなわち、開放セル孔５０は、線維状の構造、ロッド状の構造、ウェブ状の構造、または、ハニカム構造を形成するように、核燃料体４０内部に配置される。また、核燃料体４０は、自身の間にある複数の間在チャンネル６５を規定する（例えば焼結されたビーズまたは圧縮された球体のような）核燃料粒子６３の収集物によって形成された多孔性核燃料材料を含んでいてもよい。また、開放セル孔５０は、発泡の特性及び多孔の特性の混合させた特性を有している核燃料材料内部に配置されてもよい。孔５０に関する以下の記述もまたチャンネル６５に適用できる。
【００６５】
再度、図２及び図２Ａを参照すると、爆燃波１６によって生成される揮発性の核分裂生成物１５は、初めに孔５０の一部または全部に存在してもよく、核燃料体４０を通って自然に蒸発しつつ拡散し得る。少なくとも幾つかの孔５０が、揮発性の核分裂生成物１５の少なくとも一部が所定の反応時間内に多孔性核燃料材料４０の孔５０を逃げるための所定の構成をしている。所定の反応時間は、約１０秒と約１，０００秒との間の時間であってもよい。また、所定の反応時間は、孔５０の所定の構成に依存して、約１秒から約１０，０００秒の間の時間あってもよい。
【００６６】
図１に戻ると、例えば加圧されたヘリウムガスといった第１の流体を含む第１の容器９０を規定する流体制御サブアセンブリ８０が、例えば第１のパイプ部分７０によって格納部２０に接続されている。また、第１の流体は、限定されないが、適切に加圧された、ネオン、アルゴン、クリプトン、キセノン、及び、これらの混合物といった不活性ガスの何れであってもよい。更に、第１の流体は、適した液体、例えば、液体鉛（ＰＢ）、液体ナトリウム（Ｎａ）、液体リチウム（Ｌｉ）、液体水銀（Ｈｇ）若しくはこれに類似する液体、または液体の混合物であればよい。以下において更に詳細に記述されているが、流体制御サブアセンブリ８０は、核燃料体４０から揮発性の核分裂生成物１５及び熱を制御可能に除去することを支援する。換言すれば、流体制御サブアセンブリ８０は、多孔性核燃料体４０を通して第１の流体を循環させることができる。このようにして、第１の流体が核燃料体４０を通して循環する間に、熱及び揮発性の核分裂生成物１５が核燃料体４０から除去される。
【００６７】
図３には、概して１００と示されている第２の実施形態に係る核反応炉用燃料アセンブリ及びシステムが示されている。この第２の実施形態に係る燃料アセンブリ１００は、熱交換器１１０が格納部２０と連結されている点を除き、第１の実施形態に係る燃料アセンブリ１０と略同様である。熱交換器１１０は、第１の流体を冷却するための第２の流体を格納可能な容器１３０を規定するシェル１２０を備えている。第１の流体は、核燃料体４０から熱及び揮発性の核分裂生成物１５を除去するために用いられる。第２の流体は、第１の流体の温度よりも低い温度になっている。２つの開放端を有する複数のＵ字形状のチューブ１３２（この内の１つしか図示されていない）が、容器１３０内に配置されている。この実施形態において、Ｕ字形状のチューブ１３２の一端は開口部１３４を備えており、Ｕ字形状のチューブ１３２の他端は他の開口部１３６を備えている。開口部１３４及び１３６は、流体制御サブアセンブリ８０の第１の容器９０を占有している第１の流体によって連通している。チューブ１３２内部に存在する第１の流体の冷却部分と多孔性核燃料体４０中の第１の流体の温かい部分との間に密度差が存在する。この温度差により、チューブ１３２内部に存在する第１の流体の冷却部分と多孔性核燃料体４０中の第１の流体の温かい部分との間に密度差が生じている。同様に、より冷たい流体部分が、より温かい流体部分よりも物理的に高く（すなわちより温かい流体部分の上方に）配置されているので、流体の上記密度差によって、より冷たい流体部分の分子がより温かい流体部分の分子と交換される。このように、より冷たい流体部分とより温かい流体部分との交換が起き、これにより、燃料アセンブリ１００及び核燃料体４０を通して第１の流体を循環させる自然対流的な流れが生じる。更に、チューブ１３２は、Ｕ字形状であり、この自然対流を向上させるために熱交換表面領域が増大している。このように、自然対流は、第１の流体のより冷たい部分とより温かい部分との間の実質的な温度差に起因して第１の流体を循環させるために必要とされている。第１の流体がチューブ１３２を通って循環するにつれて、第１の流体よりも実質的に低い温度である第２の流体が、例えばポンプ（図示なし）によって注入口ノズル１４０を通って容器１３０に進入する。続いて、第２の流体は、排出口ノズル１５０から容器１３０を退出する。第２の流体が熱交換器１１０に進入し熱交換器１１０を退出するにつれて、より低い温度の第２の流体は、複数のＵ字形状のチューブ１３２を囲むようになる。チューブ１３２中を循環している第１の流体とチューブ１３２を囲んでいる第２の流体との間において、チューブ１３２の壁を通した伝導的な熱交換が行われる。このようにして、より温かい第１の流体は、より冷たい第２の流体への熱の提供を終了する。
【００６８】
再度、図３を参照すると、この第２の実施形態に係る燃料アセンブリ１００は、第１の流体が自然対流によって循環され得るので、第１の流体を循環させるためにポンプまたはバルブを用いずに動作可能であってもよい。ポンプ及びバルブが無いことにより、第２の実施形態に係る燃料アセンブリ１００の製造コスト及びメンテナンスコストを削減しつつ、第２の実施形態に係る燃料アセンブリ１００の信頼性を向上させる。
【００６９】
引き続き、図３を参照する。所望であれば、熱交換器１１０は、蒸気発生器としての役割を担ってもよい。すなわち、熱交換器１１０内の温度及び圧力に依存して、第２の流体の一部が蒸発（第２の流体が水の場合）し、排出口ノズル１５０から流出し得る。排出口ノズル１５０から流出した蒸気は、発電技術においてよく知られている手法で蒸気から電流を生成するために、タービン発電機デバイス（図示なし）に輸送され得る。
【００７０】
図４を参照すると、第３の実施形態に係る核反応炉用燃料アセンブリ及びシステムは、概して１９０と参照されて示されている。この核反応炉用燃料アセンブリ及びシステムは、第１に、核燃料体４０から熱及び揮発性の核分裂生成物１５を除去することを意図している。この第３の実施形態に係る核反応炉用燃料アセンブリ１９０は、第２のパイプ部分２００の一端にて第１の容器９０に通じており、第２のパイプ部分２００の他端にて遠心分離式のポンプであってもよい第１のポンプ２１０の注入口に一体的に接続されている第２のパイプ部分２００を備えている。本目的に適切なこのようなポンプは、例えば、スイスのウィンタートゥールに所在するＳｕｌｚｅｒ  Ｐｕｍｐｓ，Ｌｔｄ社製のタイプのものを利用してもよい。第１のポンプ２１０の排出口は、今度は核燃料体４０に通じている第３のパイプ部分２２０に接続されている。更に、熱交換器１１０は、第３のパイプ部分２２０を通って流れる流体から熱を除去するために、第３のパイプ部分２２０に接続されていてもよい。
【００７１】
引き続き、図４を参照すると、核燃料体４０から熱を除去するために、第１のポンプ２１０が活性化される。第１のポンプ２１０は、第２のパイプ部分２００から、すなわち流体制御サブアセンブリ８０によって規定されている第１の容器９０から、例えば上述のヘリウムガスのような流体を引き出す。第１のポンプ２１０は、第３のパイプ部分２２０を通して流体を送り込む。第３のパイプ部分２２０を通って流れる流体は、核燃料体４０によって規定される複数の（または多数の）開放セル孔５０によって受容される。開放セル孔５０を通って流れる流体は、核燃料体４０によって生成される熱を得る。流体が第１のポンプ２１０によって開放セル孔５０を通して送り込むにつれて、強制対流的熱変換により熱が得られる。第１のポンプ２１０が作動するにつれて、核燃料体４０を通って流れつつ対流的熱変換を経験する流体は、ポンプ２１０のポンピング動作に起因して、第１のパイプ部分７０から第２のパイプ部分２００を通して第１の容器９０に、そして、第３のパイプ部分２２０に引き出され、熱が熱交換器１１０によって除去される。また、流体が核燃料体４０及び第１の容器９０との間を循環する間、核燃料体４０由来の揮発性の核分裂生成物１５は、第１の容器９０内部に捕捉されつつ保持され、その結果、核燃料体４０に存在する核分裂生成物１５を除去または少なくとも減量し得る。この実施形態において、第１の容器９０は、核分裂生成物除去用の流体が容器９０に進入するにつれて核分裂生成物１５を保有する核分裂生成物捕捉材料２２５に覆われていてもよい。核分裂生成物捕捉材料は、キセノン（Ｘｅ）及びクリプトン（Ｋｒ）を除去するためには、限定的に、亜鉛化銀（ＡｇＺ）であってもよく、または、核分裂生成物捕捉材料は、セシウム（Ｃｓ）、ルビジウム（Ｒｂ）、ヨウ素（Ｉ２）、テルル（Ｔｅ）の各放射性同位体及びこれらの混合物を除去するためには、限定的ではないが、二酸化シリコン（ＳｉＯ２）または二酸化チタン（ＴｉＯ２）の金属酸化物であってもよい。この第３の実施形態に係る燃料アセンブリ１９０を用いることの有用性は、第１の流体を循環させるために、ポンプ２１０のみが必要であることである。バルブは不要である。バルブが無いことにより、第３の実施形態に係る燃料アセンブリ１９０の製造コスト及びメンテナンスコストを削減しつつ、第３の実施形態に係る燃料アセンブリ１９０の信頼性を向上させる。
【００７２】
図５を参照すると、第４の実施形態に係る核反応炉用燃料アセンブリ及びシステムは、概して２３０として参照されており、核燃料体４０から熱だけではなく上述の揮発性の核分裂生成物１５を除去することを更に向上させることができる。第４の実施形態に係る核反応炉用燃料アセンブリ２３０は、熱及び揮発性の核分裂生成物１５の除去を向上させるための手段が追加された点を除いては、第３の実施形態に係る核反応炉用燃料アセンブリ１９０と略同様である。この実施形態において、第４のパイプ部分２４０は、第１の容器９０に通じている一端、及び、第２のポンプ２５０の取注入口に一体的に接続されている他端を備えている。第２のポンプ２５０の排出口は、第６のパイプ部分２６０に一体的に接続されている。第６のパイプ部分２６０は、今度は第１の核分裂生成物貯蔵部または保有タンク２８０によって規定される第２の容器２７０に通じている。第４の実施形態に係る燃料アセンブリ２３０の作動中、ポンプ２１０は、第１の流体を、第１の容器９０から、第２のパイプ部分２００を通し、第３のパイプ部分２２０を通し、核燃料体４０を通し、第１のパイプ部分７０を通し、第１の容器９０に戻すようにポンプする。第１の流体が第３のパイプ部分２２０を通って流れるにつれて、当該流体は熱交換器１１０中の第２の流体に熱を渡す。第１のポンプ２１０は、所定の時間が経過した後に動作を停止してもよい。そして、第２のポンプ２５０は、核分裂生成物１５の間に混入する第１の流体を含んでいる核分裂生成物１５を、第４のパイプ部分２４０を通し、第５のパイプ部分を通し、第１の核分裂生成物貯蔵部または保有タンク２８０によって規定される第２の容器２７０に引き出すように作動されてもよい。このようにして、揮発性の核分裂生成物１５は、核燃料体４０から除去され、続いて、後続するオフサイト廃棄のために第１の核分裂生成物貯蔵部または保有タンク２８０に保有されるか、または、所望であれば、貯蔵部または保有タンク２８０中の核分裂生成物１５は、その場に残留してもよい。この第４の実施形態に係る燃料アセンブリ２３０は、ポンプ２１０／２５０のみが必要である。バルブは不要である。バルブが無いことにより、第４の実施形態に係る燃料アセンブリ２３０の製造コスト及びメンテナンスコストを削減しつつ、第３の実施形態に係る燃料アセンブリ２３０の信頼性を向上させる。第４の実施形態に係る燃料アセンブリ２３０の他の有用性は、揮発性の核分裂生成物１５が第２の容器２７０において分離されており、後続するオフサイト廃棄のために除去され得るか、または、その場に残留し得る点である。
【００７３】
図６を参照すると、第５の実施形態に係る核反応炉用燃料アセンブリ及びシステムは、概して２９０として参照されて示されている。この実施形態において、第５の実施形態に係る核反応炉用燃料アセンブリ２９０が複数存在してもよい（その内の３つのみが図示されている）。例えば圧力容器または格納容器のような封入可能な容器３１０は、放射性の粒子、ガス、または液体が、燃料アセンブリ２９０から周辺環境に漏出することを防止するために、核反応炉用燃料アセンブリを囲んでいる。容器３１０は、そのような放射性物質が漏出するリスクを減少させるために、及び、必要な圧力負荷を支援するために適切なサイズ及び厚さである鉄、コンクリート、または、他の材料により形成されていてもよい。１つの容器３１０のみが示されているが、放射性の粒子、ガス、または液体の核反応炉用燃料アセンブリからの漏出が防止されることを追加で補償するために、一方が他方を包含するように、容器３１０を囲む追加的な格納容器が存在していてもよい。容器３１０は、第５の実施形態に係る核反応炉用燃料アセンブリ２９０が配置されている、容器３１０内のウェル３２０を規定している。第５の実施形態に係る核反応炉用燃料アセンブリ２９０は、熱のビルドアップ及び揮発性の核分裂生成物１５の制御された除去が可能であり、より詳しく以下に記述されている。
【００７４】
再度、図６を参照すると、燃料アセンブリ２９０は、一般に３３０と示されている、小型であり、複合型であり、閉ループである、熱除去及び揮発性の核分裂生成物除去のための二重目的周回路を備えている。二重目的周回路３３０は、熱及び揮発性の核分裂生成物１５を核燃料体４０から選択的に除去可能である。この実施形態において、回路３３０は、最初に揮発性の核分裂生成物１５を除去するために作動されて、続いて熱が除去されてもよく、またはその逆も然りである。このように、回路３３０は、熱及び核分裂生成物１５を連続的に除去可能である。
【００７５】
更に、図６を参照すると、二重目的周回路３３０は、供給流体を含んでいる第１の容器９０を規定する上述の流体制御サブアセンブリ８０を備えている。第１のパイプ部分７０は、第１のパイプ部分７０の一端にて核燃料体４０に通じており、第１のパイプ部分７０の他端にて遠心分離式のポンプであってもよい第３のポンプ３４０の注入口に一体的に接続されている。第３のポンプ３４０の排出口は、今度は第１の容器９０に通じている第６のパイプ部分３５０に接続されている。第２のパイプ部分２００は、第２のパイプ部分２００の一端にて第１の容器９０に通じており、第２のパイプ部分２００の他端にて第１のポンプ２１０の注入口に一体的に接続されている。単独で作動しているポンプ３４０及びポンプ２１０の何れかが、二重目的周回路３３０において最高速度ではないが十分な速度にて流体を循環させることができるように、ポンプ３４０及び２１０は選択されてもよい。すなわち、たとえポンプ３４０またはポンプ２１０が存在しない、電源が切れている、さもなければ機能していないとしても、二重目的周回路は、二重目的周回路３３０を通した流体の循環の可能性を保有したままであろう。熱交換器３５５が、流体が二重目的周回路３３０を通って循環するにつれて流体から熱を除去するために、第７のパイプ部分３６０と格納部２０との間の第３のパイプ部分２２０において配置されている。熱交換器３５５は、構成上、熱交換器１１０と略同様であってもよい。第２の揮発性の核分裂生成物貯蔵部または保有タンク３７０が、例えば第７のパイプ部分３６０のようなパイプ部分７０／２００／２２０／３５０の何れか１つに接続されている。第２の貯蔵部または保有タンク３７０は、揮発性の核分裂生成物１５を保有しつつ分離させるための第３の容器３８０を規定している。第２の貯蔵部または保有タンク３７０は、第７のパイプ部分３６０を介して第３のパイプ部分２２０に接続されている。モータ作動式の第１の逆流防止バルブ３９０が、揮発性の核分裂生成物１５を第３の容器３８０に流れさせるために、そして揮発性の核分裂生成物１５を第３の容器３８０から逆流させないために、第７のパイプ部分３６０に動作可能なように接続されている。モータ作動式の第１の逆流防止バルブ３９０は、モータ作動式の第１の逆流防止バルブ３９０に電気的に接続されている制御装置または制御ユニット４００の動作によって動作可能であってもよい。また、バルブ３９０は、モータ作動式である必要はないが、他の適切な手段によって作動されてもよい。本目的に適切なこのような逆流防止バルブは、例えば、スイスのバールに所在するＥｍｅｒｓｏｎ  Ｐｒｏｃｅｓｓ  Ｍａｎｕｆａｃｔｕｒｅ，Ｌｔｄ社製のものを利用してもよい。より詳しく以下に記述されているように、核燃料体４０によって生成された揮発性の核分裂生成物１５は、揮発性の核分裂生成物１５を分離するために、第３の容器３８０内部に捕捉されつつ保有される。
【００７６】
引き続き、図６を参照すると、モータ作動式の第２の逆流防止バルブ４１０が、第３のパイプ部分２２０に動作可能なように接続されており、第１の逆流防止バルブ３９０と格納部２０との間に配置されている。第２の逆流防止バルブ４１０によって、流体は格納部２０に流れ込めるが、格納部２０から第３のパイプ部分２２０に逆流することはできない。モータ作動式の第２の逆流防止バルブ４１０は、モータ作動式の第２の逆流防止バルブ４１０に電気的に接続されている制御装置または制御ユニット４００の動作によって動作可能であってもよい。このように、第１のパイプ部分７０、第３のポンプ３４０、第６のパイプ部分３５０、熱交換器３５５、流体制御サブアセンブリ８０、第２のパイプ部分２００、第１のポンプ２１０、第３のパイプ部分２２０、第７のパイプ部分３６０、第２の核分裂生成物貯蔵部または保有タンク３７０、第１の逆流防止バルブ３９０、第２の逆流防止バルブ４１０、制御ユニット４００、及び核燃料体４０が、共に二重目的周回路３３０を規定している。より詳しくここに記述されているように、二重目的周回路３３０は、熱及び揮発性の核分裂生成物１５が連続的にまたは同時に核燃料体４０から選択的に除去されるように、核燃料体４０の開放セル孔５０を通して流体を循環させることができる。この第５の実施形態に係る核反応炉用燃料アセンブリ２９０の有用性は、二重目的周回路３３０が、ポンプ２１０／３４０、バルブ３９０／４１０、及び制御ユニット４００の制御された動きによって揮発性の核分裂生成物１５及び熱を連続的に選択的に除去し得る点であると、本明細書の記述から理解されるであろう。
【００７７】
再度、図６を参照すると、複数のセンサまたは中性子束検出器４１２（その内の１つのみが図示されている）が、核燃料体４０の様々な動作特性を検出するために、核燃料体４０中に配置されていてもよい。説明のためであって、これに限定するためではないが、検出器４１２は、核燃料体４０中の中性子数レベル、電力レベル、及び／または爆燃波１６の位置に関する動作特性を検出するために適合されてもよい。検出器４１２は、検出器４１２の動作を制御する制御ユニット４００に接続されている。また、複数の核分裂生成物圧力検出器４１３（その内の１つのみが図示されている）が、核燃料体４０における核分裂生成物の圧力レベルを検出するために、核燃料体４０中に配置されていてもよい。更に、制御ユニット４００は、核反応炉用燃料アセンブリ２９０が、連続的に、または、周期的に作動される時間に従って、及び／または、核反応炉用燃料アセンブリ２９０に関連した任意の工程に従って揮発性の核分裂生成物１５及び熱の放出を制御するために、バルブ３９０及び４１０を作動させることができる。制御ユニット４００として使用するために適切な制御装置は、例えば、米国・イリノイ州のエルムハーストに所在するＳｔｏｌｌｅｙ  ａｎｄ  Ｏｒｌｅｂｅｋｅ，Ｉｎｃｏｒｐｏｒａｔｅｄ社製のものを利用してもよい。更に、本目的のために適切な中性子束検出器は、米国・マサチューセッツ州のウォルサムに所在するＴｈｅｒｍｏ  Ｆｉｓｈｅｒ  Ｓｃｉｅｎｔｉｆｉｃ，Ｉｎｃｏｒｐｏｒａｔｅｄ社製のものを利用してもよい。また、適切な圧力検出器は、米国・コロラド州のコロラドスプリングスに所在するＫａｍａｎ  Ｍｅａｓｕｒｉｎｇ  Ｓｙｓｔｅｍｓ，Ｉｎｃｏｒｐｏｒａｔｅｄ社製のものを利用してもよい。
【００７８】
図６Ａ及び図６Ｂに示されているように、所望であれば、一般に４１４ａと示されている、中空バルブ本体４１５を有している第１の態様のダイヤフラムバルブが、バルブ３９０及び／または４１０の代替バルブであってもよい。また、示されているように、上述の逆流防止バルブ３９０または４１０が、第１の態様のダイヤフラムバルブ４１４ａと組み合わせて用いられてもよい。薄いエラストマーまたは断面が薄い金属であってもよい複数の壊れやすい障壁または薄膜４１６が、中空バルブ本体４１５内部に配置されている。薄膜４１６は、所定のシステム圧力が掛かる際に壊れる、または、破れる。各薄膜４１６は、それぞれに対応する、複数の補助物４１７の内の補助物４１７に、例えば締め具４１８によって備え付けられている。補助物４１７は、バルブ本体４１５に一体的に接続されている。また、バルブ３９０及び４１０の何れかは、一般に４１９と示されているピストンの配列により壊れてしまう壊れやすい障壁または薄膜４１６を有している、一般に４１４ｂと示されている第２の態様のダイヤフラムバルブであってもよい。示されているように、第２の態様のダイヤフラムバルブ４１４ｂは、逆流防止バルブ３９０または４１０と組み合わせて用いられてもよい。ピストンの配列４１９は、薄膜４１６を壊すために移動可能なピストン４１９ａを有している。各ピストン４１９ａは、モータ４１９ｂによって移動可能である。モータ４１９ｂは、制御ユニット４００がモータ４１９ｂを制御するように、制御ユニット４００に接続されている。このように、動作者が制御ユニット４００を作動するので、各ピストン４１９ａは、動作者の動作によって薄膜４１６を壊すために移動可能である。バルブ４１４ｂは、米国・ペンシルバニア州のエリーに所在するＳｏｌｅｎｏｉｄ  Ｓｏｌｕｔｉｏｎｓ，Ｉｎｃｏｒｐｏｒａｔｅｄ社製のものを利用した、特注したバルブであってもよい。しかしながら、所望であれば、バルブ４１４ａ及び４１４ｂは、ダイヤフラムバルブよりむしろチェックバルブであってもよい。
【００７９】
図６に戻り、核燃料体４０から揮発性の核分裂生成物１５を除去するための二重目的周回路３３０の動作がここに記述されている。上述ように、回路３３０は、核燃料体４０から熱及び揮発性の核分裂生成物１５を連続的に選択的に除去するために作動し得る。核燃料体４０から揮発性の核分裂生成物１５を除去するために、例えばバルブ３９０／４１０が電気的に接続されている制御ユニット４００の動作によって、第１のバルブ３９０が開放されつつ第２のバルブ４１０が閉じられる。上述のように、揮発性の核分裂生成物１５は、核燃料体４０において爆燃波１６によって生成され、開放セル孔５０に存在する。第３のポンプ３４０は、例えば制御ユニット４００によって選択的に動作可能であり、開放セル孔５０によって獲得される核分裂生成物１５は、第１のパイプ部分７０から、第６のパイプ部分３５０に、そして第１の容器９０に引き出される。そして、第１のポンプ２１０は、第１の容器９０から第２のパイプ部分２００を通して核分裂生成物１５を引き出す。第１のポンプ２１０は、核燃料生成物１５を第２のパイプ部分２００から第３のパイプ部分２２０を通して送り出す。第１のバルブ３９０が開放されつつ第２のバルブ４１０が閉じられているので、第３のパイプ部分２２０に沿って流れている核分裂生成物１５は、第２の核分裂生成物貯蔵部または保有タンク３７０に逸らされる。所望であれば、核燃料体４０からの核分裂生成物１５の除去を再開するために、所定の時間の後に第１のバルブ３９０が閉じられつつ第２のバルブ４１０が開放される。
【００８０】
核燃料体４０から熱を除去するための回路３３０の動作が、引き続き図６を参照しながらここに記述されている。核燃料体４０から熱を除去するために、例えば制御ユニット４００の動作によって、第１のバルブ３９０が閉じられつつ第２のバルブ４１０が開放される。第１のポンプ２１０及び第３のポンプ３４０は、これもまた制御ユニット４００の動作によって活性化される。第１のポンプ２１０は、例えば上述のヘリウムガスのような流体を、第１のパイプ部分２００を通し、流体制御サブアセンブリ８０によって規定される第１の容器９０から引き出す。第１のポンプ２１０は、第３のパイプ部分２２０を通して流体を送り出す。上述の熱交換器３５５は、流体によって伝播される熱を除去するために、第３のパイプ部分２２０を通って流れている流体と熱交換している。第３のパイプ部分２２０を通って流れている流体は、第１のバルブ３９０が閉じられているので、第２の核分裂生成物貯蔵部または保有タンク３７０に逸らされない。第３のパイプ部分２２０を通って流れている流体は、多孔性核燃料体４０によって規定される複数の（または多数の）開放セル孔５０によって受容される。開放セル孔５０によって受容された流体は、核燃料体４０により生成された熱を得る。流体が開放セル孔５０を通って流れるにつれて、連続的な熱交換によって熱が得られる。核燃料体４０内部にて連続的な熱交換が発生するにつれて、例えば制御ユニット４００によって第３のポンプ３４０が作動される。第３のポンプ３４０が作動されるにつれて、核燃料体４０に存在し連続的な熱交換済みの流体は、第１のパイプ部分７０から第１の容器９０に引き出される。第５の実施形態に係る核反応炉用燃料アセンブリ２９０を用いる有用性は、小型の二重目的周回路３３０が連続的に選択的に揮発性の核分裂生成物１５を除去し、そして熱を除去し得る点であり、または、その逆も然り。この結果は、制御ユニット４００によってだけではなく熱交換器３５５によってもまた制御されたポンプ２１０／３４０及びバルブ３９０／４１０の動作によって成し遂げられる。
【００８１】
図７を参照すると、第６の実施形態に係る核反応炉用燃料アセンブリ及びシステムは、概して４２０として参照して、示されている。以下の構成要素、第１のパイプ部分７０、第３のポンプ３４０、第６のパイプ部分３５０、流体制御サブアセンブリ８０、第２のパイプ部分２００、第１のポンプ２１０、第３のパイプ部分２２０、第１のバルブ３９０、熱交換器３５５、第７のパイプ部分３６０、第２の核分裂生成物貯蔵部または保有タンク３７０、第２のバルブ４１０、及び、制御ユニット４００が容器３１０に対して実質的に外部に配置されている点を除き、第６の実施形態に係る燃料アセンブリ４２０は、第５の実施形態に係る燃料アセンブリ２９０と略同様である。幾つかの場合においては、これらの構成要素を容器３１０に対して外部に配置することにより、メンテナンスの実行中に容器３１０内部にてメンテナンス装置及び反応炉担当者を放射性レベルに被爆させることなく、より簡単にメンテナンスするために、これらの構成要素がより容易にアクセス可能になり得る。
【００８２】
図７Ａに見られるように、第１の流体供給貯蔵部または第１の要素４２２、第２の流体供給貯蔵部または第２の要素４２３、及び、流体制御サブアセンブリ８０は、Ｙ字形状のパイプ接合部４２４によって互いに動作可能に接続されている。第１の流体供給要素４２２は、流体制御サブアセンブリ８０が核燃料体４０の開放セル孔５０を通して核分裂生成物除去用の流体を循環させられるように、核分裂生成物除去用の流体を流体制御サブアセンブリ８０に供給可能である。このようにして、流体制御サブアセンブリ８０が孔５０を通して核分裂生成物除去用の流体を循環させる間、核燃料体４０の孔５０に格納された揮発性の核分裂生成物１５の少なくとも一部が孔５０から除去される。更に、第２の流体供給要素４２３は、流体制御サブアセンブリ８０が核燃料体４０の孔を通して熱除去用の流体を循環させられるように、熱除去用の流体を流体制御サブアセンブリ８０に供給可能である。このようにして、流体制御サブアセンブリ８０が核燃料体４０を通して熱除去用の流体を循環させる間、核燃料体４０によって生成された熱の少なくとも一部が核燃料体４０から除去される。核燃料生成物除去用流体は、限定的に、水素（Ｈ２）、ヘリウム（Ｈｅ）、二酸化炭素（ＣＯ２）、及び／または、メタン（ＣＨ４）であってもよい。熱除去用の流体は、限定的ではないが、水素（Ｈ２）、ヘリウム（Ｈｅ）、二酸化炭素（ＣＯ２）、ナトリウム（Ｎａ）、鉛（Ｐｂ）、ナトリウムカリウム（ＮａＫ）、リチウム（Ｌｉ）、「軽」水（Ｈ２Ｏ）、鉛−ビスマスの合金（Ｐｂ−Ｂｉ）、及び／または、鉄−リチウム−ベリリウム（ＦＬｉＢｅ）であってもよい。第１の要素４２２及び第２の要素４２３は、構成上、略同一であってもよい。１対の逆流防止バルブ（図示なし）が、核分裂生成物除去用の流体及び熱除去用の流体の、容器９０から第１の要素４２２または第２の要素４２３への逆の流れではなく、容器９０への流れを制御するために、要素４２２／４２３のそれぞれに一体的に接続されていてもよい。このようにして、第１の要素４２２及び第２の要素４２３は、核分裂生成物除去用の流体及び熱除去用の流体を流体制御サブアセンブリ８０にそれぞれ供給可能である。換言すれば、第１の要素４２２及び第２の要素４２３は、核分裂生成物除去用の流体及び熱除去用の流体を流体制御サブアセンブリ８０にそれぞれ連続供給可能である。更に、１対のポンプ（図示なし）が、核分裂生成物除去用の流体及び熱除去用の流体を流体制御サブアセンブリ８０に送り込むために、第１の要素４２２及び第２の要素４２３のそれぞれに接続されている。
【００８３】
図７Ｂを参照すると、流体制御サブアセンブリは、核分裂生成物除去用の流体を流体制御サブアセンブリ８０に供給するために、注入口サブアセンブリ４２６を代替的に備えていてもよい。核分裂生成物除去用の流体の注入口サブアセンブリ４２６から容器９０への流れを制御するために、バルブ４２６’が注入口サブアセンブリ４２６と流体制御サブアセンブリ８０との間に配置されていてもよい。容器９０に通じており核燃料体４０に接続されている第４のポンプ３４０’は、その後、核分裂生成物除去用の流体を多孔性核燃料体４０に送り込んでもよい。また、排出口サブアセンブリ４２７が、核分裂生成物除去用の流体を多孔性核燃料体４０から除去するために備えられている。この実施形態において、第３のポンプ３４０が、核分裂生成物除去用の流体を核燃料体４０から流体制御サブアセンブリ８０に引き出すために作動される。その後、核分裂生成物除去用の流体は排出口サブアセンブリ４２７に流れ込む。他のバルブ４２７’が、核分裂生成物除去用の流体の排出口サブアセンブリ４２７への流れを制御するために、排出口サブアセンブリ４２７と流体制御サブアセンブリ８０との間に配置されてもよい。動作中、バルブ４２７’が閉じられつつバルブ４２６’が開放されている場合、注入口サブアセンブリ４２６中の核分裂生成物除去用の流体が、ポンプ３４０’によって容器９０に、続いて核燃料体４０に引き込まれる。核分裂生成物除去用の流体が注入口サブアセンブリ４２６から略排出され切った後、ポンプ３４０’は動作を停止させられる。続いてバルブ４２６’が閉じられつつバルブ４２７’が開放される。続いてポンプ３４０が、核分裂生成物除去用の流体を核燃料体４０から容器９０に引き込むために作動される。核分裂生成物除去用の流体は、その後、排出口サブアセンブリ４２７に移動する。所望であれば、熱交換器３５が、流体から熱を除去するために、流体制御サブアセンブリ８０と排出口サブアセンブリ４２７との間に配置されていてもよい。
【００８４】
図７Ｃを参照すると、流体制御サブアセンブリは、格納部２０に接続されている注入口サブアセンブリ４２６を代替的に備えていてもよい。オプショナルポンプ３４０ａは、核分裂生成物除去用の流体を、注入口サブアセンブリ４２６からパイプ４２６’及びパイプ７０ａを通して核燃料体４０に送り込む。核分裂生成物除去用の流体は、たとえば他のオプショナルポンプ３４０ｂによってパイプ７０ｂを通して核燃料体４０から引き出され、続いて流体制御サブアセンブリ８０に流れ込む。核分裂生成物除去用の流体は、核分裂生成物除去用の流体がパイプ４２７’を通って排出口サブアセンブリ４２７に流れるように、オプショナルポンプ３４０ｃによってそこから送り出される。所望であれば、ポンプ３４０ａ、３４０ｂ、及び３４０ｃの幾つかまたは全部が省略されてもよい。所望であれば、熱交換器３５５が、核分裂生成物除去用の流体から熱を除去するために、流体制御サブアセンブリ８０と排出口サブアセンブリ４２７との間に配置されていてもよい。
【００８５】
図７Ｄを参照すると、流体制御サブアセンブリ８０は、核分裂生成物除去用の流体を多孔性核燃料体４０から受入れるために、複数の排出口サブアセンブリ４２８ａ／４２８ｂ／４２８ｃを代替的に備えていてもよく、複数の排出口サブアセンブリ４２８ａ／４２８ｂ／４２８ｃにそれぞれ接続されている複数のポンプ４２９ａ／４２９ｂ／４２９ｃを更に備えていてもよい。ポンプ４２９ａ／４２９ｂ／４２９ｃは、核分裂生成物除去用の流体をパイプ７０ａ／７０ｂ／７０ｃに沿って複数の排出口サブアセンブリ４２８ａ／４２８ｂ／４２８ｃのそれぞれに送り出すように構成されている。核分裂生成物除去用の流体は、ポンプ７１’のポンピング動作に起因してパイプ７１を通って流体制御サブアセンブリ８０に流れ込む。核分裂生成物除去用の流体は、ポンプ４２９ｄのポンプ作用に起因して、そこからパイプ４２７’を通って貯蔵部４２７に流れ込む。所望であれば、ポンプ４２９ａ、４２９ｂ、４２９ｃ、４２９ｄ、及び７１’の幾つかまたは全部が省略されてもよい。所望であれば、熱交換器３５５が、流体から熱を除去するために、流体制御サブアセンブリ８０と排出口サブアセンブリ４２７との間に配置されていてもよい。
【００８６】
図７Ｅを参照すると、概して４３０と参照される、核分裂性核種に起因して熱を生成するための第７の実施形態に係る核反応炉用燃料アセンブリ及びシステムが示されている。この第７の実施形態に係る核反応炉用燃料アセンブリ及びシステムは、複数の格納部２０ａ、２０ｂ、及び２０ｃが存在している点を除き、第１の実施形態に係る核反応炉用燃料アセンブリ及びシステム１０と略同様である。格納部２０ａ、２０ｂ、及び２０ｃの各々は、複数のパイプ部分７２ａ、７２ｂ、及び７２ｃのそれぞれによって流体制御サブアセンブリ８０に接続されている。第７の実施形態に係る核反応炉用燃料アセンブリ及びシステム４３０は、他の点において、第１の実施形態に係る核反応炉用燃料アセンブリ及びシステム１０と同様に作動する。
【００８７】
図８を参照すると、概して４３８として参照して、第８の実施形態に係る核反応炉用燃料アセンブリ及びシステムが示されている。この第８の実施形態に係る核反応炉用燃料アセンブリ４３８は、二重目的周回路３３０が、一般に４４０と示されている核分裂生成物用流路と、一般に４５０と示されている分離した熱除去用流路とに置き換えられている点において、第５の実施形態に係る核反応炉用燃料アセンブリ２９０及び第６の実施形態に係る核反応炉用燃料アセンブリ４２０とは異なっている。熱除去用流路４５０の目的は、核燃料体４０から熱を除去することである。核分裂生成物用流路４４０の目的は、核燃料体４０から揮発性の核分裂生成物１５を分離して除去することである。熱除去用流路４５０は、第１の容器９０を規定する上述の流体制御サブアセンブリ８０を備えている。第１の容器９０は、熱を除去するために用いられる、例えばヘリウムガスのような流体を含んでいる。第１のパイプ部分７０は、第１のパイプ部分７０の一端にて核燃料体４０に通じており、第１のパイプ部分７０の他端にて第３のポンプ３４０の注入口に一体的に接続されている。第３のポンプ３４０の排出口は、今度は第１の容器９０に通じている第６のパイプ部分３５０に接続されている。第２のパイプ部分２００は、第２のパイプ部分２００の一端にて第１の容器９０に通じており、第２のパイプ部分２００の他端にて第１のポンプ２１０の注入口に一体的に接続されている。第１のポンプ２１０の排出口は、今度は核燃料体４０に通じている第３のパイプ部分２２０に接続されている。熱交換器３５５は、流体から熱を除去するために、第３のパイプ部分２２０に接続されている。このようにして、第１のパイプ部分７０、第３のポンプ３４０、第６のパイプ部分３５０、流体制御サブアセンブリ８０、第２のパイプ部分２００、第１のポンプ２１０、第３のパイプ部分２２０、核燃料体４０自身、及び、熱交換器３５５が、熱除去用流路４５０を共に規定する。より詳しく以下に記述されているように、熱除去用流路４５０は、熱交換器３５５及び核燃料体４０の開放セル孔５０を通して熱除去用の流体を循環させることができる。
【００８８】
引き続き、図８を参照すると、核分裂生成物用流路４４０は、核燃料体４０に通じている一端を有している第１のフローパイプ４６０を備えている。第１のフローパイプ４６０の他端は、遠心分離式のポンプであってもよい第５のポンプ４７０の注入口に接続されている。第５のポンプ４７０の排出口は、第２の流れパイプ４８０に接続されている。第２の流れパイプ４８０は、第３の核分裂生成物貯蔵部または保有タンク５００によって規定される第４の容器４９０に通じている。より詳しく以下に記述されているように、核分裂生成物用流路４４０は、核燃料体４０から核分裂生成物１５を分離して除去することができる。
【００８９】
核燃料体４０から熱を除去するための熱除去用流路４５０の動作が、再度図８を参照しながらここに記述されている。この実施形態において、核燃料体４０から熱を除去するために、第１のポンプ２１０及び第３のポンプ３４０が、例えば制御ユニット４００によって活性化される。第１のポンプ２１０は、例えば上述のヘリウムガスのような熱除去用の流体を、第１のパイプ部分２００を通し、流体制御サブアセンブリ８０によって規定される第１の容器９０から引き出す。第１のポンプ２１０は、第３のパイプ部分２２０を通して流体を送り出す。第３のパイプ部分２２０を通って流れている流体は、核燃料体４０によって規定される複数の（または多数の）開放セル孔５０によって受容される。開放セル孔５０によって受容された流体は、核燃料体４０によって生成された熱を得る。流体が開放セル孔５０を通って流れるにつれて、連続的な熱交換によって熱が得られる。核燃料体４０内部にて連続的な熱交換が発生するにつれて、例えば制御ユニット４００によって第３のポンプ３４０が作動される。第３のポンプ３４０が作動されるにつれて、核燃料体４０において連続的な熱交換を経験している流体は、第３のポンプ３４０によって第１のパイプ部分７０から引き出され、続いて第３のポンプ３４０によって第１の容器９０に送り込まれる。第１のポンプ２１０、第３のポンプ３４０、及び第４のポンプ４７０は、制御ユニット４００によってそれぞれ選択的に作動可能である。第３のパイプ部分２２０中を流れる流体に熱交換接続されている上述の熱交換器３５５は、流体から熱を除去する。熱除去用流路４５０が、ポンプ３４０を単独で備えるように、ポンプ２１０を単独で備えるように、または、ポンプ３４０と２１０とを共に備えるように、ポンプ３４０及び２１０は選択される。換言すれば、ポンプ３４０及び２１０を同時に作動させることよって、最大速度にて熱を除去できる。また、ポンプ３４０及び２１０の何れかが、機能していない、または、利用可能ではないとしても、ポンプ３４０または２１０を単独で作動させることによって、最高速度ではないが十分な速度にて熱除去用の流体を引き出すことができる。
【００９０】
再度、図８を参照すると、核燃料体４０から揮発性の核分裂生成物１５を分離して除去するための第２の流路４４０の動作が、ここに記述されている。この実施形態において、熱除去用流路４５０は、例えばポンプ２１０／３４０を不活性にすることによって動作が停止される。続いて、第５のポンプ４７０が作動されるにつれて、揮発性の核分裂生成物１５が第１のフローパイプ４６０から引き込まれ、続いて第２のフローパイプ４８０に送り込まれる。揮発性の核分裂生成物１５が第２のフローパイプ４８０を通って送り込まれるにつれて、流体が第３の核分裂生成物貯蔵部または保有タンク５００によって規定される第４の容器４９０に進入する。このようにして、揮発性の核分裂生成物１５は、核燃料体４０から除去され、続いて、後続するオフサイト廃棄のために第１の核分裂生成物貯蔵部または保有タンク５００中に保有されるか、または、所望であれば、貯蔵部または保有タンク５００中の核分裂生成物１５は、その場に残留してもよい。所望のように、核分裂生成物用流路４４０及び熱除去用流路４５０は、同時に、または、連続的に作動されてもよい。更に、上述の内容より、揮発性の核分裂生成物１５は、揮発性の核分裂生成物１５が揮発するという元々の性質に起因する気化により、開放セル孔５０から自身を除去しつつ、第５のポンプ４７０の支援なく容器９０に移動してもよい。従って、核分裂生成物用流路４４０には、ポンプ４７０が備えられていてもよく、または、備えられていなくてもよい。核分裂生成物用流路４４０は、更に第４の容器４９０を分離させるために、流路４４０に配置されつつ制御ユニット４００に動作的に接続されている１つ以上の制御可能なシャットオフバルブ（図示なし）または逆流防止バルブ（図示なし）を利用してもよい。
【００９１】
図９及び図１０を参照すると、第９の実施形態の核反応炉用燃料アセンブリ及びシステム５１０が示されている。この第９の実施形態において、燃料アセンブリ５１０は、その場に核燃料体４０を格納するための格納部の壁５１６を有している一般に円筒形状の格納部５１５を備えている。内部に同伴された揮発性の核分裂生成物１５を有する核燃料誠意背物除去用流体が、ポンプ３４０によって核燃料体４０から流体制御サブアセンブリ８０に引き込まれる。流体から熱を除去するために、熱交換器３５５がパイプ２２０に備えられていてもよい。円筒形状の格納部５１５を用いることの潜在的な利点は、核燃料プロファイルを形成する際の円筒形状の有用性である。「核燃料プロファイル」という用語は、本明細書において、核分裂性物質、核原料物質、及び／または、中性子減速材料の幾何学的形状を意味するように規定されている。
【００９２】
図１１を参照すると、概して５２０として参照して、第１０の実施形態の核反応炉用燃料アセンブリ及びシステムが示されている。この第１０の実施形態において、燃料アセンブリ５２０は、その場に核燃料体４０を格納するための格納部の壁５２６を有している一般に球形状の格納部５２５を備えている。球形状の格納部５２５を用いることの潜在的な利点は、その球形状が亀裂の量または必要な格納部材料２０の量を減少させる点である。球形状の格納部５２５を用いることの他の潜在的な利点は、核燃料プロファイルを形成する際の球形状の有用性である。
【００９３】
図１２を参照すると、概して５３０として参照して、第１１の実施形態の核反応炉用燃料アセンブリ及びシステムが示されている。この第１１の実施形態において、燃料アセンブリ５３０は、その場に核燃料体４０を格納するための格納部の壁５４５を有している一般に半球形状の格納部５４０を備えている。半球形状の格納部５４０を用いることの潜在的な利点は、半球形状の格納部５４０が容器３１０によって規定されるウェル３２０中の燃料アセンブリ充填密度を増加させてもよい点である。半球形状の格納部５４０を用いることの他の潜在的な利点は、核燃料プロファイルを形成する際の半球形状の有用性である。
【００９４】
図１３及び図１４を参照すると、概して５５０として参照して、第１２の実施形態の燃料アセンブリ及びシステムが示されている。この第１２の実施形態において、燃料アセンブリ５５０は、その場に核燃料体４０を格納するための格納部の壁５６５を有している一般にディスク形状の格納部５６０を備えている。ディスク形状の格納部５６０を用いることの潜在的な利点は、核燃料プロファイルを形成する際のディスク形状の有用性である。
【００９５】
図１５及び図１６を参照すると、概して５７０として参照して、第１３の実施形態の燃料アセンブリ及びシステムが示されている。この第１３の実施形態において、燃料アセンブリ５７０は、その場に核燃料体４０を格納するための格納部の壁５８５を有している一般に（横断面において）多角形状の格納部５８０を備えている。この実施形態において、格納部５８０は、横断面において六角形状を有していてもよい。格納部５８０の六角形状の断面が有する潜在的な利点は、燃料アセンブリの他の多くの幾何学的形状によって許容される他の数よりも多くの燃料アセンブリ５７０が、容器３１０のウェル３２０に格納され得る点である。六角形状の格納部５８０を用いることの他の潜在的な利点は、核燃料プロファイルを形成する際の六角形状の有用性である。
【００９６】
図１７及び図１８を参照すると、概して５９０として参照して、第１４の実施形態の燃料アセンブリ及びシステムが示されている。この第１４の実施形態において、燃料アセンブリ５９０は、その場に核燃料体４０を格納するための格納部の壁６０５を有している一般に平行六面体形状の格納部６００を備えている。平行六面体形状の格納部６００を用いることの潜在的な利点は、平行六面体形状の格納部６００が容器３１０によって規定されるウェル３１０の燃料アセンブリ充填密度を増加させてもよい点である。平行六面体形状の格納部６００を用いることの他の潜在的な利点は、核燃料プロファイルを形成する際の平行六面体形状の有用性である。
【００９７】
図１９を参照すると、概して６１０として参照して、第１５の実施形態の核反応炉用燃料アセンブリ及びシステムが示されている。この実施形態において、核燃料体４０は、その場に埋め込まれている１つ以上の核燃料ペレット６２０を備えていてもよい。核燃料ペレット６２０は、核燃料体４０の有効密度を増加させるための高密度核燃料要素として機能してもよい。
【００９８】
図２０を参照すると、概して６２５として参照して、第１６の実施形態の核反応炉用燃料アセンブリ及びシステムが示されている。この実施形態において、流体制御サブアセンブリ８０は複数の格納部２０に接続されている。
【００９９】
〔例示的な方法〕
核反応炉用核燃料サブアセンブリ１０、１００、１９０、２３０、２９０、４２０、４３０、５１０、５２０、５３０、５５０、５７０、５９０、６１０、及び６２５の例示的な実施形態に関連した例示的な方法がここに示されている。
【０１００】
図２１Ａから図２１ＣＱを参照すると、核反応炉用燃料アセンブリ及びシステムを組み立てる例示的な方法が提供されている。
【０１０１】
ここで図２１Ａを参照すると、核反応炉用燃料アセンブリを組み立てる例示的な方法６３０は、ブロック６４０から開始する。ブロック６５０では、多孔性核燃料体を格納する格納部が準備される。ブロック６６０では、揮発性の核分裂生成物の少なくとも一部を爆燃波に対応する位置にて除去するために、流体制御サブアセンブリが格納部２０に接続される。流体制御サブアセンブリは、爆燃波に対応する位置に近接した（近似された）反応炉の領域において流体の流れを制御する。方法６３０は、ブロック６７０にて終了する。
【０１０２】
図２１Ｂを参照すると、核反応炉用燃料アセンブリを組み立てる例示的な方法６７１は、ブロック６７２から開始する。ブロック６７３では、核燃料体を格納する格納部が準備される。ブロック６７４では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック６７５では、制御ユニットが、流体制御サブアセンブリの動作を制御するために流体制御サブアセンブリに接続される。方法６７１は、ブロック６７６にて終了する。
【０１０３】
図２１Ｃを参照すると、核反応炉用燃料アセンブリを組み立てる例示的な方法６７７は、ブロック６８０から開始する。ブロック６９０では、上述の手法にて核燃料体を格納する格納部が準備される。ブロック７００では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック７１０では、制御ユニットが、流体制御サブアセンブリの動作を制御するために流体制御サブアセンブリに接続される。ブロック７１５では、制御ユニットが、進行波核反応炉中の電力レベルに応じて、揮発性の核分裂生成物の放出制御ができるように接続される。方法６７７は、ブロック７２０にて終了する。
【０１０４】
図２１Ｄを参照すると、核反応炉用燃料アセンブリを組み立てる例示的な方法７３０は、ブロック７４０から開始する。ブロック７５０では、上述の手法にて核燃料体を格納する格納部が準備される。ブロック７６０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック７７０では、制御ユニットが、流体制御サブアセンブリの動作を制御するために流体制御サブアセンブリに接続される。ブロック７８０では、制御ユニットが、進行波核反応炉中の中性子数レベルに応じて、揮発性の核分裂生成物の放出制御ができるように接続される。方法７３０は、ブロック７９０にて終了する。
【０１０５】
図２１Ｅを参照すると、核反応炉用燃料アセンブリを組み立てる例示的な方法８００は、ブロック８１０から開始する。ブロック８２０では、上述の手法にて核燃料体を格納する格納部が準備される。ブロック８３０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック８４０では、制御ユニットが、流体制御サブアセンブリの動作を制御するために流体制御サブアセンブリに接続される。ブロック８５０では、制御ユニットが、進行波核反応炉中の核分裂生成物の圧力レベルに応じて、揮発性の核分裂生成物の放出制御ができるように接続される。方法８００は、ブロック８６０にて終了する。
【０１０６】
図２１Ｆを参照すると、核反応炉用燃料アセンブリを組み立てる例示的な方法８７０は、ブロック８８０から開始する。ブロック８９０では、上述の手法にて核燃料体を格納する格納部が準備される。ブロック９００では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック９１０では、制御ユニットが、流体制御サブアセンブリの動作を制御するために流体制御サブアセンブリに接続される。ブロック９２０では、制御ユニットが、進行波核反応炉に関する工程表に応じて揮発性の核分裂生成物の放出制御ができるように接続される。方法８７０は、ブロック８６０にて終了する。
【０１０７】
図２１Ｇを参照すると、核反応炉用燃料アセンブリを組み立てる例示的な方法９４０は、ブロック９５０から開始する。ブロック９６０では、上述の手法にて核燃料体を格納する格納部が準備される。ブロック９７０では、流体制御サブアセンブリが、上述のように揮発性の核分裂生成物の少なくとも一部を除去するために格納部に接続される。流体制御サブアセンブリは、爆燃波に対応する位置に近接した反応炉の領域において流体の流れを制御する。ブロック９８０では、制御ユニットが、流体制御サブアセンブリの動作を制御するために流体制御サブアセンブリに接続される。ブロック９９０では、制御ユニットが、核反応炉の運転時間量に応じて揮発性の核分裂生成物の放出制御ができるように接続される。方法９４０は、ブロック１０００にて終了する。
【０１０８】
図２１Ｈを参照すると、核反応炉用燃料アセンブリを組み立てる例示的な方法１０１０は、ブロック１０２０から開始する。ブロック１０３０では、上述の手法にて核燃料体を格納する格納部が準備される。ブロック１０４０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１０５０では、格納部が、核燃料体を格納するように準備される。方法１０１０は、ブロック１０６０にて終了する。
【０１０９】
図２１Ｉを参照すると、核反応炉用燃料アセンブリを組み立てる例示的な方法１０７０は、ブロック１０８０から開始する。ブロック１０９０では、上述の手法にて核燃料体を格納する格納部が準備される。ブロック１１００では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１１１０では、格納部が、核燃料体を形成している核分裂性物質を格納するように準備される。方法１０７０は、ブロック１１２０にて終了する。
【０１１０】
図２１Ｊを参照すると、核反応炉用燃料アセンブリを組み立てる例示的な方法１１３０は、ブロック１１４０から開始する。ブロック１１５０では、上述の手法にて核燃料体を格納する格納部が準備される。ブロック１１６０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１１７０では、格納部が、核燃料体を形成している核分裂性物質を格納するように準備される。方法１１３０は、ブロック１１８０にて終了する。
【０１１１】
図２１Ｋを参照すると、核反応炉用燃料アセンブリを組み立てる例示的な方法１１９０は、ブロック１２００から開始する。ブロック１２１０では、上述の手法にて核燃料体を格納する格納部が準備される。ブロック１２２０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１２３０では、格納部が、核燃料体を形成している核分裂性物質及び核原料物質を格納するように準備される。方法１１９０は、ブロック１２４０にて終了する。
【０１１２】
図２１Ｌを参照すると、核反応炉用燃料アセンブリを組み立てる例示的な方法１２５０は、ブロック１２６０から開始する。ブロック１２７０では、上述の手法にて核燃料体を格納する格納部が準備される。ブロック１２８０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１２９０では、格納部が、進行波核反応炉中の電力レベルに応じて揮発性の核分裂生成物の放出制御を可能にするように準備される。方法１２５０は、ブロック１３００にて終了する。
【０１１３】
図２１Ｍを参照すると、核反応炉用燃料アセンブリを組み立てる例示的な方法１３１０は、ブロック１３２０から開始する。ブロック１３３０では、上述の手法にて核燃料体を格納する格納部が準備される。ブロック１３４０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１３５０では、格納部が、進行波核反応炉中の中性子数レベルに応じて揮発性の核分裂生成物の放出制御を可能にするように準備される。方法１３１０は、ブロック１３６０にて終了する。
【０１１４】
図２１Ｎを参照すると、核反応炉用燃料アセンブリを組み立てる例示的な方法１３７０は、ブロック１３８０から開始する。ブロック１３９０では、上述の手法にて核燃料体を格納する格納部が準備される。ブロック１４００では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１４１０では、格納部が、進行波核反応炉中の揮発性の核分裂生成物の圧力レベルに応じて揮発性の核分裂生成物の放出制御を可能にするように準備される。方法１３７０は、ブロック１４２０にて終了する。
【０１１５】
図２１Ｏを参照すると、核反応炉用燃料アセンブリを組み立てる例示的な方法１４３０は、ブロック１４４０から開始する。ブロック１４５０では、上述の手法にて核燃料体を格納する格納部が準備される。ブロック１４６０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１４７０では、格納部が、進行波核反応炉に関する工程表に応じて揮発性の核分裂生成物の放出制御を可能にするように準備される。方法１４３０は、ブロック１４８０にて終了する。
【０１１６】
図２１Ｐを参照すると、核反応炉用燃料アセンブリを組み立てる例示的な方法１４９０は、ブロック１５００から開始する。ブロック１５１０では、上述の手法にて核燃料体を格納する格納部が準備される。ブロック１５２０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１５３０では、格納部が、進行波核反応炉の連続動作時間に応じて揮発性の核分裂生成物の放出制御を可能にするように準備される。方法１４９０は、ブロック１５４０にて終了する。
【０１１７】
図２１Ｑを参照すると、核反応炉用燃料アセンブリを組み立てる例示的な方法１５５０は、ブロック１５６０から開始する。ブロック１５７０では、上述の手法にて核燃料体を格納する格納部が準備される。ブロック１５８０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１５９０では、格納部が、複数の孔を規定している発泡体の形態の多孔性核燃料体を格納するように準備される。方法１５５０は、ブロック１６００にて終了する。
【０１１８】
図２１Ｒを参照すると、核反応炉用燃料アセンブリを組み立てる例示的な方法１６１０は、ブロック１６２０から開始する。ブロック１６３０では、上述の手法にて核燃料体を格納する格納部が準備される。ブロック１６４０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１６５０では、格納部が、複数の孔を規定している核燃料体を格納するために提供される。複数の孔は、空間的に非均一な分布を有している。方法１６１０は、ブロック１６６０にて終了する。
【０１１９】
図２１Ｓを参照すると、核反応炉用燃料アセンブリを組み立てる例示的な方法１６７０は、ブロック１６８０から開始する。ブロック１６９０では、上述の手法にて核燃料体を格納する格納部が準備される。ブロック１７００では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１７１０では、格納部が、複数のチャンネルを有している核燃料体を格納するために提供される。複数の孔は、空間的に非均一な分布を有している。方法１６７０は、ブロック１７２０にて終了する。
【０１２０】
図２１Ｔを参照すると、核反応炉用燃料アセンブリを組み立てる例示的な方法１７３０は、ブロック１７４０から開始する。ブロック１７５０では、上述の手法にて核燃料体を格納する格納部が準備される。ブロック１７６０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１７７０では、格納部が、複数の粒子を有し該複数の粒子の間で複数のチャンネルを規定する多孔性核燃料体を格納するように準備される。方法１７３０は、ブロック１７９０にて終了する。
【０１２１】
図２１Ｕを参照すると、核反応炉用燃料アセンブリを組み立てる例示的な方法１８００は、ブロック１８１０から開始する。ブロック１８２０では、上述の手法にて核燃料体を格納する格納部が準備される。ブロック１８３０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１８４０では、格納部が、複数の孔を有している多孔性核燃料体を格納するように準備される。少なくとも１つの孔は、揮発性の核分裂生成物の少なくとも一部が所定の反応時間内に核燃料体を逃げることのできる所定の構造をしている。方法１８００は、ブロック１８５０にて終了する。
【０１２２】
図２１Ｖを参照すると、核反応炉用燃料アセンブリを組み立てる例示的な方法１８６０は、ブロック１８７０から開始する。ブロック１８８０では、上述の手法にて核燃料体を格納する格納部が準備される。ブロック１８９０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１９００では、格納部が、揮発性の核分裂生成物の少なくとも一部が約１０秒と約１，０００秒との間である所定の反応時間内に逃げるための複数の孔を有している多孔性核燃料体を格納するように準備される。方法１８６０は、ブロック１９１０にて終了する。
【０１２３】
図２１Ｗを参照すると、核反応炉用燃料アセンブリを組み立てる例示的な方法１９２０は、ブロック１９３０から開始する。ブロック１９４０では、上述の手法にて核燃料体を格納する格納部が準備される。ブロック１９５０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１９６０では、格納部に、揮発性の核分裂生成物の少なくとも一部が約１０秒と約１，０００秒との間である所定の反応時間内に逃げるための複数の孔を有している核燃料体が準備される。方法１９２０は、ブロック１９７０にて終了する。
【０１２４】
図２１Ｘを参照すると、核反応炉用燃料アセンブリを組み立てる例示的な方法１９７１は、ブロック１９７２から開始する。ブロック１９７３では、上述の手法にて核燃料体を格納する格納部が準備される。ブロック１９７４では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック１９７５では、格納部が、円筒形状構造を有している多孔性核燃料体を密封格納するように準備される。方法１９７１は、ブロック１９７６にて終了する。
【０１２５】
図２１Ｙを参照すると、核反応炉用燃料アセンブリを組み立てる例示的な方法１９８０は、ブロック１９９０から開始する。ブロック２０００では、上述の手法にて核燃料体を格納する格納部が準備される。ブロック２０１０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２０２０では、格納部が、多角形状構造を有している多孔性核燃料体を密封格納するように準備される。方法１９８０は、ブロック２０３０にて終了する。
【０１２６】
図２１Ｚを参照すると、核反応炉用燃料アセンブリを組み立てる例示的な方法２０４０は、ブロック２０５０から開始する。ブロック２０６０では、上述の手法にて核燃料体を格納する格納部が準備される。ブロック２０７０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２０８０では、格納部が、進行波核反応炉中の爆燃波によって排出された揮発性の核分裂生成物を得るための複数の孔を有している多孔性核燃料体を格納するように準備される。方法２０４０は、ブロック２０９０にて終了する。
【０１２７】
図２１ＡＡを参照すると、核反応炉用燃料アセンブリを組み立てる例示的な方法２１００は、ブロック２１１０から開始する。ブロック２１２０では、上述の手法にて核燃料体を格納する格納部が準備される。ブロック２１３０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２１４０では、格納部が、多孔性核燃料体を通して揮発性の核分裂生成物を輸送するための複数の孔を有している当該多孔性核燃料体を格納するように準備される。方法２１００は、ブロック２１５０にて終了する。
【０１２８】
図２１ＡＢを参照すると、核反応炉用燃料アセンブリを組み立てる例示的な方法２１６０は、ブロック２１７０から開始する。ブロック２１８０では、上述の手法にて核燃料体を格納する格納部が準備される。ブロック２１９０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２２００では、貯蔵部が、揮発性の核分裂生成物を受入れるために流体制御サブアセンブリに接続される。方法２１６０は、ブロック２２１０にて終了する。
【０１２９】
図２１ＡＣを参照すると、核反応炉用燃料アセンブリを組み立てる例示的な方法２２２０は、ブロック２２３０から開始する。ブロック２２４０では、上述の手法にて核燃料体を格納する格納部が準備される。ブロック２２５０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２２６０では、流体制御サブアセンブリが、進行波核反応炉中の爆燃波の位置に応じて揮発性の核分裂生成物の放出制御ができるように接続される。方法２２２０は、ブロック２２７０にて終了する。
【０１３０】
図２１ＡＤを参照すると、核反応炉用燃料アセンブリを組み立てる例示的な方法２２８０は、ブロック２２９０から開始する。ブロック２３００では、上述の手法にて核燃料体を格納する格納部が準備される。ブロック２３１０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２３２０では、核分裂性燃料アセンブリが多孔性核燃料体を通して核分裂生成物除去用の流体を循環させるように構成されるように、及び、流体制御サブアセンブリが多孔性核燃料体を通して核分裂生成物除去用の流体を循環させている間に揮発性の核分裂生成物の少なくとも一部が多孔性核燃料体から除去されるように、流体制御サブアセンブリが接続される。方法２２８０は、ブロック２３３０にて終了する。
【０１３１】
図２１ＡＥを参照すると、核反応炉用燃料アセンブリを組み立てる例示的な方法２３４０は、ブロック２３５０から開始する。ブロック２３６０では、上述の手法にて核燃料体を格納する格納部が準備される。ブロック２３７０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２３８０では、核分裂性燃料アセンブリが多孔性核燃料体を通して核分裂生成物除去用の流体を循環させるように構成されるように、及び、流体制御サブアセンブリが多孔性核燃料体を通して核分裂生成物除去用の流体を循環させている間に揮発性の核分裂生成物の少なくとも一部が多孔性核燃料体から除去されるように、流体制御サブアセンブリが接続される。ブロック２３９０では、注入口サブアセンブリが、多孔性核燃料体に核分裂生成物除去用の流体を供給するために準備される。方法２３４０は、ブロック２４００にて終了する。
【０１３２】
図２１ＡＦを参照すると、核反応炉用燃料アセンブリを組み立てる例示的な方法２４１０は、ブロック２４２０から開始する。ブロック２４３０では、上述の手法にて核燃料体を格納する格納部が準備される。ブロック２４４０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２４５０では、核分裂性燃料アセンブリが多孔性核燃料体を通して核分裂生成物除去用の流体を循環させるように構成されるように、及び、流体制御サブアセンブリが多孔性核燃料体を通して核分裂生成物除去用の流体を循環させている間に揮発性の核分裂生成物の少なくとも一部が多孔性核燃料体から除去されるように、流体制御サブアセンブリが接続される。ブロック２４６０では、注入口サブアセンブリが、多孔性核燃料体から核分裂生成物除去用の流体を除去するために準備される。方法２４１０は、ブロック２４７０にて終了する。
【０１３３】
図２１ＡＧを参照すると、核反応炉用燃料アセンブリを組み立てる例示的な方法２４８０は、ブロック２４９０から開始する。ブロック２５００では、上述の手法にて多孔性核燃料体を格納する格納部が準備される。ブロック２５１０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２５２０では、核分裂性燃料アセンブリが多孔性核燃料体を通して核分裂生成物除去用の流体を循環させるように構成されるように、及び、流体制御サブアセンブリが多孔性核燃料体を通して核分裂生成物除去用の流体を循環させている間に揮発性の核分裂生成物の少なくとも一部が多孔性核燃料体から除去されるように、流体制御サブアセンブリが接続される。ブロック２５３０では、貯蔵部が、核分裂生成物除去用の流体を受入れるために準備される。方法２４８０は、ブロック２５４０にて終了する。
【０１３４】
図２１ＡＨを参照すると、核反応炉用燃料アセンブリを組み立てる例示的な方法２５５０は、ブロック２５６０から開始する。ブロック２５７０では、上述の手法にて多孔性核燃料体を格納する格納部が準備される。ブロック２５８０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２５９０では、核分裂性燃料アセンブリが多孔性核燃料体を通して核分裂生成物除去用の流体を循環させるように構成されるように、及び、流体制御サブアセンブリが多孔性核燃料体を通して核分裂生成物除去用の流体を循環させている間に揮発性の核分裂生成物の少なくとも一部が多孔性核燃料体から除去されるように、流体制御サブアセンブリが接続される。ブロック２６００では、貯蔵部が、核分裂生成物除去用の流体を供給するために接続される。方法２５５０は、ブロック２６１０にて終了する。
【０１３５】
図２１ＡＩを参照すると、核反応炉用燃料アセンブリを組み立てる例示的な方法２６２０は、ブロック２６３０から開始する。ブロック２６４０では、上述の手法にて多孔性核燃料体を格納する格納部が準備される。ブロック２６５０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２５９０では、核分裂性燃料アセンブリが多孔性核燃料体を通してガス状の流体を循環させるように構成されるように、及び、揮発性の核分裂生成物の少なくとも一部が多孔性核燃料から除去されるように、流体制御サブアセンブリが接続される。方法２６２０は、ブロック２６７０にて終了する。
【０１３６】
図２１ＡＪを参照すると、核反応炉用燃料アセンブリを組み立てる例示的な方法２６８０は、ブロック２６９０から開始する。ブロック２７００では、上述の手法にて多孔性核燃料体を格納する格納部が準備される。ブロック２７１０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２７２０では、流体制御サブアセンブリが多孔性核燃料体を通して液体を循環させるように構成されるように、流体制御サブアセンブリが接続される。方法２６８０は、ブロック２７３０にて終了する。
【０１３７】
図２１ＡＫを参照すると、核反応炉用燃料アセンブリを組み立てる例示的な方法２７４０は、ブロック２７５０から開始する。ブロック２７６０では、上述の手法にて多孔性核燃料体を格納する格納部が準備される。ブロック２７７０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２７８０では、当該方法はポンプを接続させる工程を含んでいる。方法２７４０は、ブロック２７９０にて終了する。
【０１３８】
図２１ＡＬを参照すると、核反応炉用燃料アセンブリを組み立てる例示的な方法２８００は、ブロック２８１０から開始する。ブロック２８２０では、上述の手法にて多孔性核燃料体を格納する格納部が準備される。ブロック２８３０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２８４０では、流体制御サブアセンブリと多孔性核燃料体との間にて流体を循環させるために、ポンプが流体制御サブアセンブリに一体的に接続される。方法２８００は、ブロック２８５０にて終了する。
【０１３９】
図２１ＡＭを参照すると、核反応炉用燃料アセンブリを組み立てる例示的な方法２８６０は、ブロック２８７０から開始する。ブロック２８８０では、上述の手法にて多孔性核燃料体を格納する格納部が準備される。ブロック２８９０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２９００では、当該方法はバルブを接続させる工程を含んでいる。方法２８６０は、ブロック２９１０にて終了する。
【０１４０】
図２１ＡＮを参照すると、核反応炉用燃料アセンブリを組み立てる例示的な方法２９２０は、ブロック２９３０から開始する。ブロック２９４０では、上述の手法にて多孔性核燃料体を格納する格納部が準備される。ブロック２９５０では、上述のように揮発性の核分裂生成物の少なくとも一部を除去するために、流体制御サブアセンブリが格納部に接続される。流体制御サブアセンブリは、爆燃波に対応する位置に近接した反応炉の領域において流体の流れを制御する。ブロック２９６０では、格納部と流体制御サブアセンブリとの間の流体の流れを制御するために、バルブが格納部と流体制御サブアセンブリとの間に配置される。方法２９２０は、ブロック２９７０にて終了する。
【０１４１】
図２１ＡＯを参照すると、核反応炉用燃料アセンブリを組み立てる例示的な方法２９８０は、ブロック２９９０から開始する。ブロック３０００において、前述した方法で多孔性核燃料体を格納する格納部が準備される。前述したように揮発性の核分裂生成物の少なくとも一部を除去するために、ブロック３０１０において、流体制御サブアセンブリが格納部に接続される。流体制御サブアセンブリは、爆燃波に応じた炉近辺の領域（爆燃波に対応する位置に近接した反応炉の領域）おける流体の流れを制御する。格納部と流体制御サブアセンブリとの間における流体の流れを制御するために、ブロック３０２０において、格納部と流体制御サブアセンブリとの間にバルブが置かれる。ブロック３０３０において、格納部と流体制御サブアセンブリとの間に逆流防止用バルブが置かれる。ブロック３０４０において、方法２９８０は終了する。
【０１４２】
図２１ＡＰを参照すると、核反応炉用燃料アセンブリを組み立てる例示的な方法３０５０は、ブロック３０６０から開始する。ブロック３０７０において、前述した方法で多孔性核燃料体を格納する格納部が準備される。前述したように揮発性の核分裂生成物の少なくとも一部を除去するために、ブロック３０８０において、流体制御サブアセンブリが格納部に接続される。流体制御サブアセンブリは、爆燃波に応じた炉近辺の領域における流体の流れを制御する。方法３０５０は、ブロック３０９０において制御可能な脆性障壁を連結する工程を含む。ブロック３１００において、方法３０５０は終了する。
【０１４３】
図２１ＡＱを参照すると、核反応炉用燃料アセンブリを組み立てる例示的な方法３１１０は、ブロック３１２０から開始する。ブロック３１３０において、前述した方法で多孔性核燃料体を格納する格納部が準備される。前述したように揮発性の核分裂生成物の少なくとも一部を除去するために、ブロック３１４０において、流体制御サブアセンブリが格納部に接続される。流体制御サブアセンブリは、爆燃波に応じた炉近辺の領域における流体の流れを制御する。ブロック３１５０において、制御可能な脆性障壁が格納部と流体制御サブアセンブリとの間に置かれる。ブロック３１６０において、方法３１１０は終了する。
【０１４４】
図２１ＡＲを参照すると、核反応炉用燃料アセンブリを組み立てる例示的な方法３１７０は、ブロック３１８０から開始する。ブロック３１９０において、前述した方法で多孔性核燃料体を格納する格納部が準備される。前述したように揮発性の核分裂生成物の少なくとも一部を除去するために、ブロック３２００において、流体制御サブアセンブリが格納部に接続される。流体制御サブアセンブリは、爆燃波に応じた炉近辺の領域における流体の流れを制御する。ブロック３２１０において、制御可能な脆性障壁が格納部と流体制御サブアセンブリとの間に置かれる。ブロック３２２０において、所定の圧力で破壊可能な障壁が格納部と流体制御サブアセンブリとの間に置かれる。ブロック３２３０において、方法３１７０は終了する。
【０１４５】
図２１ＡＳを参照すると、核反応炉用燃料アセンブリを組み立てる例示的な方法３２４０は、ブロック３２５０から開始する。ブロック３２６０において、前述した方法で多孔性核燃料体を格納する格納部が準備される。前述したように揮発性の核分裂生成物の少なくとも一部を除去するために、ブロック３２７０において、流体制御サブアセンブリが格納部に接続される。流体制御サブアセンブリは、爆燃波に応じた炉近辺の領域における流体の流れを制御する。ブロック３２８０において、制御可能な脆性障壁が格納部と流体制御サブアセンブリとの間に置かれる。ブロック３２９０において、オペレータの行動によって破壊可能な障壁が格納部と流体制御サブアセンブリとの間に置かれる。ブロック３３００において、方法３２４０は終了する。
【０１４６】
図２１ＡＴを参照すると、核反応炉用燃料アセンブリを組み立てる例示的な方法３３１０は、ブロック３３２０から開始する。ブロック３３３０において、発熱（発熱している）核燃料体を格納するための格納部が準備される。この発熱核燃料体は、相互に連結された複数の開放セル孔を規定する。ブロック３３４０において、流体制御サブアセンブリが格納部に接続される。核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３３５０において、方法３３１０は終了する。
【０１４７】
図２１ＡＵを参照すると、核反応炉用燃料アセンブリを組み立てる例示的な方法３３６０は、ブロック３３７０から開始する。ブロック３３８０において、発熱核燃料体を格納するための格納部が準備される。この発熱核燃料体は、相互に連結された複数の開放セル孔を規定する。ブロック３３９０において、流体制御サブアセンブリが格納部に接続される。流体制御サブアセンブリは、核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３４００において、制御ユニットが流体制御サブアセンブリに連結される。制御ユニットは、流体制御サブアセンブリの動作を制御する。ブロック３４１０において、方法３３６０は終了する。
【０１４８】
図２１ＡＶを参照すると、核反応炉用燃料アセンブリを組み立てる例示的な方法３４２０は、ブロック３４３０から開始する。ブロック３４４０において、発熱核燃料体を格納するための格納部が準備される。この発熱核燃料体は、相互に連結された複数の開放セル孔を規定する。ブロック３４５０において、流体制御サブアセンブリが格納部に接続される。流体制御サブアセンブリは、核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３４６０において、核燃料体を格納するために格納部が準備される。ブロック３４７０において、方法３４２０は終了する。
【０１４９】
図２１ＡＷを参照すると、核分裂炉燃料アセンブリを組み立てる例示的な方法３４８０は、ブロック３４９０から開始する。ブロック３５００において、発熱核燃料体を格納するための格納部が準備される。この発熱核燃料体は、相互に連結された複数の開放セル孔を規定する。ブロック３５１０において、流体制御サブアセンブリが格納部に接続される。流体制御サブアセンブリは、核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３５２０において、核燃料体を形成する核分裂性物質を格納するために格納部が準備される。ブロック３５３０において、方法３４８０は終了する。
【０１５０】
図２１ＡＸを参照すると、核反応炉用燃料アセンブリを組み立てる例示的な方法３５４０は、ブロック３５５０から開始する。ブロック３５６０において、発熱核燃料体を格納するための格納部が準備される。この発熱核燃料体は、相互に連結された複数の開放セル孔を規定する。ブロック３５７０において、流体制御サブアセンブリが格納部に接続される。流体制御サブアセンブリは、核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３５８０において、核燃料体を形成する核原料物質を格納するために格納部が準備される。ブロック３５９０において、方法３５４０は終了する。
【０１５１】
図２１ＡＹを参照すると、核反応炉用燃料アセンブリを組み立てる例示的な方法３６００は、ブロック３６１０から開始する。ブロック３６２０において、発熱核燃料体を格納するための格納部が準備される。この発熱核燃料体は、相互に連結された複数の開放セル孔を規定する。ブロック３６３０において、流体制御サブアセンブリが格納部に接続される。流体制御サブアセンブリは、核燃料体の気孔から出る揮発性の核分裂生成物の少なくとも一部を除去する処理と進行波核分裂反応炉の爆燃波に応じた位置で核燃料体によって生成される熱の少なくとも一部を除去する処理とを、上記爆燃波に応じた位置に近接した進行波核分裂反応炉の領域における流体の流れを制御することで、制御する。ブロック３６４０において、核燃料体を形成する核分裂性物質及び核原料物質の混合物を格納するために格納部が準備される。ブロック３６５０において、方法３６００は終了する。
【０１５２】
図２１ＡＺを参照すると、核反応炉用燃料アセンブリを組み立てる例示的な方法３６６０は、ブロック３６７０から開始する。ブロック３６８０において、発熱核燃料体を格納するための格納部が準備される。この発熱核燃料体は、相互に連結された複数の開放セル孔を規定する。ブロック３６９０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック３７００において、流体制御サブアセンブリは、進行波核分裂反応炉内の爆燃波の位置に応じて制御された形で揮発性の核分裂生成物を放出できるように接続される。ブロック３７１０において、方法３６６０は終了する。
【０１５３】
図２１ＢＡを参照すると、核反応炉用燃料アセンブリを組み立てる例示的な方法３７２０は、ブロック３７３０から開始する。ブロック３７４０において、発熱核燃料体を格納するための格納部が準備される。この発熱核燃料体は、相互に連結された複数の開放セル孔を規定する。ブロック３７５０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック３７６０において、流体制御サブアセンブリは、進行波核分裂反応炉内の電力レベルに応じて制御された形で揮発性の核分裂生成物を放出できるように接続される。ブロック３７７０において、方法３７２０は終了する。
【０１５４】
図２１ＢＢを参照すると、核反応炉用燃料アセンブリを組み立てる例示的な方法３７８０は、ブロック３７９０から開始する。ブロック３８００において、発熱核燃料体を格納するための格納部が準備される。この発熱核燃料体は、相互に連結された複数の開放セル孔を規定する。ブロック３８１０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック３８２０において、流体制御サブアセンブリは、進行波核分裂反応炉内の中性子数レベルに応じて制御された形で揮発性の核分裂生成物を放出できるように接続される。ブロック３８３０において、方法３７８０は終了する。
【０１５５】
図２１ＢＣを参照すると、核反応炉用燃料アセンブリを組み立てる例示的な方法３８４０は、ブロック３８５０から開始する。ブロック３８６０において、発熱核燃料体を格納するための格納部が準備される。この発熱核燃料体は、相互に連結された複数の開放セル孔を規定する。ブロック３８７０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック３８８０において、流体制御サブアセンブリは、進行波核分裂反応炉内における揮発性の核分裂生成物の圧力レベルに応じて制御された形で揮発性の核分裂生成物を放出できるように接続される。ブロック３８９０において、方法３８４０は終了する。
【０１５６】
図２１ＢＤを参照すると、核反応炉用燃料アセンブリを組み立てる例示的な方法３９００は、ブロック３９１０から開始する。ブロック３９２０において、発熱核燃料体を格納するための格納部が準備される。この発熱核燃料体は、相互に連結された複数の開放セル孔を規定する。ブロック３９３０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック３９４０において、流体制御サブアセンブリは、進行波核分裂反応炉に関する工程表に応じて揮発性の核分裂生成物を放出が制御されるように接続される。ブロック３９５０において、方法３９００は終了する。
【０１５７】
図２１ＢＥを参照すると、核反応炉用燃料アセンブリを組み立てる例示的な方法３９６０は、ブロック３９７０から開始する。ブロック３９８０において、発熱核燃料体を格納するための格納部が準備される。この発熱核燃料体は、相互に連結された複数の開放セル孔を規定する。ブロック３９９０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４０００において、流体制御サブアセンブリは、進行波核分裂反応炉が作動する時間に応じて揮発性の核分裂生成物の放出が制御されるように接続される。ブロック４０１０において、方法３９６０は終了する。
【０１５８】
図２１ＢＦを参照すると、核反応炉用燃料アセンブリを組み立てる例示的な方法４０２０は、ブロック４０３０から開始する。ブロック４０４０において、発熱核燃料体を格納するための格納部が準備される。この発熱核燃料体は、相互に連結された複数の開放セル孔を規定する。ブロック４０５０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４０６０において、揮発性の核分裂生成物を受け入れる貯蔵部が流体制御サブアセンブリに連結される。ブロック４０７０において、方法４０２０は終了する。
【０１５９】
図２１ＢＧを参照すると、核反応炉用燃料アセンブリを組み立てる例示的な方法４０８０は、ブロック４０９０から開始する。ブロック４１００において、発熱核燃料体を格納するための格納部が準備される。この発熱核燃料体は、相互に連結された複数の開放セル孔を規定する。ブロック４１１０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４１２０において、核燃料体の気孔を通じて核分裂生成物除去用の流体を循環させるように構成された流体制御サブアセンブリが、流体制御サブアセンブリが核燃料体の気孔を通じて核分裂生成物除去用の流体を循環させている間に揮発性の核分裂生成物の少なくとも一部が核燃料体の気孔から除去されるように、連結される。ブロック４１３０において、方法４０８０は終了する。
【０１６０】
図２１ＢＨを参照すると、核反応炉用燃料アセンブリを組み立てる例示的な方法４１４０は、ブロック４１５０から開始する。ブロック４１６０において、発熱核燃料体を格納するための格納部が準備される。この発熱核燃料体は、相互に連結された複数の開放セル孔を規定する。ブロック４１７０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４１７５において、核燃料体の気孔を通じて核分裂生成物除去用の流体を循環させるように構成された流体制御サブアセンブリが、流体制御サブアセンブリが核燃料体の気孔を通じて核分裂生成物除去用の流体を循環させている間に揮発性の核分裂生成物の少なくとも一部が核燃料体の気孔から除去されるように、連結される。ブロック４１８０において、核分裂生成物除去用の流体を核燃料体の気孔に供給するためのインレットサブアセンブリが設けられる。ブロック４１９０において、方法４１４０は終了する。
【０１６１】
図２１ＢＩを参照すると、核反応炉用燃料アセンブリを組み立てる例示的な方法４２００は、ブロック４２１０から開始する。ブロック４２２０において、発熱核燃料体を格納するための格納部が準備される。この発熱核燃料体は、相互に連結された複数の開放セル孔を規定する。ブロック４２３０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４２４０において、核燃料体の気孔を通じて核分裂生成物除去用の流体を循環させるように構成された流体制御サブアセンブリが、流体制御サブアセンブリが核燃料体の気孔を通じて核分裂生成物除去用の流体を循環させている間に揮発性の核分裂生成物の少なくとも一部が核燃料体の気孔から除去されるように、連結される。ブロック４２５０において、核分裂生成物除去用の流体を核燃料体の気孔から除去するための排出口サブアセンブリが準備される。ブロック４２６０において、方法４２００は終了する。
【０１６２】
図２１ＢＪを参照すると、核反応炉用燃料アセンブリを組み立てる例示的な方法４２７０は、ブロック４２８０から開始する。ブロック４２９０において、発熱核燃料体を格納するための格納部が準備される。この発熱核燃料体は、相互に連結された複数の開放セル孔を規定する。ブロック４３００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４３１０において、核燃料体の気孔を通じて核分裂生成物除去用の流体を循環させるように構成された流体制御サブアセンブリが、流体制御サブアセンブリが核燃料体の気孔を通じて熱除去用の流体を循環させている間に核燃料体の生成熱の少なくとも一部が核燃料体から除去されるように、連結される。ブロック４３２０において、方法４２７０は終了する。
【０１６３】
図２１ＢＫを参照すると、核反応炉用燃料アセンブリを組み立てる例示的な方法４３３０は、ブロック４３４０から開始する。ブロック４３５０において、発熱核燃料体を格納するための格納部が準備される。この発熱核燃料体は、相互に連結された複数の開放セル孔を規定する。ブロック４３６０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４３７０において、核燃料体の気孔を通じて核分裂生成物除去用の流体を循環させるように構成された流体制御サブアセンブリが、流体制御サブアセンブリが核燃料体の気孔を通じて熱除去用の流体を循環させている間に核燃料体の生成熱の少なくとも一部が核燃料体から除去されるように、連結される。ブロック４３８０において、熱除去用の流体を受け入れる貯蔵部が流体制御サブアセンブリに連結される。ブロック４３９０において、方法４３３０は終了する。
【０１６４】
図２１ＢＬを参照すると、核反応炉用燃料アセンブリを組み立てる例示的な方法４４００は、ブロック４４１０から開始する。ブロック４４２０において、発熱核燃料体を格納するための格納部が準備される。この発熱核燃料体は、相互に連結された複数の開放セル孔を規定する。ブロック４４３０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４４４０において、核燃料体の気孔を通じて核分裂生成物除去用の流体を循環させるように構成された流体制御サブアセンブリが、流体制御サブアセンブリが核燃料体の気孔を通じて熱除去用の流体を循環させている間に核燃料体の生成熱の少なくとも一部が核燃料体から除去されるように、連結される。ブロック４４５０において、熱除去用の流体を供給する貯蔵部が流体制御サブアセンブリに連結される。ブロック４４６０において、方法４４００は終了する。
【０１６５】
図２１ＢＭを参照すると、核反応炉用燃料アセンブリを組み立てる例示的な方法４４７０は、ブロック４４８０から開始する。ブロック４４９０において、発熱核燃料体を格納するための格納部が準備される。この発熱核燃料体は、相互に連結された複数の開放セル孔を規定する。ブロック４５００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４５１０において、核燃料体の気孔を通じて核分裂生成物除去用の流体を循環させるように構成された流体制御サブアセンブリが、流体制御サブアセンブリが核燃料体の気孔を通じて熱除去用の流体を循環させている間に核燃料体の生成熱の少なくとも一部が核燃料体から除去されるように、連結される。ブロック４５２０において、熱除去用の流体から熱が伝達されて熱除去用の流体の熱が除去されるように、ヒートシンクが流体制御サブアセンブリに接続される。ブロック４５３０において、方法４４７０は終了する。
【０１６６】
図２１ＢＮを参照すると、核反応炉用燃料アセンブリを組み立てる例示的な方法４５４０は、ブロック４５５０から開始する。ブロック４５６０において、発熱核燃料体を格納するための格納部が準備される。この発熱核燃料体は、相互に連結された複数の開放セル孔を規定する。ブロック４５７０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４５８０において、核燃料体の気孔を通じて核分裂生成物除去用の流体を循環させるように構成された流体制御サブアセンブリが、流体制御サブアセンブリが核燃料体の気孔を通じて熱除去用の流体を循環させている間に核燃料体の生成熱の少なくとも一部が核燃料体から除去されるように、連結される。ブロック４５９０において、熱除去用の流体から熱が伝達されて熱除去用の流体の熱が除去されるように、熱交換器が流体制御サブアセンブリに接続される。ブロック４６００において、方法４５４０は終了する。
【０１６７】
図２１ＢＯを参照すると、核反応炉用燃料アセンブリを組み立てる例示的な方法４６１０は、ブロック４６２０から開始する。ブロック４６３０において、発熱核燃料体を格納するための格納部が準備される。この発熱核燃料体は、相互に連結された複数の開放セル孔を規定する。ブロック４６４０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４６５０において、流体制御サブアセンブリは、核分裂生成物除去用の流体と熱除去用の流体とを同時に循環させるように連結される。ブロック４６６０において、方法４６１０は終了する。
【０１６８】
図２１ＢＰを参照すると、核反応炉用燃料アセンブリを組み立てる例示的な方法４６７０は、ブロック４６８０から開始する。ブロック４６９０において、発熱核燃料体を格納するための格納部が準備される。この発熱核燃料体は、相互に連結された複数の開放セル孔を規定する。ブロック４７００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４７１０において、流体制御サブアセンブリは、核分裂生成物除去用の流体及び熱除去用の流体を順次循環させるように連結される。ブロック４７２０において、方法４６７０は終了する。
【０１６９】
図２１ＢＱを参照すると、核反応炉用燃料アセンブリを組み立てる例示的な方法４７３０は、ブロック４７４０から開始する。ブロック４７５０において、発熱核燃料体を格納するための格納部が準備される。この発熱核燃料体は、相互に連結された複数の開放セル孔を規定する。ブロック４７６０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４７７０において、流体制御サブアセンブリから核燃料体の気孔に流体を送り込むためのポンプが、流体制御サブアセンブリに接続され、流体制御サブアセンブリと一体化する。ブロック４７８０において、方法４７３０は終了する。
【０１７０】
図２１ＢＲを参照すると、核反応炉用燃料アセンブリを組み立てる例示的な方法４７９０は、ブロック４８００から開始する。ブロック４８１０において、発熱核燃料体を格納するための格納部が準備される。この発熱核燃料体は、相互に連結された複数の開放セル孔を規定する。ブロック４８２０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。この方法は、ブロック４８３０においてポンプを連結する工程含む。ブロック４８４０において、方法４７９０は終了する。
【０１７１】
図２１ＢＳを参照すると、核反応炉用燃料アセンブリを組み立てる例示的な方法４８５０は、ブロック４８６０から開始する。ブロック４８７０において、発熱核燃料体を格納するための格納部が準備される。この発熱核燃料体は、相互に連結された複数の開放セル孔を規定する。ブロック４８８０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４８９０において、揮発性の核分裂生成物を受け入れる核分裂生成物用の貯蔵部が流体制御サブアセンブリに連結される。ブロック４９００において、方法４８５０は終了する。
【０１７２】
図２１ＢＴを参照すると、核反応炉用燃料アセンブリを組み立てる例示的な方法４９１０は、ブロック４９２０から開始する。ブロック４９３０において、発熱核燃料体を格納するための格納部が準備される。この発熱核燃料体は、相互に連結された複数の開放セル孔を規定する。ブロック４９４０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック４９５０において、流体制御サブアセンブリが核燃料体の気孔を通じて核分裂生成物除去用の流体を循環させることを可能にするために、複数の第１要素が連結される。これにより、流体制御サブアセンブリが核燃料体の気孔を通じて核分裂生成物除去用の流体を循環させている間に、核分裂生成物の少なくとも一部が核燃料体の気孔から除去される。ブロック４９６０において、方法４９１０は終了する。
【０１７３】
図２１ＢＵを参照すると、核反応炉用燃料アセンブリを組み立てる例示的な方法４９７０は、ブロック４９８０から開始する。ブロック４９９０において、発熱核燃料体を格納するための格納部が準備される。この発熱核燃料体は、相互に連結された複数の開放セル孔を規定する。ブロック５０００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５０１０において、流体制御サブアセンブリが核燃料体の気孔を通じて核分裂生成物除去用の流体を循環させることを可能にするために、複数の第１要素が連結される。これにより、流体制御サブアセンブリが核燃料体の気孔を通じて核分裂生成物除去用の流体を循環させている間に、揮発性の核分裂生成物の少なくとも一部が核燃料体の気孔から除去される。ブロック５０２０において、流体制御サブアセンブリが核燃料体の気孔を通じて熱除去用の流体を循環させることを可能にするために、複数の第２要素が連結される。これにより、流体制御サブアセンブリが核燃料体の気孔を通じて熱除去用の流体を循環させている間に、核燃料体の生成熱の少なくとも一部が核燃料体から除去される。ブロック５０３０において、方法４９７０は終了する。
【０１７４】
図２１ＢＶを参照すると、核反応炉用燃料アセンブリを組み立てる例示的な方法５０４０は、ブロック５０５０から開始する。ブロック５０６０において、発熱核燃料体を格納するための格納部が準備される。この発熱核燃料体は、相互に連結された複数の開放セル孔を規定する。ブロック５０７０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５０８０において、流体制御サブアセンブリが核燃料体の気孔を通じて核分裂生成物除去用の流体を循環させることを可能にするために、複数の第１要素が連結される。これにより、流体制御サブアセンブリが核燃料体の気孔を通じて核分裂生成物除去用の流体を循環させている間に、揮発性の核分裂生成物の少なくとも一部が核燃料体の気孔から除去される。ブロック５０９０において、流体制御サブアセンブリが核燃料体の気孔を通じて熱除去用の流体を循環させることを可能にするために、複数の第２要素が連結される。これにより、流体制御サブアセンブリが核燃料体の気孔を通じて熱除去用の流体を循環させている間に、核燃料体の生成熱の少なくとも一部が核燃料体から除去される。この方法は、ブロック５１００において、上記複数の第１要素のうちの１つ以上と上記複数の第２要素のうちの１つ以上とが同一になるように、上記複数の第１要素と上記複数の第２要素とを動作可能に連結する工程を含んでいる。ブロック５１１０において、方法５０４０は終了する。
【０１７５】
図２１ＢＷを参照すると、核反応炉用燃料アセンブリを組み立てる例示的な方法５１２０は、ブロック５１３０から開始する。ブロック５１４０において、発熱核燃料体を格納するための格納部が準備される。この発熱核燃料体は、相互に連結された複数の開放セル孔を規定する。ブロック５１５０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。この方法は、ブロック５１６０において、揮発性の核分裂生成物と核燃料からの熱とを選択的に除去する二重目的周回路（dual-purpose circuit）を連結する工程を含んでいる。ブロック５１７０において、方法５１２０は終了する。
【０１７６】
図２１ＢＸを参照すると、核反応炉用燃料アセンブリを組み立てる例示的な方法５１８０は、ブロック５１９０から開始する。ブロック５２００において、発熱核燃料体を格納するための格納部が準備される。この発熱核燃料体は、相互に連結された複数の開放セル孔を規定する。ブロック５２１０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５２２０において、核分裂燃料アセンブリが核燃料体の気孔を通じて気体を循環させる構成となるように、流体制御サブアセンブリが連結される。ブロック５２３０において、方法５１８０は終了する。
【０１７７】
図２１ＢＹを参照すると、核反応炉用燃料アセンブリを組み立てる例示的な方法５２４０は、ブロック５２５０から開始する。ブロック５２６０において、発熱核燃料体を格納するための格納部が準備される。この発熱核燃料体は、相互に連結された複数の開放セル孔を規定する。ブロック５２７０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５２８０において、核分裂燃料アセンブリが核燃料体の気孔を通じて液体を循環させる構成となるように、流体制御サブアセンブリが連結される。ブロック５２９０において、方法５２４０は終了する。
【０１７８】
図２１ＢＺを参照すると、核反応炉用燃料アセンブリを組み立てる例示的な方法５３００は、ブロック５３１０から開始する。ブロック５３２０において、発熱核燃料体を格納するための格納部が準備される。この発熱核燃料体は、相互に連結された複数の開放セル孔を規定する。ブロック５３３０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５３４０において、複数の気孔がはっきり表れているフォームの形態の核燃料体を入れるために、格納部が準備される。ブロック５３５０において、方法５３００は終了する。
【０１７９】
図２１ＣＡを参照すると、核反応炉用燃料アセンブリを組み立てる例示的な方法５３６０は、ブロック５３７０から開始する。ブロック５３８０において、発熱核燃料体を格納するための格納部が準備される。この発熱核燃料体は、相互に連結された複数の開放セル孔を規定する。ブロック５３９０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５４００において、複数のチャンネルを有する核燃料体を入れるために、格納部が準備される。ブロック５４１０において、方法５３６０は終了する。
【０１８０】
図２１ＣＢを参照すると、核反応炉用燃料アセンブリを組み立てる例示的な方法５４２０は、ブロック５４３０から開始する。ブロック５４４０において、発熱核燃料体を格納するための格納部が準備される。この発熱核燃料体は、相互に連結された複数の開放セル孔を規定する。ブロック５４５０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５４６０において、複数のチャンネルを有する核燃料体を入れるために、格納部が準備される。ブロック５４７０において、複数のチャンネルを定める複数の粒子を有する核燃料体を入れるために、格納部が準備される。ブロック５４８０において、方法５４２０は終了する。
【０１８１】
図２１ＣＣを参照すると、核反応炉用燃料アセンブリを組み立てる例示的な方法５４９０は、ブロック５５００から開始する。ブロック５５１０において、発熱核燃料体を格納するための格納部が準備される。この発熱核燃料体は、相互に連結された複数の開放セル孔を規定する。ブロック５５２０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５５３０において、空間的に均一に分布していない複数の気孔がはっきり表れている核燃料体を入れるために、格納部が準備される。ブロック５５４０において、方法５４９０は終了する。
【０１８２】
図２１ＣＤを参照すると、核反応炉用燃料アセンブリを組み立てる例示的な方法５５５０は、ブロック５５６０から開始する。ブロック５５７０において、発熱核燃料体を格納するための格納部が準備される。この発熱核燃料体は、相互に連結された複数の開放セル孔を規定する。ブロック５５８０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５５９０において、複数の気孔を有する核燃料体を入れるために格納部が設けられ、進行波核分裂反応炉内の爆燃波によって放出された揮発性の核分裂生成物を捕らえる。ブロック５６００において、方法５５５０は終了する。
【０１８３】
図２１ＣＥを参照すると、核反応炉用燃料アセンブリを組み立てる例示的な方法５６１０は、ブロック５６２０から開始する。ブロック５６３０において、発熱核燃料体を格納するための格納部が準備される。この発熱核燃料体は、相互に連結された複数の開放セル孔を規定する。ブロック５６４０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５６５０において、複数の気孔を有する核燃料体を入れるために格納部が準備される。上記複数の気孔のうちの１つ以上の気孔は、予め、揮発性の核分裂生成物の少なくとも一部を所定の応答時間内に核燃料体から逃がすように作られている。ブロック５６６０において、方法５６１０は終了する。
【０１８４】
図２１ＣＦを参照すると、核反応炉用燃料アセンブリを組み立てる例示的な方法５６７０は、ブロック５６８０から開始する。ブロック５６９０において、発熱核燃料体を格納するための格納部が準備される。この発熱核燃料体は、相互に連結された複数の開放セル孔を規定する。ブロック５７００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５７１０において、複数の気孔を有する核燃料体を入れるために格納部が設けられ、これにより、約１０秒を下限とし約１０００秒を上限とする所定の応答時間内に、揮発性の核分裂生成物の少なくとも一部を核燃料体から逃がすことができる。ブロック５７２０において、方法５６７０は終了する。
【０１８５】
図２１ＣＧを参照すると、核反応炉用燃料アセンブリを組み立てる例示的な方法５７３０は、ブロック５７４０から開始する。ブロック５７５０において、発熱核燃料体を格納するための格納部が準備される。この発熱核燃料体は、相互に連結された複数の開放セル孔を規定する。ブロック５７６０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５７７０において、複数の気孔を有する核燃料体を入れるために格納部が設けられ、これにより、約１秒を下限とし約１００００秒を上限とする所定の応答時間内に、揮発性の核分裂生成物の少なくとも一部を核燃料体から逃がすことができる。ブロック５７８０において、方法５７３０は終了する。
【０１８６】
図２１ＣＨを参照すると、核反応炉用燃料アセンブリを組み立てる例示的な方法５７９０は、ブロック５７８０から開始する。ブロック５８１０において、発熱核燃料体を格納するための格納部が準備される。この発熱核燃料体は、相互に連結された複数の開放セル孔を規定する。ブロック５８２０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５８３０において、複数の気孔を有する核燃料体を入れるために格納部が設けられ、これにより、核燃料体を通じて揮発性の核分裂生成物を移送することができる。ブロック５８４０において、方法５７９０は終了する。
【０１８７】
図２１ＣＩを参照すると、核反応炉用燃料アセンブリを組み立てる例示的な方法５８５０は、ブロック５８６０から開始する。ブロック５８７０において、発熱核燃料体を格納するための格納部が準備される。この発熱核燃料体は、相互に連結された複数の開放セル孔を規定する。ブロック５８８０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５８９０において、円筒形状の核燃料体を密封するために格納部が準備される。ブロック５９００において、方法５８５０は終了する。
【０１８８】
図２１ＣＪを参照すると、核反応炉用燃料アセンブリを組み立てる例示的な方法５９１０は、ブロック５９２０から開始する。ブロック５９３０において、発熱核燃料体を格納するための格納部が準備される。この発熱核燃料体は、相互に連結された複数の開放セル孔を規定する。ブロック５９４０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック５９５０において、多角形状の核燃料体を密封するために格納部が準備される。ブロック５９６０において、方法５９１０は終了する。
【０１８９】
図２１ＣＫを参照すると、核反応炉用燃料アセンブリを組み立てる例示的な方法５９７０は、ブロック５９８０から開始する。ブロック５９９０において、発熱核燃料体を格納するための格納部が準備される。この発熱核燃料体は、相互に連結された複数の開放セル孔を規定する。ブロック６０００において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。この方法は、ブロック６０１０においてバルブを連結する工程を含んでいる。ブロック６０２０において、方法５９７０は終了する。
【０１９０】
図２１ＣＬを参照すると、核反応炉用燃料アセンブリを組み立てる例示的な方法６０３０は、ブロック６０４０から開始する。ブロック６０５０において、発熱核燃料体を格納するための格納部が準備される。この発熱核燃料体は、相互に連結された複数の開放セル孔を規定する。ブロック６０６０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック６０７０において、バルブが格納部と流体制御サブアセンブリとの間に挿置され、格納部と流体制御サブアセンブリとの間における流体の流れを制御する。ブロック６０８０において、方法６０３０は終了する。
【０１９１】
図２１ＣＭを参照すると、核反応炉用燃料アセンブリを組み立てる例示的な方法６０９０は、ブロック６１００から開始する。ブロック６１１０において、発熱核燃料体を格納するための格納部が準備される。この発熱核燃料体は、相互に連結された複数の開放セル孔を規定する。ブロック６１２０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック６１３０において、バルブが格納部と流体制御サブアセンブリとの間に挿置され、格納部と流体制御サブアセンブリとの間における流体の流れを制御する。この方法は、ブロック６１４０において逆流防止バルブを挿置する工程を含んでいる。ブロック６１５０において、方法６０９０は終了する。
【０１９２】
図２１ＣＮを参照すると、核反応炉用燃料アセンブリを組み立てる例示的な方法６１６０は、ブロック６１７０から開始する。ブロック６１８０において、発熱核燃料体を格納するための格納部が準備される。この発熱核燃料体は、相互に連結された複数の開放セル孔を規定する。ブロック６１９０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。この方法は、ブロック６２００において破壊制御可能な障壁を連結する工程を含んでいる。ブロック６２１０において、方法６１６０は終了する。
【０１９３】
図２１ＣＯを参照すると、核反応炉用燃料アセンブリを組み立てる例示的な方法６２２０は、ブロック６２３０から開始する。ブロック６２４０において、発熱核燃料体を格納するための格納部が準備される。この発熱核燃料体は、相互に連結された複数の開放セル孔を規定する。ブロック６２５０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック６２６０において、破壊制御可能な障壁が格納部と流体制御サブアセンブリとの間に挿置される。ブロック６２７０において、方法６２２０は終了する。
【０１９４】
図２１ＣＰを参照すると、核反応炉用燃料アセンブリを組み立てる例示的な方法６２８０は、ブロック６２９０から開始する。ブロック６３００において、発熱核燃料体を格納するための格納部が準備される。この発熱核燃料体は、相互に連結された複数の開放セル孔を規定する。ブロック６３１０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック６３２０において、破壊制御可能な障壁が格納部と流体制御サブアセンブリとの間に挿置される。この方法は、ブロック６３３０において所定の圧力で破壊可能であるという破壊制御可能な障壁を挿置する工程を含んでいる。ブロック６３４０において、方法６２８０は終了する。
【０１９５】
図２１ＣＱを参照すると、核反応炉用燃料アセンブリを組み立てる例示的な方法６３５０は、ブロック６３６０から開始する。ブロック６３７０において、発熱核燃料体を格納するための格納部が準備される。この発熱核燃料体は、相互に連結された複数の開放セル孔を規定する。ブロック６３８０において、流体制御サブアセンブリが格納部に接続される。流体制御サブアセンブリは、核燃料体の気孔から出る揮発性の核分裂生成物の少なくとも一部を除去する処理を制御するとともに、核燃料体によって生成される熱の少なくとも一部を除去する処理を前述のように制御する。ブロック６３９０において、破壊制御可能な障壁が格納部と流体制御サブアセンブリとの間に挿置される。この方法は、ブロック６４００において所定の動作で破壊可能であるという破壊制御可能な障壁を挿置する工程を含んでいる。ブロック６４１０において、方法６３５０は終了する。
【０１９６】
図２２Ａを参照すると、爆燃波に応じた複数の位置における揮発性の核分裂生成物を除去するための例示的な方法が与えられている。これに関し、揮発性の核分裂生成物を除去するための例示的な方法６４２０は、ブロック６４３０から開始する。ブロック６４４０において、上記爆燃波に応じた複数の位置に最も近い進行波核分裂反応炉の複数の領域における流体の流れを制御する。これにより、進行波核分裂反応炉の爆燃波に応じた複数の位置における揮発性の核分裂生成物の除去が制御される。ブロック６４５０において、方法６４２０は終了する。
【０１９７】
図２３Ａ〜図２３ＣＫを参照すると、核反応炉用燃料アセンブリ及びシステムを作動させるための例示的な方法が与えられている。
【０１９８】
図２３Ａを参照すると、核反応炉用燃料アセンブリを作動させるための例示的な方法６４６０は、ブロック６４７０から開始する。ブロック６４８０において、揮発性の核分裂生成物を有する多孔性核燃料体を入れる格納部が使用される。ブロック６４９０において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６５００において、方法６４６０は終了する。
【０１９９】
図２３Ｂを参照すると、核反応炉用燃料アセンブリを作動させるための例示的な方法６５１０は、ブロック６５２０から開始する。ブロック６５３０において、揮発性の核分裂生成物を有する多孔性核燃料体を入れる格納部が使用される。ブロック６５４０において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６５５０において、流体制御サブアセンブリに接続された制御ユニットを作動させることで流体制御サブアセンブリの動作を制御する。ブロック６５６０において、方法６５１０は終了する。
【０２００】
図２３Ｃを参照すると、核反応炉用燃料アセンブリを作動させるための例示的な方法６５７０は、ブロック６５８０から開始する。ブロック６５９０において、揮発性の核分裂生成物を有する多孔性核燃料体を入れる格納部が使用される。ブロック６６００において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６６１０において、流体制御サブアセンブリに接続された制御ユニットを作動させることで流体制御サブアセンブリの動作を制御する。ブロック６６２０において、制御ユニットを作動させることで、進行波核分裂反応炉内の電力レベルに応じて制御された形で揮発性の核分裂生成物を開放できるように流体制御サブアセンブリの動作を制御する。ブロック６６３０において、方法６５７０は終了する。
【０２０１】
図２３Ｄを参照すると、核反応炉用燃料アセンブリを作動させるための例示的な方法６６４０は、ブロック６６５０から開始する。ブロック６６６０において、揮発性の核分裂生成物を有する多孔性核燃料体を入れる格納部が使用される。ブロック６６７０において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６６８０において、流体制御サブアセンブリに接続された制御ユニットを作動させることで流体制御サブアセンブリの動作を制御する。ブロック６６９０において、制御ユニットを作動させることで、進行波核分裂反応炉内の中性子数レベルに応じて制御された形で揮発性の核分裂生成物を開放できるように流体制御サブアセンブリの動作を制御する。ブロック６７００において、方法６６４０は終了する。
【０２０２】
図２３Ｅを参照すると、核反応炉用燃料アセンブリを作動させるための例示的な方法６７１０は、ブロック６７２０から開始する。ブロック６７３０において、揮発性の核分裂生成物を有する多孔性核燃料体を入れる格納部が使用される。ブロック６７４０において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６７５０において、流体制御サブアセンブリに接続された制御ユニットを作動させることで流体制御サブアセンブリの動作を制御する。ブロック６７６０において、制御ユニットを作動させることで、進行波核分裂反応炉内にある揮発性の核分裂生成物の圧力レベルに応じて制御された形で揮発性の核分裂生成物を開放できるように流体制御サブアセンブリの動作を制御する。ブロック６７７０において、方法６７１０は終了する。
【０２０３】
図２３Ｆを参照すると、核反応炉用燃料アセンブリを作動させるための例示的な方法６７８０は、ブロック６７９０から開始する。ブロック６８００において、揮発性の核分裂生成物を有する多孔性核燃料体を入れる格納部が使用される。ブロック６８１０において、格納部に連結されている流体制御サブアセンブリを用いて、進行波核分裂反応炉の爆燃波に応じた複数の位置における多孔性核燃料体から揮発性の核分裂生成物の少なくとも一部を除去する処理を制御する。この除去処理の制御は、上記爆燃波に応じた複数の位置に最も近い進行波核分裂反応炉の複数の領域における流体の流れを制御することで行われる。ブロック６８２０において、流体制御サブアセンブリに接続された制御ユニットを作動させることで流体制御サブアセンブリの動作を制御する。ブロック６８３０において、制御ユニットを作動させることで、進行波核分裂反応炉に関する工程表に応じて制御された形で揮発性の核分裂生成物を開放できるように流体制御サブアセンブリの動作を制御する。ブロック６８４０において、方法６７８０は終了する。
【０２０４】
図２３Ｇに示す核分裂反応炉用燃料アセンブリの操作方法６８５０は、ブロック６８６０から開始する。ブロック６８７０では、揮発性の核分裂生成物を有する多孔性核燃料体を格納する格納部が使用される。ブロック６８８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック６８９０では、流体制御サブアセンブリに接続された制御ユニットの機能により流体制御サブアセンブリの動作を制御する。ブロック６９００では、進行波核分裂反応炉の稼動時間に応じて揮発性の核分裂生成物の放出が制御されるように、流体制御サブアセンブリの動作を流体制御サブアセンブリに接続された制御ユニットの機能によって制御する。方法６８５０はブロック６９１０で終了する。
【０２０５】
図２３Ｈに示す核分裂反応炉用燃料アセンブリの操作方法６９２０は、ブロック６９３０から開始する。ブロック６９４０では、揮発性の核分裂生成物を有する多孔性核燃料体を格納する格納部が使用される。ブロック６９５０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック６９６０では、上記多孔性核燃料体を上記格納部に格納する。方法６９２０はブロック６９７０で終了する。
【０２０６】
図２３Ｉに示す核分裂反応炉用燃料アセンブリの操作方法６９８０は、ブロック６９９０から開始する。ブロック７０００では、揮発性の核分裂生成物を有する多孔性核燃料体を格納する格納部が使用される。ブロック７０１０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７０２０では、上記多孔性核燃料体を形成する核分裂性物質を上記格納部に格納する。方法６９８０はブロック７０３０で終了する。
【０２０７】
図２３Jに示す核分裂反応炉用燃料アセンブリの操作方法７０４０は、ブロック７０５０から開始する。ブロック７０６０では、揮発性の核分裂生成物を有する多孔性核燃料体を格納する格納部が使用される。ブロック７０７０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７０８０では、上記多孔性核燃料体を形成する核原料物質（燃料親物質）を上記格納部に格納する。方法７０４０はブロック７０９０で終了する。
【０２０８】
図２３Ｋに示す核分裂反応炉用燃料アセンブリの操作方法７１００は、ブロック７１１０から開始する。ブロック７１２０では、揮発性の核分裂生成物を有する多孔性核燃料体を格納する格納部が使用される。ブロック７１３０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７１４０では、上記多孔性核燃料体を形成する核分裂性物質と核原料物質との混合物を上記格納部に格納する。方法７１００はブロック７１５０で終了する。
【０２０９】
図２３Ｌに示す核分裂反応炉用燃料アセンブリの操作方法７１６０は、ブロック７１７０から開始する。ブロック７１８０では、揮発性の核分裂生成物を有する多孔性核燃料体を格納する格納部が使用される。ブロック７１９０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７２００では、流体制御サブアセンブリを用いて、進行波核分裂反応炉における爆燃波の位置に応じた揮発性の核分裂生成物の放出制御を行う。方法７１６０はブロック７２１０で終了する。
【０２１０】
図２３Ｍに示す核分裂反応炉用燃料アセンブリの操作方法７２２０は、ブロック７２３０から開始する。ブロック７２４０では、揮発性の核分裂生成物を有する多孔性核燃料体を格納する格納部が使用される。ブロック７２５０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７２６０では、多孔性核燃料体を複数の気泡を有する泡の形態で上記格納部に格納する。方法７２２０はブロック７２７０で終了する。
【０２１１】
図２３Ｎに示す核分裂反応炉用燃料アセンブリの操作方法７２８０は、ブロック７２９０から開始する。ブロック７３００では、揮発性の核分裂生成物を有する多孔性核燃料体を格納する格納部が使用される。ブロック７３１０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７３２０では、空間的に非均一に分布した複数の気孔を有する多孔性核燃料体を上記格納部に格納する。方法７２８０はブロック７３３０で終了する。
【０２１２】
図２３Ｏに示す核分裂反応炉用燃料アセンブリの操作方法７３４０は、ブロック７３５０から開始する。ブロック７３６０では、揮発性の核分裂生成物を有する多孔性核燃料体を格納する格納部が使用される。ブロック７３７０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７３８０では、複数の通路（チャンネル）を有する多孔性核燃料体を上記格納部に格納する。方法７３４０はブロック７３９０で終了する。
【０２１３】
図２３Ｐに示す核分裂反応炉用燃料アセンブリの操作方法７４００は、ブロック７４１０から開始する。ブロック７４２０では、揮発性の核分裂生成物を有する多孔性核燃料体を格納する格納部が使用される。ブロック７４３０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７４４０では、複数の通路（チャンネル）を有する多孔性核燃料体を上記格納部に格納する。ブロック７４５０では、複数の通路（チャンネル）を有する多孔性核燃料体を上記格納部に格納する。ブロック７４５０では、複数の小片を有し、これら小片同士の間に複数の通路（チャンネル）が形成された多孔性核燃料体を格納するために上記格納部を用いる。方法７４００はブロック７４６０で終了する。
【０２１４】
図２３Ｑに示す核分裂反応炉用燃料アセンブリの操作方法７４７０は、ブロック７４８０から開始する。ブロック７４９０では、揮発性の核分裂生成物を有する多孔性核燃料体を格納する格納部が使用される。ブロック７５００では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７５１０では、複数の気孔を有し、少なくとも一部の気孔が上記揮発性の核分裂生成物の少なくとも一部を上記多孔性核燃料体から所定の応答時間内で逃がすことができるように配置されている多孔性核燃料体を上記格納部に格納する。方法７４７０はブロック７５２０で終了する。
【０２１５】
図２３Ｒに示す核分裂反応炉用燃料アセンブリの操作方法７５３０は、ブロック７５４０から開始する。ブロック７５５０では、揮発性の核分裂生成物を有する多孔性核燃料体を格納する格納部が使用される。ブロック７５６０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７５７０では、複数の気孔を有する多孔性核燃料体を上記揮発性の核分裂生成物の少なくとも一部を上記多孔性核燃料体から約１０秒〜約１０００秒の範囲内に設定される所定の応答時間内で逃がすことができるように上記格納部に格納する。方法７５３０はブロック７５８０で終了する。
【０２１６】
図２３Ｓに示す核分裂反応炉用燃料アセンブリの操作方法７５９０は、ブロック７６００から開始する。ブロック７６１０では、揮発性の核分裂生成物を有する多孔性核燃料体を格納する格納部が使用される。ブロック７６２０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７６３０では、複数の気孔を有する多孔性核燃料体を上記揮発性の核分裂生成物の少なくとも一部を上記多孔性核燃料体から約１秒〜約１００００秒の範囲内に設定される所定の応答時間内で逃がすことができるように上記格納部に格納する。方法７５９０はブロック７６４０で終了する。
【０２１７】
図２３Ｔに示す核分裂反応炉用燃料アセンブリの操作方法７６５０は、ブロック７５６０から開始する。ブロック７６７０では、揮発性の核分裂生成物を有する多孔性核燃料体を格納する格納部が使用される。ブロック７６８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７６９０では、円筒状の幾何学形状を有する多孔性核燃料体を上記格納部に密封する。方法７６５０はブロック７７００で終了する。
【０２１８】
図２３Ｕに示す核分裂反応炉用燃料アセンブリの操作方法７７１０は、ブロック７７２０から開始する。ブロック７７３０では、揮発性の核分裂生成物を有する多孔性核燃料体を格納する格納部が使用される。ブロック７７４０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７７５０では、多角形の幾何学形状を有する多孔性核燃料体を上記格納部に密封する。方法７７１０はブロック７７６０で終了する。
【０２１９】
図２３Ｖに示す核分裂反応炉用燃料アセンブリの操作方法７７７０は、ブロック７７８０から開始する。ブロック７７９０では、揮発性の核分裂生成物を有する多孔性核燃料体を格納する格納部が使用される。ブロック７８００では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７８１０では、進行波核分裂反応炉内の爆燃波によって放出された揮発性の核分裂生成物を捕捉するための複数の気孔を有する多孔性核燃料体を上記格納部に密封する。方法７７７０はブロック７８２０で終了する。
【０２２０】
図２３Ｗに示す核分裂反応炉用燃料アセンブリの操作方法７８３０は、ブロック７８４０から開始する。ブロック７８５０では、揮発性の核分裂生成物を有する多孔性核燃料体を格納する格納部が使用される。ブロック７８６０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７８７０では、多孔性核燃料体を介して揮発性の核分裂生成物を輸送するための複数の気孔を有する多孔性核燃料体を上記格納部に密封する。方法７８３０はブロック７８８０で終了する。
【０２２１】
図２３Ｘに示す核分裂反応炉用燃料アセンブリの操作方法７８９０は、ブロック７９００から開始する。ブロック７９１０では、揮発性の核分裂生成物を有する多孔性核燃料体を格納する格納部が使用される。ブロック７９２０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７９３０では、流体制御サブアセンブリに接続された貯蔵部内に揮発性の核分裂生成物を収容する。方法７８９０はブロック７９４０で終了する。
【０２２２】
図２３Ｙに示す核分裂反応炉用燃料アセンブリの操作方法７９５０は、ブロック７９６０から開始する。ブロック７９７０では、揮発性の核分裂生成物を有する多孔性核燃料体を格納する格納部が使用される。ブロック７９８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック７９９０では、流体制御サブアセンブリを用いて、多孔性核燃料体から揮発性の核分裂生成物の少なくとも一部を除去するために多孔性核燃料体を通るように核分裂生成物除去用の流体を循環させる。方法７９５０はブロック８０００で終了する。
【０２２３】
図２３Ｚに示す核分裂反応炉用燃料アセンブリの操作方法８０１０は、ブロック８０２０から開始する。ブロック８０３０では、揮発性の核分裂生成物を有する多孔性核燃料体を格納する格納部が使用される。ブロック８０４０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８０５０では、流体制御サブアセンブリを用いて、多孔性核燃料体から揮発性の核分裂生成物の少なくとも一部を除去するために多孔性核燃料体を通るように核分裂生成物除去用の流体を循環させる。ブロック８０６０では、核分裂生成物除去用の流体を注入口（インレット）サブアセンブリを用いて多孔性核燃料体に供給する。方法８０１０はブロック８０７０で終了する。
【０２２４】
図２３ＡＡに示す核分裂反応炉用燃料アセンブリの操作方法８０８０は、ブロック８０９０から開始する。ブロック８１００では、揮発性の核分裂生成物を有する多孔性核燃料体を格納する格納部が使用される。ブロック８１１０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８１２０では、流体制御サブアセンブリを用いて、多孔性核燃料体から揮発性の核分裂生成物の少なくとも一部を除去するために多孔性核燃料体を通るように核分裂生成物除去用の流体を循環させる。ブロック８１３０では、排出口（アウトレット）サブアセンブリを用いて多孔性核燃料体から核分裂生成物除去用の流体を排出する。方法８０８０はブロック８１４０で終了する。
【０２２５】
図２３ＡＢに示す核分裂反応炉用燃料アセンブリの操作方法８１５０は、ブロック８１６０から開始する。ブロック８１７０では、揮発性の核分裂生成物を有する多孔性核燃料体を格納する格納部が使用される。ブロック８１８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８１９０では、流体制御サブアセンブリを用いて、多孔性核燃料体から揮発性の核分裂生成物の少なくとも一部を除去するために多孔性核燃料体を通るように核分裂生成物除去用の流体を循環させる。ブロック８２００では、流体制御サブアセンブリに接続された貯蔵部に核分裂生成物除去用の流体を収容する。方法８０８０はブロック８１４０で終了する。
【０２２６】
図２３ＡＣに示す核分裂反応炉用燃料アセンブリの操作方法８２２０は、ブロック８２３０から開始する。ブロック８２４０では、揮発性の核分裂生成物を有する多孔性核燃料体を格納する格納部が使用される。ブロック８２５０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８２６０では、流体制御サブアセンブリを用いて、多孔性核燃料体から揮発性の核分裂生成物の少なくとも一部を除去するために多孔性核燃料体を通るように核分裂生成物除去用の流体を循環させる。ブロック８２７０では、流体制御サブアセンブリに接続された貯蔵部から核分裂生成物除去用の流体を供給する。方法８２２０はブロック８２８０で終了する。
【０２２７】
図２３ＡＤに示す核分裂反応炉用燃料アセンブリの操作方法８２９０は、ブロック８３００から開始する。ブロック８３１０では、揮発性の核分裂生成物を有する多孔性核燃料体を格納する格納部が使用される。ブロック８３２０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８３３０では、流体制御サブアセンブリを用いて、多孔性核燃料体の気孔を介して気体を循環させるように核分裂燃料アセンブリ（nuclear fission fuel assembly）を形成する。方法８２９０はブロック８３４０で終了する。
【０２２８】
図２３ＡＥに示す核分裂反応炉用燃料アセンブリの操作方法８３５０は、ブロック８３６０から開始する。ブロック８３７０では、揮発性の核分裂生成物を有する多孔性核燃料体を格納する格納部が使用される。ブロック８３８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８３９０では、流体制御サブアセンブリを用いて、多孔性核燃料体の気孔を介して液体を循環させるように核分裂燃料アセンブリを形成する。方法８３５０はブロック８４００で終了する。
【０２２９】
図２３ＡＦに示す核分裂反応炉用燃料アセンブリの操作方法８４１０は、ブロック８４２０から開始する。ブロック８４３０では、揮発性の核分裂生成物を有する多孔性核燃料体を格納する格納部が使用される。ブロック８４４０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８４５０では、ポンプを操作する。方法８４１０はブロック８４００で終了する。
【０２３０】
図２３ＡＧに示す核分裂反応炉用燃料アセンブリの操作方法８４７０は、ブロック８４８０から開始する。ブロック８４９０では、揮発性の核分裂生成物を有する多孔性核燃料体を格納する格納部が使用される。ブロック８５００では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８５１０では、流体制御サブアセンブリに一体的に接続されたポンプを操作することにより、流体制御アセンブリと多孔性核燃料体との間で流体を循環させる。方法８４７０はブロック８５２０で終了する。
【０２３１】
図２３ＡＨに示す核分裂反応炉用燃料アセンブリの操作方法８５３０は、ブロック８５４０から開始する。ブロック８５５０では、揮発性の核分裂生成物を有する多孔性核燃料体を格納する格納部が使用される。ブロック８５６０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８５７０では、バルブを操作する。方法８５３０はブロック８５８０で終了する。
【０２３２】
図２３ＡＩに示す核分裂反応炉用燃料アセンブリの操作方法８５９０は、ブロック８６００から開始する。ブロック８６１０では、揮発性の核分裂生成物を有する多孔性核燃料体を格納する格納部が使用される。ブロック８６２０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８６３０では、上記格納部と流体制御サブアセンブリとの間に挿入されたバルブを操作することにより、上記格納部と流体制御サブアセンブリとの間における流体の流れを制御する。方法８５９０はブロック８６４０で終了する。
【０２３３】
図２３ＡＪに示す核分裂反応炉用燃料アセンブリの操作方法８６５０は、ブロック８６６０から開始する。ブロック８６７０では、揮発性の核分裂生成物を有する多孔性核燃料体を格納する格納部が使用される。ブロック８６８０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８６９０では、上記格納部と流体制御サブアセンブリとの間に挿入されたバルブを操作することにより、上記格納部と流体制御サブアセンブリとの間における流体の流れを制御する。ブロック８７００では、逆止弁を用いて上記格納部と流体制御サブアセンブリとの間における流体の流れを制御する。方法８６５０はブロック８７１０で終了する。
【０２３４】
図２３ＡＫに示す核分裂反応炉用燃料アセンブリの操作方法８７２０は、ブロック８７３０から開始する。ブロック８７４０では、揮発性の核分裂生成物を有する多孔性核燃料体を格納する格納部が使用される。ブロック８７５０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８７６０では、制御可能な脆性障壁を用いる。方法８７２０はブロック８７７０で終了する。
【０２３５】
図２３ＡＬに示す核分裂反応炉用燃料アセンブリの操作方法８７８０は、ブロック８７９０から開始する。ブロック８８００では、揮発性の核分裂生成物を有する多孔性核燃料体を格納する格納部が使用される。ブロック８８１０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８８２０では、上記格納部と流体制御サブアセンブリとの間に挿入された、制御可能な脆性障壁を用いる。方法８７８０はブロック８８３０で終了する。
【０２３６】
図２３ＡＭに示す核分裂反応炉用燃料アセンブリの操作方法８８４０は、ブロック８８５０から開始する。ブロック８８６０では、揮発性の核分裂生成物を有する多孔性核燃料体を格納する格納部が使用される。ブロック８８７０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８８８０では、上記格納部と流体制御サブアセンブリとの間に挿入された、制御可能な脆性障壁を用いる。ブロック８８９０では、所定の圧力で破壊することのできる障壁を用いる。方法８８４０はブロック８９００で終了する。
【０２３７】
図２３ＡＮに示す核分裂反応炉用燃料アセンブリの操作方法８９１０は、ブロック８９２０から開始する。ブロック８９３０では、揮発性の核分裂生成物を有する多孔性核燃料体を格納する格納部が使用される。ブロック８９４０では、上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置で多孔性核燃料体から揮発性の核分裂生成物の少なくとも一部を除去する処理を制御する。ブロック８９５０では、上記格納部と流体制御サブアセンブリとの間に挿入された、制御可能な脆性障壁を用いる。ブロック８９６０では、オペレータの操作によって破壊することのできる障壁を用いる。方法８９１０はブロック８９７０で終了する。
【０２３８】
図２３ＡＯに示す核分裂反応炉用燃料アセンブリの操作方法８９８０は、ブロック８９９０から開始する。ブロック９０００では、複数の相互連結した開放セル孔（open-cell pores）を規定する発熱核燃料体を格納する格納部が使用される。ブロック９０１０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。方法８９８０はブロック９０２０で終了する。
【０２３９】
図２３ＡＰに示す核分裂反応炉用燃料アセンブリの操作方法９０３０は、ブロック９０４０から開始する。ブロック９０５０では、複数の相互連結した開放セル孔を規定する発熱核燃料体を格納する格納部が使用される。ブロック９０６０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９０７０では、流体制御サブアセンブリに接続された制御ユニットを操作することにより、流体制御サブアセンブリの動作を制御する。方法９０３０はブロック９０８０で終了する。
【０２４０】
図２３ＡＱに示す核分裂反応炉用燃料アセンブリの操作方法９０９０は、ブロック９１００から開始する。ブロック９１１０では、複数の相互連結した開放セル孔を規定する発熱核燃料体を格納する格納部が使用される。ブロック９１２０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９１３０では、上記核燃料体を上記格納部に格納する。方法９０９０はブロック９１４０で終了する。
【０２４１】
図２３ＡＲに示す核分裂反応炉用燃料アセンブリの操作方法９１５０は、ブロック９１６０から開始する。ブロック９１７０では、複数の相互連結した開放セル孔を規定する発熱核燃料体を格納する格納部が使用される。ブロック９１８０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９１９０では、上記核燃料体を形成する核分裂性物質を上記格納部に格納する。方法９０９０はブロック９１４０で終了する。
【０２４２】
図２３ＡＳに示す核分裂反応炉用燃料アセンブリの操作方法９２１０は、ブロック９２２０から開始する。ブロック９２３０では、複数の相互連結した開放セル孔を規定する発熱核燃料体を格納する格納部が使用される。ブロック９２４０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９２５０では、上記核燃料体を形成する核原料物質を上記格納部に格納する。方法９２１０はブロック９２６０で終了する。
【０２４３】
図２３ＡＴに示す核分裂反応炉用燃料アセンブリの操作方法９２７０は、ブロック９２８０から開始する。ブロック９２９０では、複数の相互連結した開放セル孔を規定する発熱核燃料体を格納する格納部が使用される。ブロック９３００では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９３１０では、上記核燃料体を形成する核分裂性物質と核原料物質との混合物を上記格納部に格納する。方法９２７０はブロック９３２０で終了する。
【０２４４】
図２３ＡＵに示す核分裂反応炉用燃料アセンブリの操作方法９３３０は、ブロック９３４０から開始する。ブロック９３５０では、複数の相互連結した開放セル孔を規定する発熱核燃料体を格納する格納部が使用される。ブロック９３６０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９３７０では、流体制御サブアセンブリを用いて、進行波核分裂反応炉における爆燃波の位置に応じた揮発性の核分裂生成物の制御放出を行う。方法９３３０はブロック９３８０で終了する。
【０２４５】
図２３ＡＶに示す核分裂反応炉用燃料アセンブリの操作方法９３９０は、ブロック９４００から開始する。ブロック９４１０では、複数の相互連結した開放セル孔を規定する発熱核燃料体を格納する格納部が使用される。ブロック９４２０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９４３０では、流体制御サブアセンブリを用いて、進行波核分裂反応炉の出力レベルに応じた揮発性の核分裂生成物の制御放出を行う。方法９３９０はブロック９４４０で終了する。
【０２４６】
図２３ＡＷに示す核分裂反応炉用燃料アセンブリの操作方法９４５０は、ブロック９４６０から開始する。ブロック９４７０では、複数の相互連結した開放セル孔を規定する発熱核燃料体を格納する格納部が使用される。ブロック９４８０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９４９０では、流体制御サブアセンブリを用いて、進行波核分裂反応炉における中性子数レベル（neutron population level）に応じた揮発性の核分裂生成物の制御放出を行う。方法９４５０はブロック９５００で終了する。
【０２４７】
図２３ＡＸに示す核分裂反応炉用燃料アセンブリの操作方法９５１０は、ブロック９５２０から開始する。ブロック９５３０では、複数の相互連結した開放セル孔を規定する発熱核燃料体を格納する格納部が使用される。ブロック９５４０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９５５０では、流体制御サブアセンブリを用いて、進行波核分裂反応炉における揮発性の核分裂生成物の圧力レベルに応じた揮発性の核分裂生成物の制御放出を行う。方法９５１０はブロック９５６０で終了する。
【０２４８】
図２３ＡＹに示す核分裂反応炉用燃料アセンブリの操作方法９５７０は、ブロック９５８０から開始する。ブロック９５９０では、複数の相互連結した開放セル孔を規定する発熱核燃料体を格納する格納部が使用される。ブロック９６００では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９６１０では、流体制御サブアセンブリを用いて、進行波核分裂反応炉のタイムスケジュールに応じた揮発性の核分裂生成物の制御放出を行う。方法９５１０はブロック９５６０で終了する。
【０２４９】
図２３ＡＺに示す核分裂反応炉用燃料アセンブリの操作方法９６３０は、ブロック９６４０から開始する。ブロック９６５０では、複数の相互連結した開放セル孔を規定する発熱核燃料体を格納する格納部が使用される。ブロック９６６０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９６７０では、流体制御サブアセンブリを用いて、進行波核分裂反応炉の累計稼動時間に応じた揮発性の核分裂生成物の制御放出を行う。方法９６３０はブロック９６８０で終了する。
【０２５０】
図２３ＢＡに示す核分裂反応炉用燃料アセンブリの操作方法９６９０は、ブロック９７００から開始する。ブロック９７１０では、複数の相互連結した開放セル孔を規定する発熱核燃料体を格納する格納部が使用される。ブロック９７２０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９７３０では、揮発性の核分裂生成物を流体制御サブアセンブリに接続された貯蔵部に収容する。方法９６９０はブロック９７４０で終了する。
【０２５１】
図２３ＢＢに示す核分裂反応炉用燃料アセンブリの操作方法９７５０は、ブロック９７６０から開始する。ブロック９７７０では、複数の相互連結した開放セル孔を規定する発熱核燃料体を格納する格納部が使用される。ブロック９７８０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９７９０では、流体制御サブアセンブリを用いて、多孔性核燃料体の孔から揮発性の核分裂生成物の少なくとも一部を除去するために多孔性核燃料体の孔を通るように核分裂生成物除去用の流体を循環させる。揮発性の核分裂生成物を流体制御サブアセンブリに接続された貯蔵部に収容する。方法９７５０はブロック９８００で終了する。
【０２５２】
図２３ＢＣに示す核分裂反応炉用燃料アセンブリの操作方法９８１０は、ブロック９８２０から開始する。ブロック９８３０では、複数の相互連結した開放セル孔を規定する発熱核燃料体を格納する格納部が使用される。ブロック９８４０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９８５０では、流体制御サブアセンブリを用いて、注入口（インレット）サブアセンブリから核燃料体の孔に分裂生成物除去流体を供給して循環させるように核分裂燃料アセンブリを形成する。方法９８１０はブロック９８６０で終了する。
【０２５３】
図２３ＢＤに示す核分裂反応炉用燃料アセンブリの操作方法９８７０は、ブロック９８８０から開始する。ブロック９８９０では、複数の相互連結した開放セル孔を規定する発熱核燃料体を格納する格納部が使用される。ブロック９９００では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９９１０では、流体制御サブアセンブリを用いて、分裂生成物除去流体を循環させ、核燃料体の孔から排出口（アウトレット）サブアセンブリを介して核分裂生成物を除去するように核分裂燃料アセンブリを形成する。方法９８７０はブロック９９２０で終了する。
【０２５４】
図２３ＢＥに示す核分裂反応炉用燃料アセンブリの操作方法９３９０は、ブロック９９４０から開始する。ブロック９９５０では、複数の相互連結した開放セル孔を規定する発熱核燃料体を格納する格納部が使用される。ブロック９９６０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック９９７０では、流体制御サブアセンブリを用いて熱除去用の流体（heat removal fluid）を核燃料体の孔を介して循環させることにより、上記核燃料体によって生成された熱の少なくとも一部を上記核燃料体から除去するように核分裂燃料アセンブリを形成する。方法９８３０はブロック９９８０で終了する。
【０２５５】
図２３ＢＦに示す核分裂反応炉用燃料アセンブリの操作方法９９９０は、ブロック１００００から開始する。ブロック１００１０では、複数の相互連結した開放セル孔を規定する発熱核燃料体を格納する格納部が使用される。ブロック１００２０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック１００３０では、流体制御サブアセンブリを用いて熱除去用の流体を核燃料体の孔を介して循環させることにより、上記核燃料体によって生成された熱の少なくとも一部を上記核燃料体から除去するように核分裂燃料アセンブリを形成する。ブロック１００４０では、上記流体制御サブアセンブリに接続された貯蔵部に上記熱除去用の流体を収容する。方法９９９０はブロック１００５０で終了する。
【０２５６】
図２３ＢＧに示す核分裂反応炉用燃料アセンブリの操作方法１００６０は、ブロック１００７０から開始する。ブロック１００８０では、複数の相互連結した開放セル孔を規定する発熱核燃料体を格納する格納部が使用される。ブロック１００９０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック１０１００では、流体制御サブアセンブリを用いて熱除去用の流体を核燃料体の孔を介して循環させることにより、上記核燃料体によって生成された熱の少なくとも一部を上記核燃料体から除去するように核分裂燃料アセンブリを形成する。ブロック１０１１０では、流体制御サブアセンブリに接続された貯蔵部から熱除去用の流体を供給する。方法１００６０はブロック１０１２０で終了する。
【０２５７】
図２３ＢＨに示す核分裂反応炉用燃料アセンブリの操作方法１０１３０は、ブロック１０１４０から開始する。ブロック１０１５０では、複数の相互連結した開放セル孔を規定する発熱核燃料体を格納する格納部が使用される。ブロック１０１６０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック１０１７０では、流体制御サブアセンブリを用いて熱除去用の流体を核燃料体の孔を介して循環させることにより、上記核燃料体によって生成された熱の少なくとも一部を上記核燃料体から除去するように核分裂燃料アセンブリを形成する。ブロック１０１８０では、流体制御サブアセンブリに接続された、熱除去用の流体との熱交換を行うヒートシンクを用いることによって熱除去用の流体から熱を除去する。方法１０１３０はブロック１０１９０で終了する。
【０２５８】
図２３ＢＩに示す核分裂反応炉用燃料アセンブリの操作方法１０２００は、ブロック１０２１０から開始する。ブロック１０２２０では、複数の相互連結した開放セル孔を規定する発熱核燃料体を格納する格納部が使用される。ブロック１０２３０では上記格納部に接続された流体制御サブアセンブリを用いて、進行波核分裂反応炉の爆燃波に応じた複数の位置に近接する進行波核分裂反応炉の複数の領域での流体の流れを制御することにより、上記爆燃波に対応する上記複数の位置において、揮発性の核分裂生成物の少なくとも一部の核燃料体の上記孔から除去する処理を制御し、かつ核燃料体によって生成された熱の少なくとも一部を除去する処理を制御する。ブロック１０２４０では、流体制御サブアセンブリを用いて熱除去用の流体を核燃料体の孔を介して循環させることにより、上記核燃料体によって生成された熱の少なくとも一部を上記核燃料体から除去するように核分裂燃料アセンブリを形成する。ブロック１０２５０では、流体制御サブアセンブリに接続された、熱除去用の流体との熱交換を行う熱交換器を用いることによって熱除去用の流体から熱を除去する。方法１０２００はブロック１０２６０で終了する。
【０２５９】
図２３ＢＪを参照すると、核分裂反応炉用燃料アセンブリの操作方法１０２７０は、ブロック１０２８０から開始する。ブロック１０２９０では、発熱核燃料体を格納する格納部(enclosure)が使用される。この核燃料体は、複数の相互連結した開放セル孔を規定する。ブロック１０３００では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０３１０では、流体制御サブアセンブリを使用して、核分裂生成物除去用の流体と熱除去用の流体とを同時に循環させる。方法１０２７０は、ブロック１０３１１で終了する。
【０２６０】
図２３ＢＫを参照すると、核分裂反応炉用燃料アセンブリの操作方法１０３１２は、ブロック１０３１３から開始する。ブロック１０３１４では、発熱核燃料体を格納する格納部が使用される。この核燃料体は、複数の相互連結した開放セル孔を規定する。ブロック１０３１５では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０３１６では、流体制御サブアセンブリを使用して、核分裂生成物除去用の流体と熱除去用の流体とを順次循環させる。方法１０３１２は、ブロック１０３１７で終了する。
【０２６１】
図２３ＢＬを参照すると、核分裂反応炉用燃料アセンブリの操作方法１０３１８は、ブロック１０３１９から開始する。ブロック１０３２０では、発熱核燃料体を格納する格納部が使用される。この核燃料体は、複数の相互連結した開放セル孔を規定する。ブロック１０３３０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０３４０では、上記方法は、ポンプを作動する工程を含む。方法１０３１８は、ブロック１０３５０で終了する。
【０２６２】
図２３ＢＭを参照すると、核分裂反応炉用燃料アセンブリの操作方法１０３６０は、ブロック１０３７０から開始する。ブロック１０３８０では、発熱核燃料体を格納する格納部が使用される。この核燃料体は、複数の相互連結した開放セル孔を規定する。ブロック１０３９０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０４００では、上記流体制御サブアセンブリに一体的に連結したポンプを作動することによって、流体制御サブアセンブリと核燃料体の孔との間に流体をつぎ込む。方法１０３６０は、ブロック１０４１０で終了する。
【０２６３】
図２３ＢＮを参照すると、核分裂反応炉用燃料アセンブリの操作方法１０４２０は、ブロック１０４３０から開始する。ブロック１０４４０では、発熱核燃料体を格納する格納部が使用される。この核燃料体は、複数の相互連結した開放セル孔を規定する。ブロック１０４５０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０４６０では、上記流体制御サブアセンブリが核分裂生成物除去用の流体を核燃料体の孔を介して循環することができるように、上記流体制御サブアセンブリに接続した複数の第１要素を用いて、核分裂生成物除去用の流体を上記流体制御サブアセンブリへ供給する。これにより、流体制御サブアセンブリが核分裂生成物除去用の流体を核燃料体の孔を介して循環する間、揮発性の核分裂生成物の少なくとも一部は、核燃料体の孔により捕捉され、核燃料体の孔から除去される。方法１０４２０は、ブロック１０４７０で終了する。
【０２６４】
図２３ＢＯを参照すると、核分裂反応炉用燃料アセンブリの操作方法１０４８０は、ブロック１０４９０から開始する。ブロック１０５００では、発熱核燃料体を格納する格納部が使用される。この核燃料体は、複数の相互連結した開放セル孔を規定する。ブロック１０５１０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０５２０では、上記流体制御サブアセンブリが核分裂生成物除去用の流体を核燃料体の孔を介して循環することができるように、上記流体制御サブアセンブリに接続した複数の第１要素を用いて、核分裂生成物除去用の流体を上記流体制御サブアセンブリへ供給する。これにより、流体制御サブアセンブリが核分裂生成物除去用の流体を核燃料体の孔を介して循環する間、揮発性の核分裂生成物の少なくとも一部は、核燃料体の孔により捕捉され、核燃料体の孔から除去される。ブロック１０５３０では、上記流体制御サブアセンブリが熱除去用の流体を核燃料体の孔を介して循環することができるように、上記流体制御サブアセンブリに接続した複数の第２要素を用いて、熱除去用の流体を上記流体制御サブアセンブリへ供給する。これにより、流体制御サブアセンブリが熱除去用の流体を核燃料体の孔を介して循環する間、核燃料体によって生成された熱の少なくとも一部は核燃料体の孔から除去される。方法１０４８０は、ブロック１０５４０で終了する。
【０２６５】
図２３ＢＰを参照すると、核分裂反応炉用燃料アセンブリの操作方法１０５５０は、ブロック１０５６０から開始する。ブロック１０５７０では、発熱核燃料体を格納する格納部が使用される。この核燃料体は、複数の相互連結した開放セル孔を規定する。ブロック１０５８０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０５９０では、上記流体制御サブアセンブリが核分裂生成物除去用の流体を核燃料体の孔を介して循環することができるように、上記流体制御サブアセンブリに接続した複数の第１要素を用いて、核分裂生成物除去用の流体を上記流体制御サブアセンブリへ供給する。これにより、流体制御サブアセンブリが核分裂生成物除去用の流体を核燃料体の孔を介して循環する間、揮発性の核分裂生成物の少なくとも一部は、核燃料体の孔により捕捉され、核燃料体の孔から除去される。ブロック１０６００では、上記流体制御サブアセンブリが熱除去用の流体を核燃料体の孔を介して循環することができるように、上記流体制御サブアセンブリに接続した複数の第２要素を用いて、熱除去用の流体を上記流体制御サブアセンブリへ供給する。これにより、流体制御サブアセンブリが熱除去用の流体を核燃料体の孔を介して循環する間、核燃料体によって生成された熱の少なくとも一部は核燃料体の孔から除去される。ブロック１０６１０では、第１要素のうち少なくとも１つと第２要素のうち少なくとも１つとが一致するように、第１要素及び第２要素を使用する。方法１０５５０は、ブロック１０６２０で終了する。
【０２６６】
図２３ＢＱを参照すると、核分裂反応炉用燃料アセンブリの操作方法１０６３０は、ブロック１０６４０から開始する。ブロック１０６５０では、発熱核燃料体を格納する格納部が使用される。この核燃料体は、複数の相互連結した開放セル孔を規定する。ブロック１０６６０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０６７０では、上記格納部に接続した二重目的周回路(a dual-purpose circuit)を使用して、核燃料体から揮発性の核分裂生成物及び熱を選択的に除去する。方法１０６３０は、ブロック１０６８０で終了する。
【０２６７】
図２３ＢＲを参照すると、核分裂反応炉用燃料アセンブリの操作方法１０６９０は、ブロック１０７００から開始する。ブロック１０７１０では、発熱核燃料体を格納する格納部が使用される。この核燃料体は、複数の相互連結した開放セル孔を規定する。ブロック１０７２０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０７３０では、流体制御サブアセンブリを使用して、核燃料体の孔を介してガスを循環させる。方法１０６９０は、ブロック１０７４０で終了する。
【０２６８】
図２３ＢＳを参照すると、核分裂反応炉用燃料アセンブリの操作方法１０７５０は、ブロック１０７６０から開始する。ブロック１０７７０では、発熱核燃料体を格納する格納部が使用される。この核燃料体は、複数の相互連結した開放セル孔を規定する。ブロック１０７８０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０７９０では、流体制御サブアセンブリを使用して、核燃料体の孔を介して液体を循環させる。方法１０７５０は、ブロック１０８００で終了する。
【０２６９】
図２３ＢＴを参照すると、核分裂反応炉用燃料アセンブリの操作方法１０８１０は、ブロック１０８２０から開始する。ブロック１０８３０では、発熱核燃料体を格納する格納部が使用される。この核燃料体は、複数の相互連結した開放セル孔を規定する。ブロック１０８４０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０８５０では、複数の孔を規定する発泡体の形態で核燃料体を格納するために、上記格納部を使用する。方法１０８１０は、ブロック１０８６０で終了する。
【０２７０】
図２３ＢＵを参照すると、核分裂反応炉用燃料アセンブリの操作方法１０８７０は、ブロック１０８８０から開始する。ブロック１０８９０では、発熱核燃料体を格納する格納部が使用される。この核燃料体は、複数の相互連結した開放セル孔を規定する。ブロック１０９００では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０９１０では、複数のチャンネルを有する核燃料体を格納するために、上記格納部を使用する。方法１０８７０は、ブロック１０９２０で終了する。
【０２７１】
図２３ＢＶを参照すると、核分裂反応炉用燃料アセンブリの操作方法１０９３０は、ブロック１０９４０から開始する。ブロック１０９５０では、発熱核燃料体を格納する格納部が使用される。この核燃料体は、複数の相互連結した開放セル孔を規定する。ブロック１０９６０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１０９７０では、複数のチャンネルを有する核燃料体を格納するために、上記格納部を使用する。ブロック１０９８０では、複数の粒子を有し当該粒子間で複数のチャンネルを規定する核燃料体を格納するために、上記格納部を使用する。方法１０９３０は、ブロック１０９９０で終了する。
【０２７２】
図２３ＢＷを参照すると、核分裂反応炉用燃料アセンブリの操作方法１１０００は、ブロック１１０１０から開始する。ブロック１１０２０では、発熱核燃料体を格納する格納部が使用される。この核燃料体は、複数の相互連結した開放セル孔を規定する。ブロック１１０３０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１０４０では、複数の孔を規定する核燃料体を格納するために、上記格納部を使用する。この複数の孔は、分布が空間的に不均一になっている。方法１１０００は、ブロック１１０５０で終了する。
【０２７３】
図２３ＢＸを参照すると、核分裂反応炉用燃料アセンブリの操作方法１１０６０は、ブロック１１０７０から開始する。ブロック１１０８０では、発熱核燃料体を格納する格納部が使用される。この核燃料体は、複数の相互連結した開放セル孔を規定する。ブロック１１０９０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１１００では、進行波核分裂反応炉の爆燃波によって放出された揮発性の核分裂生成物を捕獲するための、複数の孔を有する核燃料体を格納するために、上記格納部を使用する。方法１１０６０は、ブロック１１１１０で終了する。
【０２７４】
図２３ＢＹを参照すると、核分裂反応炉用燃料アセンブリの操作方法１１１２０は、ブロック１１１３０から開始する。ブロック１１１４０では、発熱核燃料体を格納する格納部が使用される。この核燃料体は、複数の相互連結した開放セル孔を規定する。ブロック１１１５０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１１６０では、複数の孔を有する核燃料体を格納するために、上記格納部を使用する。１以上の複数の孔は、揮発性の核分裂生成物の少なくとも一部が所定応答時間内に核燃料体から逃げることを可能にするための、所定の構造になっている。方法１１１２０は、ブロック１１１７０で終了する。
【０２７５】
図２３ＢＺを参照すると、核分裂反応炉用燃料アセンブリの操作方法１１１８０は、ブロック１１１９０から開始する。ブロック１１２００では、発熱核燃料体を格納する格納部が使用される。この核燃料体は、複数の相互連結した開放セル孔を規定する。ブロック１１２１０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１２２０では、揮発性の核分裂生成物の少なくとも一部が約１０秒と約１，０００秒との間の所定応答時間内に核燃料体から逃げることを可能にするための、複数の孔を有する核燃料体を格納するために、上記格納部を使用する。方法１１１８０は、ブロック１１２３０で終了する。
【０２７６】
図２３ＣＡを参照すると、核分裂反応炉用燃料アセンブリの操作方法１１２４０は、ブロック１１２５０から開始する。ブロック１１２６０では、発熱核燃料体を格納する格納部が使用される。この核燃料体は、複数の相互連結した開放セル孔を規定する。ブロック１１２７０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１２８０では、揮発性の核分裂生成物の少なくとも一部が約１秒と約１０，０００秒との間の所定応答時間内に核燃料体から逃げることを可能にするための、複数の孔を有する核燃料体を格納するために、上記格納部を使用する。方法１１２４０は、ブロック１１２９０で終了する。
【０２７７】
図２３ＣＢを参照すると、核分裂反応炉用燃料アセンブリの操作方法１１３００は、ブロック１１３１０から開始する。ブロック１１３２０では、発熱核燃料体を格納する格納部が使用される。この核燃料体は、複数の相互連結した開放セル孔を規定する。ブロック１１３３０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１３４０では、核燃料体を介して揮発性の核分裂生成物を輸送するための、複数の孔を有する核燃料体を格納するために、上記格納部を使用する。方法１１３００は、ブロック１１３５０で終了する。
【０２７８】
図２３ＣＣを参照すると、核分裂反応炉用燃料アセンブリの操作方法１１３６０は、ブロック１１３７０から開始する。ブロック１１３８０では、発熱核燃料体を格納する格納部が使用される。この核燃料体は、複数の相互連結した開放セル孔を規定する。ブロック１１３９０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１４００では、幾何学的形状が円柱である核燃料体を密閉して格納するために、上記格納部を使用する。方法１１３６０は、ブロック１１４１０で終了する。
【０２７９】
図２３ＣＤを参照すると、核分裂反応炉用燃料アセンブリの操作方法１１４２０は、ブロック１１４３０から開始する。ブロック１１４４０では、発熱核燃料体を格納する格納部が使用される。この核燃料体は、複数の相互連結した開放セル孔を規定する。ブロック１１４５０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１４６０では、幾何学的形状が多角形である核燃料体を密閉して格納するために、上記格納部を使用する。方法１１４２０は、ブロック１１４７０で終了する。
【０２８０】
図２３ＣＥを参照すると、核分裂反応炉用燃料アセンブリの操作方法１１４８０は、ブロック１１４９０から開始する。ブロック１１５００では、発熱核燃料体を格納する格納部が使用される。この核燃料体は、複数の相互連結した開放セル孔を規定する。ブロック１１５１０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１５２０では、この方法は、バルブを作動する工程を含む。方法１１４８０は、ブロック１１５３０で終了する。
【０２８１】
図２３ＣＦを参照すると、核分裂反応炉用燃料アセンブリの操作方法１１５４０は、ブロック１１５５０から開始する。ブロック１１５６０では、発熱核燃料体を格納する格納部が使用される。この核燃料体は、複数の相互連結した開放セル孔を規定する。ブロック１１５７０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１５８０では、上記格納部と流体制御サブアセンブリとの間にあるバルブを作動することによって、上記格納部と流体制御サブアセンブリとの間で流体の流れを制御する。方法１１５４０は、ブロック１１５９０で終了する。
【０２８２】
図２３ＣＧを参照すると、核分裂反応炉用燃料アセンブリの操作方法１１６００は、ブロック１１６１０から開始する。ブロック１１６２０では、発熱核燃料体を格納する格納部が使用される。この核燃料体は、複数の相互連結した開放セル孔を規定する。ブロック１１６３０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１６４０では、上記格納部と流体制御サブアセンブリとの間にあるバルブを作動することによって、上記格納部と流体制御サブアセンブリとの間で流体の流れを制御する。ブロック１１６５０では、逆流防止バルブを作動することによって、上記格納部と流体制御サブアセンブリとの間で流体の流れを制御する。方法１１６００は、ブロック１１６６０で終了する。
【０２８３】
図２３ＣＨを参照すると、核分裂反応炉用燃料アセンブリの操作方法１１６７０は、ブロック１１６８０から開始する。ブロック１１６９０では、発熱核燃料体を格納する格納部が使用される。この核燃料体は、複数の相互連結した開放セル孔を規定する。ブロック１１７００では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１７１０では、制御可能な脆性障壁を使用する。方法１１６７０は、ブロック１１７２０で終了する。
【０２８４】
図２３ＣＩを参照すると、核分裂反応炉用燃料アセンブリの操作方法１１７３０は、ブロック１１７４０から開始する。ブロック１１７５０では、発熱核燃料体を格納する格納部が使用される。この核燃料体は、複数の相互連結した開放セル孔を規定する。ブロック１１７６０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１７７０では、上記格納部と流体制御サブアセンブリとの間に制御可能な脆性障壁を介在させる。方法１１７３０は、ブロック１１７８０で終了する。
【０２８５】
図２３ＣＪを参照すると、核分裂反応炉用燃料アセンブリの操作方法１１７９０は、ブロック１１８００から開始する。ブロック１１８１０では、発熱核燃料体を格納する格納部が使用される。この核燃料体は、複数の相互連結した開放セル孔を規定する。ブロック１１８２０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１８３０では、上記格納部と流体制御サブアセンブリとの間に制御可能な脆性障壁を介在させる。方法１１７９０は、ブロック１１８４０で終了する。
【０２８６】
図２３ＣＫを参照すると、核分裂反応炉用燃料アセンブリの操作方法１１８５０は、ブロック１１８６０から開始する。ブロック１１８７０では、発熱核燃料体を格納する格納部が使用される。この核燃料体は、複数の相互連結した開放セル孔を規定する。ブロック１１８８０では、上記格納部と接続している流体制御サブアセンブリを使用して、爆燃波に対応する複数の位置に近接する、進行波核分裂反応炉の複数の領域における流体の流れを制御することによって、進行波核分裂反応炉の爆燃波に対応する複数の位置において、核燃料体の孔から揮発性の核分裂生成物の少なくとも一部を除去する処理を制御し、かつ核燃料体によって生成された熱の少なくとも一部を除去する処理を制御する。ブロック１１８９０では、この方法は、操作者による操作によって脆性障壁を介在させる工程を含む。方法１１８５０は、ブロック１１９００で終了する。
【０２８７】
当業者であれば、ここに記載された構成要素（例えば、作動）、デバイス、目的、及びこれらに付帯する議論は、発想を分かりやすくすることを目的とする例として使用されていること、及び各種構成の修正が可能であることが理解できるであろう。したがって、ここで使用されているように、説明された具体的な見本及び付帯する議論は、より包括的なクラスを表わすものである。一般に、任意の具体的な見本の使用は、そのクラスを表わすものであって、具体的な構成要素（例えば、作動）、デバイス、及び目的が記載されていなくても、これを限定的に解釈すべきものではない。
【０２８８】
また、当業者であれば、代表的な例としての、前述の具体的なプロセス及び／またはデバイス及び／または技術が、本明細書中の別の箇所、例えばここに提出した請求項及び／または本願の別の箇所において教唆された、より包括的なプロセス及び／またはデバイス及び／または技術を表わしていることが理解できるであろう。
【０２８９】
ここに記載した本主題の具体的な態様を図示説明したが、変更及び修正を加えても、ここに記載した主題及びより広い態様から逸脱するものではないこと、したがって、付属の請求項は、その範囲内に、さらにここに記載した主題の真の精神及び範囲内に、すべての変化及び修正が含むことを、当業者は本明細書中の教唆に基づいて自ずと理解できるはずである。当該技術分野の当業者であれば、一般に、ここで使用した用語、特に付属の請求項（例えば、付属の請求項の本文）で使用した用語が、一般に「オープン」な用語であることを意図したものであることが理解できるであろう（例えば、「…を含む」という用語は、「を含んでいるが、これらに限定されるものではない」と解釈すべきであり、「…を有する」という用語は、「少なくとも…を有する」と解釈すべきであり、「…を備えた」という用語は、「を備えているが、これらに限定されるものではない」と解釈すべきである）。さらに、請求項において導入された構成要素について具体的な個数が意図されているのであれば、このような意図が請求項中で明示的に記載されるのであって、このような明示的な記載が無い場合には、このような意図は存在しないことが、当該技術分野の当業者は理解できるであろう。理解の一助として例を挙げると、下記の付属の請求項において、請求項の構成要素を導入するために、「少なくとも１つの」とか「１つ以上の」といった導入表現が使用されているかもしれない。しかし、たとえこのような表現を使用していたとしても、不定冠詞「ａ」または「ａｎ」によって請求項の構成要素を導入していることが、請求項に導入されたこの構成要素を含む任意の特定の請求項を、該構成要素を１つしか含まない請求項に限定していることを暗示しているのだと、解釈するべきものではない。同様に、このような解釈は、たとえ同一請求項中に「１つ以上の」または「少なくとも１つの」という導入表現と、不定冠詞、例えば「ａ」または「ａｎ」とが含まれていても、やはりするべきものではない（例えば、「ａ」及び／または「ａｎ」は、通常、「少なくとも１つの」または「１つ以上の」を意味すると解釈すべきである）。同じことが、請求項の構成要素を導入するために使用された定冠詞の使用についても当てはまる。さらに、たとえ請求項で導入された構成要素について具体的な個数が明示的に記載されていたとしても、当業者であれば、このような記載は、通常、少なくとも記載された個数が含まれていることを意味していると解釈されるべきであることが理解できるであろう（例えば、修飾語を使わずに単に「２つの構成要素」と記載されている場合、通常、該構成要素が少なくとも２つまたは２つ以上含まれていることを意味する）。さらに、「Ａ、Ｂ、及びＣなどのうちの少なくとも一つ」に類似の表現形式が使用されている場合、一般に、このような文構造は、当業者がその表現形式を理解するであろう意味を意図している（例えば、「Ａ、Ｂ、及びＣのうちの少なくとも一つを有するシステム」には、Ａだけを有するシステム、Ｂだけを有するシステム、Ｃだけを有するシステム、Ａ及びＢをともに有するシステム、Ａ及びＣをともに有するシステム、Ｂ及びＣをともに有するシステム、及び／またはＡ、Ｂ、及びＣをともに有するシステムなどが含まれるが、これに限定されるものではない）。「Ａ、Ｂ、またはＣなどのうちの少なくとも一つ」に類似の表現形式が使用されている場合、一般に、このような文構造は、当業者がその表現形式を理解するであろう意味を意図している（例えば、「Ａ、Ｂ、またはＣのうちの少なくとも一つを有するシステム」には、Ａだけを有するシステム、Ｂだけを有するシステム、Ｃだけを有するシステム、Ａ及びＢをともに有するシステム、Ａ及びＣをともに有するシステム、Ｂ及びＣをともに有するシステム、及び／またはＡ、Ｂ、及びＣをともに有するシステムなどが含まれるが、これに限定されるものではない）。さらに、当業者であれば、通常、選択肢となる２つ以上の用語を提示する選言的な言葉及び／または表現は、それが明細書中、請求項中、または図面中のいずれであっても、文脈と矛盾しない限りにおいて、複数の用語のうちの一つを含んでいる可能性、複数の用語のうちの一方を含んでいる可能性、または複数の用語をともに含んでいる可能性を考慮しているものであると理解すべきことが理解できるであろう。例えば、「ＡまたはＢ」という表現は、通常、「Ａ」である可能性または「Ｂ」である可能性または「Ａ及びＢ」である可能性を含んだものであると理解される。
【０２９０】
付属の請求項に関して、当業者であれば、請求項中に記載の作動は、一般に任意の順序で実施してもかまわないことが理解できるであろう。また、さまざまな作動の流れが一連の流れとして提示されているが、このさまざまな作動が、図示された順序とは他の順序で実施されても、または同時に実施されてもかまわないことは理解されるべきである。このような別の順序の例には、文脈と矛盾しない限りにおいて、繰り返し、交互実施、中断、順序変更、増分、準備、補充、同時、逆、またはその他の変形した各順序が含まれてもよい。
【０２９１】
本明細書には、様々な態様及び実施形態が開示されているが、他の態様及び実施形態も当業者にとって明らかであろう。例えば、各実施形態の核分裂反応炉用燃料アセンブリは、熱中性子反応炉、高速中性子反応炉、中性子増殖型反応炉、または高速中性子増殖型反応炉に配置されていてもよい。それゆえ、各実施形態の核分裂反応炉用燃料アセンブリは、様々な核反応炉の設計に有利に使用するのに十分な広い用途がある。
【０２９２】
よって、提供されるものは、進行波核分裂反応炉における爆燃波によって放出される、揮発性の核分裂生成物及び熱を除去する処理を制御するように構成された核分裂反応炉用燃料アセンブリ及びシステム、並びにその方法である。
【０２９３】
また、さまざまな態様及び実施形態を、ここに開示したか、その他の態様及び実施形態が可能であることは、当業者であれば自ずと理解できるはずである。ここに開示した各種態様及び実施形態は、説明を目的とするものであって、限定を加えることを意図するものではない。また、真の範囲及び精神は以下の請求項によって示されている。
【図面の簡単な説明】
【０２９４】
【図１】第１の実施形態の核分裂反応炉用燃料アセンブリ及びシステムの部分縦断面図である。
【図２】相互連結した複数の開放セル孔を規定する多孔性核燃料本体の部分拡大図である。
【図２Ａ】複数の粒子を有し、該粒子間で複数のチャンネルを規定する核燃料体の部分拡大図である。
【図３】第２の実施形態の核分裂反応炉用燃料アセンブリ及びシステムの部分縦断面図である。
【図４】第３の実施形態の核分裂反応炉用燃料アセンブリ及びシステムの部分縦断面図である。
【図５】第４の実施形態の核分裂反応炉用燃料アセンブリ及びシステムの部分縦断面図である。
【図６】封止容器に複数配された、第４の実施形態の核分裂反応炉用燃料アセンブリ及びシステムの部分縦断面図である。
【図６Ａ】第１の実施形態としての、脆性障壁を有するダイヤフラムバルブの部分縦断面図である。
【図６Ｂ】第２の実施形態としての、ピストン構成により脆性になった障壁を有するダイヤフラムバルブの部分縦断面図である。
【図７】封止容器外部に配された部分がある、複数の、第６の実施形態の核分裂反応炉用燃料アセンブリ及びシステムの部分縦断面図である。
【図７Ａ】Ｙ字パイプ接合部によって作動可能に接続される、第１供給要素、第２供給要素、及び流体制御サブアセンブリの部分縦断面図である。
【図７Ｂ】流体制御サブアセンブリに接続される、注入口サブアセンブリ及び排出口サブアセンブリの部分縦断面図である。
【図７Ｃ】多孔性核燃料体に接続される注入口サブアセンブリ、及び流体制御サブアセンブリに接続される排出口サブアセンブリの部分縦断面図である。
【図７Ｄ】多孔性核燃料体に接続される複数の注入口サブアセンブリ、注入口サブアセンブリそれぞれに接続された複数のポンプの部分縦断面図であり、流体制御サブアセンブリに接続される排出口サブアセンブリも示す。
【図７Ｅ】第７の実施形態の核分裂反応炉用燃料アセンブリ及びシステムの部分縦断面図である。
【図８】第８の実施形態の核分裂反応炉用燃料アセンブリ及びシステムの部分縦断面図である。
【図９】第９の実施形態の核分裂反応炉用燃料アセンブリ及びシステムの平面図である。
【図１０】図９の１０−１０線断面図である。
【図１１】第１０の実施形態の核分裂反応炉用燃料アセンブリ及びシステムの部分縦断面図である。
【図１２】第１１の実施形態の核分裂反応炉用燃料アセンブリ及びシステムの部分縦断面図である。
【図１３】第１２の実施形態の核分裂反応炉用燃料アセンブリ及びシステムの平面図である。
【図１４】図１３の１４−１４線断面図である。
【図１５】第１３の実施形態の核分裂反応炉用燃料アセンブリ及びシステムの部分正面図である。
【図１６】図１５の１６−１６線断面図である。
【図１７】第１４の実施形態の核分裂反応炉用燃料アセンブリ及びシステムの平面図である。
【図１８】図１７の１８−１８線断面図である。
【図１９】第１５の実施形態の核分裂反応炉用燃料アセンブリ及びシステムの部分縦断面図である。
【図２０】第１６の実施形態の核分裂反応炉用燃料アセンブリ及びシステムの部分縦断面図である。
【図２１Ａ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｂ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｃ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｄ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｅ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｆ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｇ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｈ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｉ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｊ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｋ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｌ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｍ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｎ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｏ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｐ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｑ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｒ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｓ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｔ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｕ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｖ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｗ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｘ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｙ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１Ｚ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＡ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＢ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＣ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＤ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＥ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＦ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＧ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＨ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＩ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＪ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＫ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＬ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＭ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＮ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＯ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＰ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＱ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＲ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＳ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＴ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＵ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＶ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＷ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＸ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＹ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＡＺ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＡ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＢ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＣ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＤ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＥ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＦ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＧ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＨ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＩ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＪ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＫ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＬ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＭ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＮ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＯ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＰ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＱ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＲ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＳ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＴ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＵ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＶ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＷ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＸ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＹ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＢＺ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＡ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＢ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＣ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＤ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＥ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＦ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＧ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＨ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＩ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＪ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＫ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＬ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＭ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＮ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＯ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＰ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２１ＣＱ】揮発性の核分裂生成物の除去、並びに進行波核分裂反応炉及びその方法における爆燃波による放熱を制御するように構成された核分裂反応炉用燃料アセンブリの組立て方法を示すフローチャートである。
【図２２Ａ】爆燃波に対応する複数の位置で揮発性の核分裂生成物を除去する方法を示すフローチャートである。
【図２３Ａ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｂ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｃ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｄ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｅ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｆ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｇ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｈ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｉ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｊ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｋ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｌ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｍ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｎ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｏ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｐ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｑ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｒ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｓ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｔ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｕ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｖ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｗ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｘ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｙ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３Ｚ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＡ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＢ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＣ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＤ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＥ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＦ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＧ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＨ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＩ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＪ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＫ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＬ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＭ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＮ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＯ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＰ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＱ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＲ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＳ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＴ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＵ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＶ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＷ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＸ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＹ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＡＺ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＡ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＢ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＣ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＤ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＥ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＦ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＧ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＨ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＩ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＪ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＫ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＬ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＭ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＮ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＯ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＰ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＱ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＲ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＳ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＴ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＵ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＶ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＷ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＸ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＹ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＢＺ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＡ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＢ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＣ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＤ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＥ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＦ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＧ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＨ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＩ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＪ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図２３ＣＫ】揮発性の核分裂生成物の除去、並びに進行波核分裂反応炉及びその方法における爆燃波による放熱を制御するように構成された核分裂反応炉用燃料アセンブリを作動する方法を示すフローチャートである。
【図１】
2012524264.tif 000003
【図２】
2012524264.tif 000004
【図２Ａ】
2012524264.tif 000005
【図３】
2012524264.tif 000006
【図４】
2012524264.tif 000007
【図５】
2012524264.tif 000008
【図６】
2012524264.tif 000009
【図６Ａ】
2012524264.tif 000010
【図６Ｂ】
2012524264.tif 000011
【図７】
2012524264.tif 000012
【図７Ａ】
2012524264.tif 000013
【図７Ｂ】
2012524264.tif 000014
【図７Ｃ】
2012524264.tif 000015
【図７Ｄ】
2012524264.tif 000016
【図７Ｅ】
2012524264.tif 000017
【図８】
2012524264.tif 000018
【図９】
2012524264.tif 000019
【図１０】
2012524264.tif 000020
【図１１】
2012524264.tif 000021
【図１２】
2012524264.tif 000022
【図１３】
2012524264.tif 000023
【図１４】
2012524264.tif 000024
【図１５】
2012524264.tif 000025
【図１６】
2012524264.tif 000026
【図１７】
2012524264.tif 000027
【図１８】
2012524264.tif 000028
【図１９】
2012524264.tif 000029
【図２０】
2012524264.tif 000030
【図２１Ａ】
2012524264.tif 000031
【図２１Ｂ】
2012524264.tif 000032
【図２１Ｃ】
2012524264.tif 000033
【図２１Ｄ】
2012524264.tif 000034
【図２１Ｅ】
2012524264.tif 000035
【図２１Ｆ】
2012524264.tif 000036
【図２１Ｇ】
2012524264.tif 000037
【図２１Ｈ】
2012524264.tif 000038
【図２１Ｉ】
2012524264.tif 000039
【図２１Ｊ】
2012524264.tif 000040
【図２１Ｋ】
2012524264.tif 000041
【図２１Ｌ】
2012524264.tif 000042
【図２１Ｍ】
2012524264.tif 000043
【図２１Ｎ】
2012524264.tif 000044
【図２１Ｏ】
2012524264.tif 000045
【図２１Ｐ】
2012524264.tif 000046
【図２１Ｑ】
2012524264.tif 000047
【図２１Ｒ】
2012524264.tif 000048
【図２１Ｓ】
2012524264.tif 000049
【図２１Ｔ】
2012524264.tif 000050
【図２１Ｕ】
2012524264.tif 000051
【図２１Ｖ】
2012524264.tif 000052
【図２１Ｗ】
2012524264.tif 000053
【図２１Ｘ】
2012524264.tif 000054
【図２１Ｙ】
2012524264.tif 000055
【図２１Ｚ】
2012524264.tif 000056
【図２１ＡＡ】
2012524264.tif 000057
【図２１ＡＢ】
2012524264.tif 000058
【図２１ＡＣ】
2012524264.tif 000059
【図２１ＡＤ】
2012524264.tif 000060
【図２１ＡＥ】
2012524264.tif 000061
【図２１ＡＦ】
2012524264.tif 000062
【図２１ＡＧ】
2012524264.tif 000063
【図２１ＡＨ】
2012524264.tif 000064
【図２１ＡＩ】
2012524264.tif 000065
【図２１ＡＪ】
2012524264.tif 000066
【図２１ＡＫ】
2012524264.tif 000067
【図２１ＡＬ】
2012524264.tif 000068
【図２１ＡＭ】
2012524264.tif 000069
【図２１ＡＮ】
2012524264.tif 000070
【図２１ＡＯ】
2012524264.tif 000071
【図２１ＡＰ】
2012524264.tif 000072
【図２１ＡＱ】
2012524264.tif 000073
【図２１ＡＲ】
2012524264.tif 000074
【図２１ＡＳ】
2012524264.tif 000075
【図２１ＡＴ】
2012524264.tif 000076
【図２１ＡＵ】
2012524264.tif 000077
【図２１ＡＶ】
2012524264.tif 000078
【図２１ＡＷ】
2012524264.tif 000079
【図２１ＡＸ】
2012524264.tif 000080
【図２１ＡＹ】
2012524264.tif 000081
【図２１ＡＺ】
2012524264.tif 000082
【図２１ＢＡ】
2012524264.tif 000083
【図２１ＢＢ】
2012524264.tif 000084
【図２１ＢＣ】
2012524264.tif 000085
【図２１ＢＤ】
2012524264.tif 000086
【図２１ＢＥ】
2012524264.tif 000087
【図２１ＢＦ】
2012524264.tif 000088
【図２１ＢＧ】
2012524264.tif 000089
【図２１ＢＨ】
2012524264.tif 000090
【図２１ＢＩ】
2012524264.tif 000091
【図２１ＢＪ】
2012524264.tif 000092
【図２１ＢＫ】
2012524264.tif 000093
【図２１ＢＬ】
2012524264.tif 000094
【図２１ＢＭ】
2012524264.tif 000095
【図２１ＢＮ】
2012524264.tif 000096
【図２１ＢＯ】
2012524264.tif 000097
【図２１ＢＰ】
2012524264.tif 000098
【図２１ＢＱ】
2012524264.tif 000099
【図２１ＢＲ】
2012524264.tif 000100
【図２１ＢＳ】
2012524264.tif 000101
【図２１ＢＴ】
2012524264.tif 000102
【図２１ＢＵ】
2012524264.tif 000103
【図２１ＢＶ】
2012524264.tif 000104
【図２１ＢＷ】
2012524264.tif 000105
【図２１ＢＸ】
2012524264.tif 000106
【図２１ＢＹ】
2012524264.tif 000107
【図２１ＢＺ】
2012524264.tif 000108
【図２１ＣＡ】
2012524264.tif 000109
【図２１ＣＢ】
2012524264.tif 000110
【図２１ＣＣ】
2012524264.tif 000111
【図２１ＣＤ】
2012524264.tif 000112
【図２１ＣＥ】
2012524264.tif 000113
【図２１ＣＦ】
2012524264.tif 000114
【図２１ＣＧ】
2012524264.tif 000115
【図２１ＣＨ】
2012524264.tif 000116
【図２１ＣＩ】
2012524264.tif 000117
【図２１ＣＪ】
2012524264.tif 000118
【図２１ＣＫ】
2012524264.tif 000119
【図２１ＣＬ】
2012524264.tif 000120
【図２１ＣＭ】
2012524264.tif 000121
【図２１ＣＮ】
2012524264.tif 000122
【図２１ＣＯ】
2012524264.tif 000123
【図２１ＣＰ】
2012524264.tif 000124
【図２１ＣＱ】
2012524264.tif 000125
【図２２Ａ】
2012524264.tif 000126
【図２３Ａ】
2012524264.tif 000127
【図２３Ｂ】
2012524264.tif 000128
【図２３Ｃ】
2012524264.tif 000129
【図２３Ｄ】
2012524264.tif 000130
【図２３Ｅ】
2012524264.tif 000131
【図２３Ｆ】
2012524264.tif 000132
【図２３Ｇ】
2012524264.tif 000133
【図２３Ｈ】
2012524264.tif 000134
【図２３Ｉ】
2012524264.tif 000135
【図２３Ｊ】
2012524264.tif 000136
【図２３Ｋ】
2012524264.tif 000137
【図２３Ｌ】
2012524264.tif 000138
【図２３Ｍ】
2012524264.tif 000139
【図２３Ｎ】
2012524264.tif 000140
【図２３Ｏ】
2012524264.tif 000141
【図２３Ｐ】
2012524264.tif 000142
【図２３Ｑ】
2012524264.tif 000143
【図２３Ｒ】
2012524264.tif 000144
【図２３Ｓ】
2012524264.tif 000145
【図２３Ｔ】
2012524264.tif 000146
【図２３Ｕ】
2012524264.tif 000147
【図２３Ｖ】
2012524264.tif 000148
【図２３Ｗ】
2012524264.tif 000149
【図２３Ｘ】
2012524264.tif 000150
【図２３Ｙ】
2012524264.tif 000151
【図２３Ｚ】
2012524264.tif 000152
【図２３ＡＡ】
2012524264.tif 000153
【図２３ＡＢ】
2012524264.tif 000154
【図２３ＡＣ】
2012524264.tif 000155
【図２３ＡＤ】
2012524264.tif 000156
【図２３ＡＥ】
2012524264.tif 000157
【図２３ＡＦ】
2012524264.tif 000158
【図２３ＡＧ】
2012524264.tif 000159
【図２３ＡＨ】
2012524264.tif 000160
【図２３ＡＩ】
2012524264.tif 000161
【図２３ＡＪ】
2012524264.tif 000162
【図２３ＡＫ】
2012524264.tif 000163
【図２３ＡＬ】
2012524264.tif 000164
【図２３ＡＭ】
2012524264.tif 000165
【図２３ＡＮ】
2012524264.tif 000166
【図２３ＡＯ】
2012524264.tif 000167
【図２３ＡＰ】
2012524264.tif 000168
【図２３ＡＱ】
2012524264.tif 000169
【図２３ＡＲ】
2012524264.tif 000170
【図２３ＡＳ】
2012524264.tif 000171
【図２３ＡＴ】
2012524264.tif 000172
【図２３ＡＵ】
2012524264.tif 000173
【図２３ＡＶ】
2012524264.tif 000174
【図２３ＡＷ】
2012524264.tif 000175
【図２３ＡＸ】
2012524264.tif 000176
【図２３ＡＹ】
2012524264.tif 000177
【図２３ＡＺ】
2012524264.tif 000178
【図２３ＢＡ】
2012524264.tif 000179
【図２３ＢＢ】
2012524264.tif 000180
【図２３ＢＣ】
2012524264.tif 000181
【図２３ＢＤ】
2012524264.tif 000182
【図２３ＢＥ】
2012524264.tif 000183
【図２３ＢＦ】
2012524264.tif 000184
【図２３ＢＧ】
2012524264.tif 000185
【図２３ＢＨ】
2012524264.tif 000186
【図２３ＢＩ】
2012524264.tif 000187
【図２３ＢＪ】
2012524264.tif 000188
【図２３ＢＫ】
2012524264.tif 000189
【図２３ＢＬ】
2012524264.tif 000190
【図２３ＢＭ】
2012524264.tif 000191
【図２３ＢＮ】
2012524264.tif 000192
【図２３ＢＯ】
2012524264.tif 000193
【図２３ＢＰ】
2012524264.tif 000194
【図２３ＢＱ】
2012524264.tif 000195
【図２３ＢＲ】
2012524264.tif 000196
【図２３ＢＳ】
2012524264.tif 000197
【図２３ＢＴ】
2012524264.tif 000198
【図２３ＢＵ】
2012524264.tif 000199
【図２３ＢＶ】
2012524264.tif 000200
【図２３ＢＷ】
2012524264.tif 000201
【図２３ＢＸ】
2012524264.tif 000202
【図２３ＢＹ】
2012524264.tif 000203
【図２３ＢＺ】
2012524264.tif 000204
【図２３ＣＡ】
2012524264.tif 000205
【図２３ＣＢ】
2012524264.tif 000206
【図２３ＣＣ】
2012524264.tif 000207
【図２３ＣＤ】
2012524264.tif 000208
【図２３ＣＥ】
2012524264.tif 000209
【図２３ＣＦ】
2012524264.tif 000210
【図２３ＣＧ】
2012524264.tif 000211
【図２３ＣＨ】
2012524264.tif 000212
【図２３ＣＩ】
2012524264.tif 000213
【図２３ＣＪ】
2012524264.tif 000214
【図２３ＣＫ】
2012524264.tif 000215
【国際調査報告】
2012524264.tif 000216